(57)【要約】一部の実施形態では、薬剤の交差チャネル配置を防止する多薬剤注入システムを提供する。このシステムは、１つ以上の注入ポンプ、薬剤リザーバ、鍔部、多チャネル流体管、注入セットを有する。薬剤リザーバおよび／または鍔部はそれぞれ大きさと形状が異なり、薬剤リザーバを選択されたシステム構成にのみ挿入できるよう構成される。
2018525060.tif 000002
【特許請求の範囲】
【請求項１】
単一薬剤または多薬剤を患者に送達する注入セットであって、
ベースセットを有し、
前記ベースセットは、
第１のポートと、第１の接着部と、第１の薬剤を前記患者に送達する第１の穿刺要素とを有する第１のベースユニットであって、前記第１の接着部が前記第１のベースユニットを前記患者に接着させる第１のベースユニットと、
第２のポートを有する第２のベースユニットであって、前記第２のベースユニットを前記患者に接着させる第２の接着部を有する第２のベースユニットと、
前記第１のポートを介して前記第１のベースユニットと可逆的に接続する第１のコネクタであって第１の薬剤リザーバから前記第１のベースの前記第１のポートに至る第１の流路を提供する第１のコネクタと、前記第２のベースユニットと可逆的に接続する第２のコネクタとを有するコネクタセットと、
を有し、
前記第１のベースユニットは、前記第２のコネクタが前記第１のベースユニットに接続することを防止する第１のガイド部を有し、
前記第２のベースユニットは、前記第１のコネクタが前記第２のベースユニットに接続することを防止する第２のガイド部を有し、
前記第１のベースユニットおよび前記第２のベースユニットは、互いに独立して移動可能であり、前記患者によって移動されて前記患者の身体の輪郭に当接する
ことを特徴とする注入セット。
【請求項２】
前記第２のベースユニットは、第２の薬剤を前記患者に送達する第２の穿刺要素を有し、前記第２のコネクタは、第２の薬剤リザーバから前記第２のベースの前記第２のポートに至る第２の流路を提供する、ことを特徴とする請求項１に記載の注入セット。
【請求項３】
前記第１の穿刺要素は、前記第１のポートと流体連通するカテーテルであって第１の薬剤を前記第１のベースユニットを介して前記患者に送達するカテーテルである、ことを特徴とする請求項１に記載の注入セット。
【請求項４】
前記第１のコネクタは、前記第１のベースユニットとの接続位置において前記第１のコネクタをロックする第１の保持クリップを有する、ことを特徴とする請求項１に記載の注入セット。
【請求項５】
前記第１の保持クリップは、使用者が前記第１の保持クリップを押下することで前記第１のコネクタと前記第１のベースユニットとの接続を片手で解除できるように構成される、ことを特徴とする請求項４に記載の注入セット。
【請求項６】
前記第２のコネクタは、前記第２のベースユニットとの接続位置において前記第２のコネクタをロックする第２の保持クリップを有し、前記第１の保持クリップは、前記第１のコネクタが前記第２のベースユニットに接続することを防止し、前記第２の保持クリップは、前記第２のコネクタが前記第１のベースユニットに接続することを防止する、ことを特徴とする請求項４に記載の注入セット。
【請求項７】
前記第２のタブは、使用者が前記第２のタブを押下することで前記第２のコネクタと前記第２のポートとの接続を片手で解除できるように構成される、ことを特徴とする請求項６に記載の注入セット。
【請求項８】
前記第１のコネクタは、前記第１のコネクタを前記第１のベースユニットとの接続位置
にガイドするアライメント要素を有する、ことを特徴とする請求項１に記載の注入セット。
【請求項９】
前記第１のコネクタセットは流体管を有し、前記流体管は、第１の薬剤の第１の溶液を有する第１のリザーバとの流体連通が可能である、ことを特徴とする請求項１に記載の注入セット。
【請求項１０】
前記第１のベースユニットおよび前記第１のコネクタセット、または前記第２のベースユニットおよび前記第２のコネクタセットが、単一薬剤を用いる構成に個別に用いられるまたは２薬剤を用いる構成に共用される、ことを特徴とする請求項１に記載の注入セット。
【請求項１１】
単一薬剤または多薬剤を患者に送達する薬剤リザーバセットであって、
第１のリザーバポートを有し第１の薬剤を有する第１のリザーバと、
前記第１のリザーバの少なくとも一部および前記第１のリザーバポートの少なくとも一部と重なる第１の注入コネクタであって、前記第１の薬剤に接触可能な第１の針を有し、前記第１のリザーバの一部と係合して前記第１の注入コネクタを前記第１のリザーバに取り付ける第１の係合部を有する第１の注入コネクタと、
前記第１の注入コネクタと係合する第１の注入コネクタカバーと、
第２の薬剤に接触可能な第２のリザーバポートを有する第２の薬剤リザーバと、
前記第２のリザーバの少なくとも一部および前記第２のポートの少なくとも一部と重なる第２の注入コネクタであって、第２の薬剤に接触可能な第２の針を有し、前記第２のリザーバの一部と係合して前記第２の注入コネクタを前記第２のリザーバに取り付ける第２の係合部を有する第２の注入コネクタと、
前記第２の注入コネクタと係合する第２の注入コネクタカバーを有する
ことを特徴とする薬剤リザーバセット。
【請求項１２】
第１の鍔部であって、前記第１の鍔部が第１のポートの近傍で前記第１のリザーバと係合することで第１の鍔部付きのリザーバを提供する第１の鍔部をさらに有し、
前記第１の鍔部は、前記第１の鍔部から外側に向かって放射状に延伸する第１の鍔状突起を有し、
前記第１の注入コネクタは、前記第１の鍔状突起を介して前記第１の鍔部付きのリザーバの前記第１の鍔部の少なくとも一部と係合し、
前記第１の鍔部は前記第２の注入コネクタとの接続を防止する
ことを特徴とする請求項１１に記載の薬剤リザーバセット。
【請求項１３】
第２の鍔部であって、前記第２の鍔部が前記第２のポートの近傍で前記第２のリザーバと係合することで第２の鍔部付きのリザーバを提供する第２の鍔部をさらに有し、
前記第２の鍔部は、前記第２の鍔部から外側に向かって放射状に延伸する第２の鍔状突起を有し、
前記第２の注入コネクタは、前記第２の鍔状突起を介して前記第２の鍔部付きのリザーバの前記第２の鍔部の少なくとも一部と係合し、
前記第２の鍔部は前記第１の注入コネクタとの接続を防止する
ことを特徴とする請求項１２に記載の薬剤リザーバセット。
【請求項１４】
前記第１の注入コネクタは第１のガイド要素を有し、
前記第２の注入コネクタは第２のガイド要素をさらに有し、
前記第１のガイド要素によって、前記第１のガイド要素と接続する第１の開口を有する第１のポンプ容器に、前記第１の薬剤リザーバが案内され、
前記第２のガイド要素によって、前記第２のガイド要素と接続する第２の開口を有する
第２のポンプ容器に、前記第２の薬剤リザーバが案内され、
前記第１のガイド要素は、前記第１の薬剤リザーバが前記第２のポンプ容器に配置されることを防止する
ことを特徴とする請求項１３に記載の薬剤リザーバセット。
【請求項１５】
前記第２のガイド要素は、前記第２の薬剤リザーバが前記第２のポンプ容器に配置されることを防止する、ことを特徴とする請求項１４に記載の薬剤リザーバセット。
【請求項１６】
前記第１の注入コネクタカバーにネジ山が設けられ、これによって前記第１の薬剤リザーバが前記第１のポンプ容器に螺合される、ことを特徴とする請求項１４に記載の薬剤リザーバセット。
【請求項１７】
前記第２の注入コネクタカバーにネジ山が設けられ、これによって前記第２の薬剤リザーバが前記第２のポンプ容器に螺合される、ことを特徴とする請求項１４に記載の薬剤リザーバセット。
【請求項１８】
単一薬剤または多薬剤を患者に送達する薬剤送達システムであって、
注入セットを有し、
前記注入セットは、
ベースセットを有し、
前記ベースセットは、
第１のベースユニットであって、第１の薬剤を前記患者に送達する第１のベースセット穿刺要素と、第１のポートと、前記第１のベースユニットを前記患者に接着させる第１の接着部とを有する第１のベースユニットと、
第２のベースユニットであって、前記第２のベースユニットを前記患者に接着させる第２の接着部を有する第２のベースセットと、
前記第１のベースユニットに可逆的に接続し、第１の薬剤リザーバから前記第１のベースの前記第１のポートに至る第１の流路を提供する第１のコネクタと、前記第２のベースユニットに可逆的に接続する第２のコネクタとを有するコネクタセットと
を有し、
前記第１のベースユニットは、前記第２のコネクタが前記第１のベースユニットに接続することを防止する要素を有し、
前記第２のベースユニットは、前記第１のコネクタが前記第２のベースユニットに接続することを防止する要素を有し、
前記薬剤送達システムは、第１のリザーバと第１の流体管を有する薬剤セットであって、前記第１のリザーバが、第１のリザーバポートを介して接触可能な第１の薬剤を有し、前記第１の流体管が、前記第１のリザーバと前記第１のベースセット穿刺要素との間の流体連通を提供する薬剤セットを有し、
前記薬剤送達システムは、ポンプシステムを有する
ことを特徴とする薬剤送達システム。
【請求項１９】
前記薬剤セットは、第１の注入コネクタと第１の注入コネクタカバーとを有し、前記第１の注入コネクタは前記第１のリザーバと接続し、前記第１のコネクタカバーは前記第１の注入コネクタと接続する、ことを特徴とする請求項１８に記載の薬剤送達システム。
【請求項２０】
前記第１のコネクタカバーは、前記注入コネクタと接続していないときに、前記第１の流体管に沿って移動可能であるおよび／または前記第１の流体管の周囲を自由に回転可能である、ことを特徴とする請求項１９に記載の薬剤送達システム。
【請求項２１】
前記第１のリザーバは第１の鍔部を有し、前記第１の鍔部は、前記第１の鍔部から外側
に向かって延伸する鍔状突起を有し、前記第１の鍔部は、前記ポートの近傍にある前記リザーバに接続して、鍔部付きのリザーバを提供し、前記第１の鍔部は、前記第１の注入コネクタの突起嵌合用の開口と連結される、ことを特徴とする請求項１９に記載の薬剤送達システム。
【請求項２２】
前記第１の注入コネクタは、前記第１のリザーバポートを介して前記第１の薬剤に接触する針を有する、ことを特徴とする請求項１９に記載の薬剤送達システム。
【請求項２３】
前記第２のベースユニットは、第２のベースユニット穿刺要素および第２のポートを有し、前記第２の穿刺要素は前記患者に第２の薬剤を送達し、前記第２のコネクタは、第２の薬剤リザーバから前記第２のベースユニットの前記第２のポートに至る第２の流路を提供する、ことを特徴とする請求項１８に記載の薬剤送達システム。
【請求項２４】
前記薬剤セットは、
第１の注入コネクタおよび第１の注入コネクタカバーであって、前記第１の注入コネクタは前記第１のリザーバと接続し、前記第１のコネクタカバーは前記第１の注入コネクタと接続する第１の注入コネクタおよび第１の注入コネクタカバーと、
第２の注入コネクタおよび第２の注入コネクタカバーであって、前記第２の注入コネクタは前記第２のリザーバと接続し、前記第２のコネクタカバーは前記第２の注入コネクタと接続する第２の注入コネクタおよび第２の注入コネクタカバーと
を有し、
前記第２の注入コネクタは、前記第１のリザーバと接続しないように構成され、前記第１の注入コネクタは前記第２のリザーバと接続しないように構成される
ことを特徴とする請求項２３に記載の薬剤送達システム。
【発明の詳細な説明】
【技術分野】
【０００１】
（連邦政府による資金提供を受けた研究開発の記載）
本発明は、アメリカ国立衛生研究所により助成を受けた契約番号第ＤＫ０９７６５７号の下、米国政府の支援を受けてなされたものである。米国政府は本発明に対し一定の権利を有する。
【０００２】
（関連出願の相互参照）
本願は、２０１５年７月８日出願の米国仮特許出願第６２／１９０，２１２号、２０１５年１１月１３日出願の米国仮特許出願第６２／２５４，９５０号および２０１６年６月２２日出願の米国仮特許出願第６２／３５３，２１０号の優先権を主張する。上記出願のすべての内容全体が、参照により本明細書に援用される。
【０００３】
本開示は、一般に薬剤の注入システムおよびその構成要素の分野に関する。
【背景技術】
【０００４】
ポンプ駆動による徐放用の薬剤注入装置は、一般に、注入場所で患者に対して経皮的に皮下に導入される送達カニューレを有する。ポンプは、リザーバから薬剤を吸引し、薬剤をカニューレを経由して患者に送達する。この注入装置は、通常は、薬剤を注入口ポートから送達カニューレに送る管を有し、管によって送達カニューレが位置する部分の皮下層に薬剤が送達される。単一薬剤を患者に送達する注入装置もあれば、多薬剤を患者に送達する注入装置もある。
【発明の概要】
【０００５】
一部の実施形態は、単一薬剤または多薬剤を患者に送達する注入セットに関する。一部の実施形態では、注入セットはベース部を有する。一部の実施形態では、注入セットはコネクタセットを有する。一部の実施形態では、コネクタセットはベース部に連結する。一部の実施形態では、コネクタセットとベース部は、１つ以上の流体管または流路を経由して流体連通されている。一部の実施形態では、コネクタセットを経由する流体は、ベースセットを通って、ベースセットに取り付けられたあるいは連結された１つ以上の構成要素を介して患者に届く。
【０００６】
一部の実施形態では、注入セットは第１のコネクタを有する。一部の実施形態では、注入セットはさらに第２のコネクタを有する。一部の実施形態では、注入セットは追加（３個、４個、５個あるいはそれ以上）のコネクタを有する。一部の実施形態では、ベースユニットは、複数のコネクタ（第１および第２のコネクタなど）と同時に相互作用する単一の構成要素である。
【０００７】
上記あるいは本明細書に記載のいずれの実施形態も、以下の１つ以上の特徴を有することができる。
【０００８】
いくつかの変形例では、ベースユニットは第１のポートを有する。一部の実施形態では、ベースユニットは第２のポートを有する。一部の実施形態では、ベースユニットは追加のポートを有する。一部の実施形態では、ベースユニットのポートは１つ以上のコネクタと相互作用あるいは接続し、コネクタおよびベースユニットを経由して患者に到達する流路（あるいは少なくとも流路の一部）を提供するよう構成されている。
【０００９】
一部の実施形態では、第１のコネクタは可逆的に第１のポートに接続する。一部の実施
形態では、第１のコネクタとベースユニットの第１のポートとの間の相互作用が第１のガイド部によって促進される。一部の実施形態では、第２のコネクタは可逆的に第２のポートに接続する。一部の実施形態では、第２のコネクタとベースユニットの第２のポートとの間の相互作用が第２のガイド部によって促進される。一部の実施形態では、第１のガイド部によって、第２のコネクタがベースユニットの第１のポートに取り付けられることが防止される。一部の実施形態では、第２のガイド部によって、第１のコネクタがベースユニットの第２のポートに取り付けられることが防止される。一部の実施形態では、第２のガイド部によって、第１のコネクタが第２のポートに接続することが防止され、第１のガイド部によって、第２のコネクタが第１のポートに接続することが防止される。
【００１０】
一部の実施形態では、１つ以上のベースユニットを有するベースセットが提供される。一部の実施形態では、各ベースユニットは１つ以上の個別のコネクタと相互作用が可能である。例えば、一部の実施形態では、第１のベースユニットおよび第２のベースユニットが提供される。一部の実施形態では、第１のベースユニットは第１のコネクタのみと（例えば、ガイド部などの１つ以上の接続要素によって）相互作用する。一部の実施形態では、第２のベースユニットは第２のコネクタのみと（例えば、ガイド部などの１つ以上の接続要素によって）相互作用する。一部の実施形態では、第１のベースユニットが１つ以上のコネクタと相互作用し、第２のベースユニットが、第１のベースユニットと相互作用するコネクタとは異なる１つ以上のコネクタと相互作用する。
【００１１】
一部の変形例では、第１のポートが第１の注入チューブ（例えば、流体管）と流体連通する。一部の実施形態では、第１の注入チューブが第１のポートから延伸している。一部の実施形態では、第１のガイド部が第１の注入チューブの一部と接続する。
【００１２】
一部の実施形態では、第２のポートが第２の注入チューブを有する。一部の実施形態では、第２の注入チューブが第２のポートから延伸している。一部の変形例では、第２のガイド部が第２の注入チューブの一部と接続する。
【００１３】
一部の実施形態では、ベースは第１のカテーテルと第２のカテーテルとを有する。一部の実施形態では、第１のカテーテルは、第１のポートと流体連通し、第１の薬剤を、ベースユニットを経由して患者に皮下的に送達する。
【００１４】
一部の実施形態では、第２のカテーテルは、第２のポートと流体連通し、第２の薬剤を、ベースユニットを経由して患者に皮下的に送達する。
【００１５】
一部の実施形態では、ベースセットの第１のベースユニットは第１のカテーテルを有する。一部の実施形態では、ベースセットの第２のベースユニットは第２のカテーテルを有する。一部の実施形態では、第１のカテーテルは、第１のポートと流体連通し、第１の薬剤を、第１のベースユニットを経由して患者に送達する。一部の実施形態では、第２のカテーテルは、第２のポートと流体連通し、第２の薬剤を、第２のベースユニットを経由して患者に送達する。
【００１６】
一部の実施形態では、第１のコネクタは第１のタブを有し、第１のタブによって、第１のコネクタと第１のポートとの接続位置において第１のコネクタが可聴的にロックされる。一部の実施形態では、第２のコネクタは第２のタブを有し、第２のタブによって、第１のコネクタと第１のポートとの接続位置において第１のコネクタが可聴的にロックされる。一部の実施形態では、タブは、使用者がタブを押下することで１つまたは双方のコネクタとベースとの接続を片手で解除できるように構成される。
【００１７】
一部の実施形態では、多薬剤を患者に送達する装置に関し、当該装置は、ベースユニッ
ト（および／または１つ以上のベースユニットを有するベースセット）を有する。一部の実施形態では、ベースユニット（および／またはベースセットの第１のベースユニット）は、第１の注入チューブと第１のガイド部を有する第１のポートを有する。一部の実施形態では、第１の注入チューブと第１のガイド部は、ベースユニット（および／またはベースセットの第１のベースユニット）から外側に向かって延伸する。一部の実施形態では、第１の注入口には第１の薬剤が入る。一部の実施形態では、ベースユニットは、第１のポートと流体連通する第１のカテーテルを有し、第１の薬剤を、ベースユニット（および／またはベースセットの第１のベースユニット）を経由して患者に送達する。一部の変形例では、当該装置は、ベースユニット（および／またはベースセットの第２のベースユニット）から外側に向かって延伸する第２のガイド部と第２の注入チューブとを有する第２のポートをさらに有する。一部の実施形態では、第２の注入チューブと第２のガイド部とは、第１の延伸部と同じ方向に延伸する。一部の実施形態では、第２の注入口には第２の薬剤が入る。一部の実施形態では、第２のカテーテルは、第２のポートと流体連通し、第２の薬剤を、ベースユニット（および／またはベースセットの第２のベースユニット）を経由して患者に送達する。一部の実施形態では、第１のガイド部を経由して第１のポートと可逆的に接続する第１の送出口ポートを有する第１のハウジングが提供される。一部の実施形態では、第２のガイド部を経由して第２のポートと可逆的に接続する第２の送出口ポートを有する第２のハウジングが提供される。一部の実施形態では、第２のガイド部によって、第１のハウジングの第２のポートへの接続が防止され、第１のガイド部によって、第２のハウジングの第１のポートへの接続が防止される。
【００１８】
一部の実施形態はベースユニット（またはベースセット）に関し、当該ベースユニット（またはベースセット）は、第１のポートと、第２のポートと、ベースユニット（またはベースセット）と接続するコネクタセットとを有する。一部の実施形態では、コネクタセットは、第１のポートと可逆的に接続する第１のコネクタと、第２のポートと可逆的に接続する第２のコネクタとを有する。一部の実施形態では、第１のコネクタは接続ファスナーのオス部を有し、第２のコネクタは接続ファスナーのメス部を有する（逆の場合も同じ）。一部の実施形態では、第１のコネクタと第２のコネクタは、接続ファスナーを介して連結される。
【００１９】
一部の実施形態では、接続ファスナーは流路構成内（または溝内）に配置された凸縁を有し、当該凸縁は第１のコネクタ上に設けられ、流路（または溝）は第２のコネクタ上に設けられる。
【００２０】
一部の実施形態は、注入システムに使用される装置に関し、当該装置は、第１の流路と第２の流路とを有する流体管を有する。一部の実施形態では、第１の流路は、第１の流路の一端に取り付けられた第１の注入コネクタを有する。一部の変形例では、第２の流路は、第２の流路の一端に取り付けられた第２の注入コネクタを有する。一部の実施形態では、第１の注入コネクタと第２の注入コネクタの形状がそれぞれ異なる。一部の実施形態では、第１の注入コネクタは第１の流体リザーバと接続し、第２の注入コネクタは第２の流体リザーバと接続する。
【００２１】
一部の実施形態では、第１の注入コネクタは第１のセットの雄ネジを有し、第２の注入コネクタは第２のセットのネジを有する。一部の実施形態では、第１のセットのネジは、第２のセットのネジとは異なる。
【００２２】
一部の実施形態では、第１のセットのネジは、注入ポンプの第１の開口部内に配置された第１の構成を有するネジと噛み合う。一部の実施形態では、第２のセットのネジは、注入ポンプの第２の開口部内に配置された第２の構成を有するネジと噛み合う。
【００２３】
一部の実施形態は、注入システムと使用される薬剤送達システムに関する。一部の実施形態では、当該システムは第１のリザーバを有する。一部の実施形態では、第１のリザーバは、第１の薬剤の第１の溶液を有する。一部の実施形態では、第１のリザーバは、第１の溶液と接触可能な第１のリザーバポートを有する。一部の実施形態では、第１のリザーバは第１の鍔部と接続される。一部の実施形態では、第１の鍔部は、第１の鍔部から外側に向かって（放射状に）延伸する１つ以上の突起を有する。一部の実施形態では、第１のリザーバはくびれ部を有する。一部の実施形態では、第１の鍔部は、第１のリザーバポートの近傍（例えば、くびれ部の周辺）にある第１のリザーバに接続され、第１の鍔部付きのリザーバが提供される。
【００２４】
一部の実施形態では、当該システムは第２のリザーバを有する。一部の実施形態では、第２のリザーバは、第２の薬剤の第２の溶液を有する。一部の実施形態では、第２のリザーバは、第２の溶液と接触可能な第２のリザーバポートを有する。一部の実施形態では、第２のリザーバは第２の鍔部と接続される。一部の実施形態では、第２の鍔部は、第２の鍔部から外側に向かって（放射状に）延伸する１つ以上の突起を有する。一部の実施形態では、第２のリザーバはくびれ部を有する。一部の実施形態では、第２の鍔部は、第２のリザーバポートの近傍（例えば、くびれ部の周辺）にある第２のリザーバに接続され、第２の鍔部付きのリザーバが提供される。
【００２５】
一部の実施形態では、第１の注入コネクタは、第１のリザーバの少なくとも一部と重なって第１のリザーバと係合する。一部の実施形態では、第１の注入コネクタは、第１のポートの少なくとも一部とも重なる。一部の実施形態では、第１の注入コネクタは、第１の鍔部の鍔状突起を介して、第１の鍔部付きのリザーバの第１の鍔部の少なくとも一部と係合する。一部の実施形態では、第１の注入コネクタは、第１のポートを経由して第１の溶液と接触する第１の針を有する。
【００２６】
一部の実施形態では、第２の注入コネクタは、第２のリザーバの少なくとも一部と重なって第２のリザーバと係合する。一部の実施形態では、第２の注入コネクタは、第２のポートの少なくとも一部とも重なる。一部の実施形態では、第２の注入コネクタは、第２の鍔部の鍔状突起を介して、第２の鍔部付きのリザーバの第２の鍔部の少なくとも一部と係合する。一部の実施形態では、第２の注入コネクタは、第２のポートを経由して第２の溶液と接触する第２の針を有する。
【００２７】
一部の実施形態では、第１の鍔部は、１つ以上のガイド要素をさらに有する。一部の実施形態では、ガイド要素は、第１の鍔部から外側に向かって（放射状に）延伸する。一部の実施形態では、第１の注入コネクタは、第１の鍔部のガイド要素が入る通路（谷部、溝など）を有する。
【００２８】
一部の実施形態では、第２の鍔部は、１つ以上のガイド要素をさらに有する。一部の実施形態では、ガイド要素は、第２の鍔部から外側に向かって（放射状に）延伸する。一部の実施形態では、第２の注入コネクタは、第２の鍔部のガイド要素が入る通路（谷部、溝など）を有する。
【００２９】
一部の実施形態では、第１の鍔部（および／または第１のリザーバ）は、第１の注入コネクタと相互作用し、第２の注入コネクタとは相互作用しない。一部の実施形態では、第１の鍔部の突起および／またはガイド要素は、第１の鍔部が第２の注入コネクタと係合することを防止する。一部の実施形態では、第１のリザーバの要素（その直径、くびれ部など）によって、第１のリザーバが第２の注入コネクタと係合することが防止される。一部の実施形態では、第２の鍔部（および／または第２のリザーバ）は、第２の注入コネクタと相互作用し、第１の注入コネクタとは相互作用しない。一部の実施形態では、第２の鍔
部の突起および／またはガイド要素は、第２の鍔部が第１の注入コネクタと係合することを防止する。一部の実施形態では、第２のリザーバの要素（その直径、くびれ部など）によって、第２のリザーバが第１の注入コネクタと係合することが防止される。
【００３０】
一部の実施形態では、注入コネクタが、鍔部付きのリザーバの近傍に移動されて、鍔部付きのリザーバと係合すると、注入コネクタと鍔部付きのリザーバは、互いに軸周りに回転しない。一部の実施形態では、注入コネクタが、鍔部付きのリザーバの近傍に移動されて、鍔部付きのリザーバと係合すると、注入コネクタと鍔部付きのリザーバは、互いに軸周りに回転する。一部の実施形態では、注入コネクタが、鍔部付きのリザーバの近傍に移動されて、鍔部付きのリザーバと係合すると、注入コネクタと鍔部付きのリザーバは、直線的に整列する。
【００３１】
一部の実施形態では、薬剤送達システムは、上記のベースユニット（またはベースセット）をさらに有する。一部の実施形態では、薬剤送達システムは、コネクタセットをさらに有する。一部の実施形態では、第１のリザーバと第１の注入コネクタは、第１のコネクタと（第１の流体管を介するなどによって）流体連通する。一部の実施形態では、第２のリザーバと第２の注入コネクタは、第２のコネクタと（第１の流体管を介するなどによって）流体連通する。一部の実施形態では、第１のリザーバは、第２のコネクタと（システムの１つ以上の要素を介して）相互作用しない。一部の実施形態では、第２のリザーバは、第１のコネクタと（システムの１つ以上の要素を介して）相互作用しない。
【００３２】
一部の実施形態は、注入システムと使用される薬剤送達システムに関し、薬剤送達システムは、第１の薬剤の第１の溶液を有するリザーバを有する。一部の実施形態では、リザーバは、第１の溶液と接触可能なポートを有する。一部の実施形態では、システムは、鍔部とガイド要素を有し、鍔部は鍔部から放射状に延伸する鍔状突起を有し、ガイド要素は鍔部から放射状に延伸し、鍔部はポートの近傍でリザーバと係合する。一部の実施形態では、当該システムは、ポートを覆うリザーバの少なくとも一部を囲む注入コネクタを有し、注入コネクタは、鍔状突起を介して鍔部の少なくとも一部と係合する。一部の実施形態では、注入コネクタは、ポートを経由して第１の溶液と接触する針を有する。
【００３３】
一部の実施形態では、注入システムと使用される薬剤送達システムが提供され、当該システムは、第１の薬剤の第１の溶液を有するリザーバを有し、リザーバは第１の溶液と接触可能なポートを有する。一部の実施形態では、薬剤送達システムは、鍔部を有し、鍔部は鍔部から放射状に延伸する鍔状のガイド要素を有し、鍔部がポートの近傍でリザーバと係合することで鍔部付きのリザーバが提供される。一部の実施形態では、薬剤送達システムは、鍔部付きのリザーバの少なくとも一部と重なり、かつポートの少なくとも一部を覆う注入コネクタを有し、注入コネクタは、注入コネクタ内に設けられ、注入コネクタへの鍔部付きのリザーバの挿入を許容する鍔部ガイド要素通路を介して鍔部の少なくとも一部と係合する。一部の実施形態では、注入コネクタは、ポートを経由して第１の溶液と接触する針を有する。
【００３４】
一部の実施形態では、鍔部は、鍔部から外側に向かって放射状に延伸するガイド要素をさらに有し、注入コネクタはガイド要素が入る通路を有する。一部の実施形態では、注入コネクタは、鍔部付きのリザーバの近傍に移動されると、鍔部付きのリザーバと係合し、注入コネクタと鍔部付きのリザーバは、互いに軸周りに回転しない。一部の実施形態では、注入コネクタは、鍔部付きのリザーバの近傍に移動されると、鍔部付きのリザーバと係合し、注入コネクタと鍔部付きのリザーバは、直線状に整列する。
【００３５】
一部の実施形態は、単一薬剤または多薬剤を患者に送達する注入セットに関する。一部の実施形態では、注入セットは、第１のポートを有する第１のベースユニットを有する。
一部の実施形態では、注入セットは第２のポートを有する第２のベースユニットを有する。一部の実施形態では、注入セットは、第１のベースユニットに接続して第２のベースユニットには接続しない第１のコネクタセットを有し、第１のコネクタセットは、第１のガイド部を介して第１のポートに可逆的に接続する第１のコネクタを有する。一部の実施形態では、注入セットは、第２のベースユニットに接続して第１のベースユニットには接続しない第２のコネクタセットを有し、第２のコネクタセットは、第２のガイド部を介して第２のポートに可逆的に接続する第２のコネクタを有する。一部の実施形態では、注入セットの第２のガイド部は、第１のコネクタが第２のポートと係合することを防止し、第１のガイド部は、第２のコネクタが第１のポートと係合することを防止する。
【００３６】
一部の実施形態では、単一薬剤または多薬剤を患者に送達する注入セットが提供される。一部の実施形態では、注入セットはベースセットを有する。一部の実施形態では、ベースセットは、第１のポートと第１の接着部とを有する第１のベースユニットを有する。一部の実施形態では、第１のベースユニットは、第１の薬剤を患者に送達する第１の穿刺部を有する。一部の実施形態では、第１の接着部は、第１のベースユニットを患者に接着させる。一部の実施形態では、注入セットは、第２のポートを有する第２のベースユニットを有する。一部の実施形態では、第２のベースユニットは、第２のベースユニットを患者に接着させる第２の接着部を有する。
【００３７】
一部の実施形態では、注入セットはコネクタセットをさらに有する。一部の実施形態では、コネクタセットは、第１のポートを介して第１のベースユニットに可逆的に接続する第１のコネクタを有する。一部の実施形態では、第１のコネクタは、第１の薬剤リザーバから第１のベースユニットの第１のポートに至る第１の流路を提供する。
【００３８】
一部の実施形態では、注入セットは、第２のベースユニットに可逆的に接続する第２のコネクタを有する。
【００３９】
一部の実施形態では、第１のベースユニットは、第２のコネクタが第１のベースユニットと接続することを防止する第１のガイド部を有する。一部の実施形態では、第２のベースユニットは、第１のコネクタが第２のベースユニットと接続することを防止する第２のガイド部を有する。一部の実施形態では、第１のベースユニットおよび第２のベースユニットは、互いに独立して移動し、患者によって移動されて患者の身体の輪郭に当接する。
【００４０】
一部の実施形態では、第２のベースユニットは、第２の薬剤を患者に送達する第２の穿刺部を有する。一部の実施形態では、第２のコネクタは、第２の薬剤リザーバから第２のベースユニットの第２のポートに至る第２の流路を提供する。
【００４１】
一部の実施形態では、第１の穿刺部は、第１のポートと流体連通し、第１の薬剤を第１のベースユニットを介して患者に送達するカテーテルである。
【００４２】
一部の実施形態では、第１のコネクタは、第１のベースユニットとの接続位置において第１のコネクタをロックする第１の保持クリップを有する。
【００４３】
一部の実施形態では、第１の保持クリップは、使用者が第１の保持クリップを押下することで第１のコネクタと第１のベースユニットとの接続を片手で解除できるように構成される。
【００４４】
一部の実施形態では、第２のコネクタは、第２のベースユニットとの接続位置において第２のコネクタをロックする第２の保持クリップを有する。一部の実施形態では、第１の保持クリップは、第１のコネクタが第２のベースユニットに接続することを防止し、第２
の保持クリップは、第２のコネクタが第１のベースユニットに接続することを防止する。
【００４５】
一部の実施形態では、第２のタブは、使用者が第２のタブを押下することで第２のコネクタと第２のポートとの接続を片手で解除できるように構成される。
【００４６】
一部の実施形態では、第１のコネクタは、第１のコネクタを第１のベースユニットとの接続位置にガイドするアライメント要素を有する。
【００４７】
一部の実施形態では、第１のコネクタセットは流体管を有し、流体管は、第１の薬剤の第１の溶液を有する第１のリザーバとの流体連通が可能である。
【００４８】
一部の実施形態では、第１のベースユニットおよび第１のコネクタセット、または第２のベースユニットおよび第２のコネクタセットが、単一薬剤を用いる構成に個別に用いられるまたは２薬剤を用いる１つの構成に共用される。
【００４９】
一部の実施形態では、単一薬剤または多薬剤を患者に送達する薬剤リザーバセットが提供される。一部の実施形態では、薬剤リザーバセットは第１のリザーバを有し、第１のリザーバは第１のリザーバポートを有し第１の薬剤を有する。一部の実施形態では、薬剤リザーバセットは、第１のリザーバの少なくとも一部および第１のリザーバポートの少なくとも一部と重なる第１の注入コネクタを有する。一部の実施形態では、第１の注入コネクタは、第１の薬剤に接触可能な第１の針を有する。一部の実施形態では、第１の注入コネクタは、第１のリザーバの一部と係合して第１の注入コネクタを第１のリザーバに取り付ける第１の係合部を有する。一部の実施形態では、薬剤リザーバセットは、第１の注入コネクタと係合する第１の注入コネクタカバーをさらに有する。一部の実施形態では、薬剤リザーバセットは、第２の薬剤に接触可能な第２のリザーバポートを有する第２の薬剤リザーバを有する。一部の実施形態では、薬剤リザーバセットは、第２のリザーバの少なくとも一部および第２のポートの少なくとも一部と重なる第２の注入コネクタを有する。一部の実施形態では、第２の注入コネクタは、第２の薬剤に接触可能な第２の針を有する。一部の実施形態では、第２の注入コネクタは、第２のリザーバの一部と係合して第２の注入コネクタを第２のリザーバに取り付ける第２の係合部を有する。一部の実施形態では、薬剤リザーバセットは、第２の注入コネクタと係合する第２の注入コネクタカバーを有する。
【００５０】
一部の実施形態では、薬剤リザーバセットは第１の鍔部を有し、第１の鍔部が第１のポートの近傍で第１のリザーバと係合することで第１の鍔部付きのリザーバが提供される。一部の実施形態では、第１の鍔部は、第１の鍔部から外側に向かって放射状に延伸する第１の鍔状突起を有する。一部の実施形態では、第１の注入コネクタは、第１の鍔状突起を介して第１の鍔部付きのリザーバの第１の鍔部の少なくとも一部と係合する。一部の実施形態では、第１の鍔部は第２の注入コネクタとの接続を防止する。
【００５１】
一部の実施形態では、薬剤リザーバセットは第２の鍔部を有し、第２の鍔部が第２のポートの近傍で第２のリザーバと係合することで第２の鍔部付きのリザーバが提供される。一部の実施形態では、第２の鍔部は、第２の鍔部から外側に向かって放射状に延伸する第２の鍔状突起を有する。一部の実施形態では、第２の注入コネクタは、第２の鍔状突起を介して第２の鍔部付きのリザーバの第２の鍔部の少なくとも一部と係合する。一部の実施形態では、第２の鍔部は第１の注入コネクタとの接続を防止する。
【００５２】
一部の実施形態では、第１の注入コネクタは第１のガイド要素を有する。一部の実施形態では、第２の注入コネクタは第２のガイド要素をさらに有する。一部の実施形態では、第１のガイド要素によって、第１のガイド要素と接続する第１の開口を有する第１のポン
プ容器に、第１の薬剤リザーバが案内される。一部の実施形態では、第２のガイド要素によって、第２のガイド要素と接続する第２の開口を有する第２のポンプ容器に、第２の薬剤リザーバが案内される。一部の実施形態では、第１のガイド要素は、第１の薬剤リザーバが第２のポンプ容器に配置されることを防止する。一部の実施形態では、第２のガイド要素は、第２の薬剤リザーバが第２のポンプ容器に配置されることを防止する。
【００５３】
一部の実施形態では、第１の注入コネクタカバーにネジ山が設けられ、これによって第１の薬剤リザーバが第１のポンプ容器に螺合される。一部の実施形態では、第２の注入コネクタカバーにネジ山が設けられ、これによって第２の薬剤リザーバが第２のポンプ容器に螺合される。
【００５４】
一部の実施形態では、単一薬剤または多薬剤を患者に送達する薬剤送達システムが提供される。一部の実施形態では、薬剤送達システムは、注入セットと薬剤セットとポンプセットとを有する。
【００５５】
一部の実施形態では、注入セットはベースセットを有する。一部の実施形態では、ベースセットは第１のベースユニットを有し、第１のベースユニットは、第１の薬剤を患者に送達する第１のベースセット穿刺要素と、第１のポートと、第１のベースユニットを患者に接着させる第１の接着部とを有する。一部の実施形態では、ベースセットは第２のベースユニットを有し、第２のベースユニットは、第２のベースユニットを患者に接着させる第２の接着部を有する。一部の実施形態では、注入セットはコネクタセットを有する。一部の実施形態では、コネクタセットは、第１のベースユニットに可逆的に接続し、第１の薬剤リザーバから第１のベースユニットの第１のポートに至る第１の流路を提供する第１のコネクタを有する。一部の実施形態では、コネクタセットは、第２のベースユニットに可逆的に接続する第２のコネクタを有する。一部の実施形態では、第１のベースユニットは、第２のコネクタが第１のベースユニットに接続することを防止する要素を有する。一部の実施形態では、第２のベースユニットは、第１のコネクタが第２のベースユニットに接続することを防止する要素を有する。
【００５６】
一部の実施形態では、薬剤セットは、第１のリザーバと第１の流体管を有する。一部の実施形態では、第１のリザーバは、第１のリザーバポートを介して接触可能な第１の薬剤を有する。一部の実施形態では、第１の流体管は、第１のリザーバと第１のベースセット穿刺要素との間の流体連通を提供する。
【００５７】
一部の実施形態では、薬剤セットは、第１の注入コネクタと第１の注入コネクタカバーとを有する。一部の実施形態では、第１の注入コネクタは第１のリザーバと接続する。一部の実施形態では、第１のコネクタカバーは第１の注入コネクタと接続する。
【００５８】
一部の実施形態では、第１のコネクタカバーは、注入コネクタと接続していないときに、第１の流体管に沿って移動可能であるおよび／または第１の流体管の周囲を自由に回転可能である。
【００５９】
一部の実施形態では、第１のリザーバは第１の鍔部を有し、第１の鍔部は、第１の鍔部から外側に向かって延伸する鍔状突起を有し、第１の鍔部は、ポートの近傍にあるリザーバに接続して、鍔部付きのリザーバが提供される。一部の実施形態では、第１の鍔部は、第１の注入コネクタの突起嵌合用の開口と連結される。
【００６０】
一部の実施形態では、第１の注入コネクタは、第１のリザーバポートを介して第１の薬剤に接触する針を有する。
【００６１】
一部の実施形態では、第２のベースユニットは、第２のベースユニット穿刺要素および第２のポートを有し、第２の穿刺要素は患者に第２の薬剤を送達する。一部の実施形態では、第２のコネクタは、第２の薬剤リザーバから第２のベースユニットの第２のポートに至る第２の流路を提供する。
【００６２】
一部の実施形態では、薬剤セットは、第１の注入コネクタおよび第１の注入コネクタカバーを有し、第１の注入コネクタは第１のリザーバと接続し、第１のコネクタカバーは第１の注入コネクタと接続する。一部の実施形態では、薬剤セットは、第２の注入コネクタおよび第２の注入コネクタカバーを有し、第２の注入コネクタは第２のリザーバと接続し、第２のコネクタカバーは第２の注入コネクタと接続する。一部の実施形態では、第２の注入コネクタは、第１のリザーバと接続しないように構成され、第１の注入コネクタは第２のリザーバと接続しないように構成される。
【００６３】
本明細書では、いくつかの例示的な実施形態について説明する。いずれかの実施形態に関連して説明する任意の特徴や構成、手順は、他の実施形態に関連して説明するその他の特徴や構成、手順に置き換えたり組み合わせたりすることも除外することもできる。さらに、本件開示内容を要約する目的として、本明細書では本発明の一部の態様や効果、特徴について説明する。ただし、すべての実施形態が、それらの態様や効果、特徴の一部あるいはすべてを含んでいるあるいは実現するわけではない。本件開示のいずれの態様も必須のものでも不可欠なものでもない。
【図面の簡単な説明】
【００６４】
種々の実施形態が添付の図面に例示目的として示されるが、いずれも実施形態の技術的範囲を限定するものとして解釈されるものではない。いずれかの実施形態におけるいずれかの特徴や構成、要素、物質、および／または手順は、本件開示の一部である追加の実施形態を構成するその他の実施形態の特徴や構成、要素、物質、および／または手順と組み合わせたり置き換えたりすることができる。
【図１】図１は、注入システムの一部の実施形態の斜視図を示す。
【図２】図２は、図１のシステムの上面図を示す。
【図３Ａ】図３Ａは、図１のシステムの正面図を示す。
【図３Ｂ】図３Ｂは、図１のシステムの正面図を示す。
【図４Ａ】図４Ａは、図１のシステムにおいてシステムの一部が取り外された図を示す。
【図４Ｂ】図４Ｂは、図１のシステムにおいてシステムの一部が取り外された図を示す。
【図５】図５は、注入セットの分解組立図を示す。
【図６】図６は、ベースおよび分配コネクタの図を示す。
【図７Ａ】図７Ａは、分配コネクタから取り外されたベースの図を示す。
【図７Ｂ】図７Ｂは、分配コネクタから取り外されたベースの図を示す。
【図７Ｃ】図７Ｃは、分配コネクタから取り外されたベースの図を示す。
【図７Ｄ】図７Ｄは、分配コネクタから取り外されたベースの図を示す。
【図８】図８は、ベースおよび２つの分配コネクタにおいて１つの分配コネクタがベースから取り外された図を示す。
【図９】図９は、ベースおよび２つの分配コネクタにおいて１つの分配コネクタがベースから取り外された図を示す。
【図１０】図１０は、分配接続セットの正面図を示す。
【図１１】図１１は、図１０の分配接続セットの下面図を示す。
【図１２】図１２は、分配コネクタが取り外されたベースを示す。
【図１３】図１３は、互いに分離されたコネクタを示す。
【図１４】図１４は、カバーが取り外された注入コネクタと接続するリザーバを示す。
【図１５】図１５は、カバーが接続された注入コネクタと接続するリザーバを示す。
【図１６】図１６は、カバーが接続された注入コネクタと接続するリザーバを分割した図を示す。
【図１７】図１７は、リザーバと注入コネクタとカバーの分解組立図を示す。
【図１８】図１８は、注入カバーおよび構成要素を示す。
【図１９】図１９は、カバーが接続された注入コネクタと接続するリザーバを示す。
【図２０】図２０は、リザーバと注入コネクタとカバーの分解組立図を示す。
【図２１】図２１は、カバーが接続された注入コネクタと接続するリザーバを分割した図を示す。
【図２２】図２２は、注入カバーおよび構成要素を示す。
【図２３】図２３は、リザーバと注入コネクタアセンブリとの組み合わせが不適当である図を示す。
【図２４】図２４は、リザーバと注入コネクタアセンブリとの組み合わせが不適当である図を示す。
【図２５】図２５は、リザーバと注入コネクタアセンブリとの組み合わせが不適当である図を示す。
【図２６】図２６は、リザーバと注入コネクタアセンブリとの組み合わせが不適当である図を示す。
【図２７】図２７は、リザーバと注入コネクタアセンブリとの組み合わせが不適当である図を示す。
【図２８】図２８は、リザーバと注入コネクタアセンブリの実施形態を示す。
【図２９】図２９は、リザーバと注入コネクタアセンブリの実施形態を示す。
【図３０】図３０は、リザーバと注入コネクタアセンブリの実施形態を示す。
【図３１】図３１は、リザーバと注入コネクタアセンブリの実施形態を示す。
【図３２】図３２は、リザーバと注入コネクタアセンブリの実施形態を示す。
【図３３】図３３は、リザーバと注入コネクタアセンブリの実施形態を示す。
【図３４Ａ】図３４Ａは、注入システムに使用されるように構成されたポンプアセンブリを示す。
【図３４Ｂ】図３４Ｂは、注入システムに使用されるように構成されたポンプアセンブリを示す。
【図３５】図３５は、注入システムに使用されるように構成されたポンプアセンブリを示す。
【図３６】図３６は、注入システムに使用されるように構成されたポンプアセンブリを示す。
【図３７Ａ】図３７Ａは、鍔部アセンブリおよび対応する注入コネクタの実施形態を示す。
【図３７Ｂ】図３７Ｂは、鍔部アセンブリおよび対応する注入コネクタの実施形態を示す。
【図３７Ｃ】図３７Ｃは、鍔部アセンブリおよび対応する注入コネクタの実施形態を示す。
【図３８Ａ】図３８Ａは、鍔部アセンブリおよび対応する注入コネクタの別の実施形態を示す。
【図３８Ｂ】図３８Ｂは、鍔部アセンブリおよび対応する注入コネクタの別の実施形態を示す。
【図３８Ｃ】図３８Ｃは、鍔部アセンブリおよび対応する注入コネクタの別の実施形態を示す。
【図３９Ａ】図３９Ａは、鍔部アセンブリおよび対応する注入コネクタの別の実施形態を示す。
【図３９Ｂ】図３９Ｂは、鍔部アセンブリおよび対応する注入コネクタの別の実施形態を示す。
【図３９Ｃ】図３９Ｃは、鍔部アセンブリおよび対応する注入コネクタの別の実施形態を示す。
【図４０Ａ】図４０Ａは、鍔部アセンブリおよび対応する注入コネクタの別の実施形態を示す。
【図４０Ｂ】図４０Ｂは、鍔部アセンブリおよび対応する注入コネクタの別の実施形態を示す。
【図４０Ｃ】図４０Ｃは、鍔部アセンブリおよび対応する注入コネクタの別の実施形態を示す。
【図４１Ａ】図４１Ａは、リザーバと、鍔部および注入コネクタと接続する注入カバーコネクタとの実施形態を示す。
【図４１Ｂ】図４１Ｂは、リザーバと、鍔部および注入コネクタと接続する注入カバーコネクタとの実施形態を示す。
【図４１Ｃ】図４１Ｃは、リザーバと、鍔部および注入コネクタと接続する注入カバーコネクタとの実施形態を示す。
【図４２Ａ】図４２Ａは、リザーバと、鍔部および注入コネクタと接続する注入カバーコネクタとの実施形態を示す。
【図４２Ｂ】図４２Ｂは、リザーバと、鍔部および注入コネクタと接続する注入カバーコネクタとの実施形態を示す。
【図４２Ｃ】図４２Ｃは、リザーバと、鍔部および注入コネクタと接続する注入カバーコネクタとの実施形態を示す。
【図４３Ａ】図４３Ａは、ポンプ装置と接続する図４１Ａ、４１Ｂ、４１Ｃのアセンブリを示す。
【図４３Ｂ】図４３Ｂは、ポンプ装置と接続する図４１Ａ、４１Ｂ、４１Ｃのアセンブリを示す。
【図４４Ａ】図４４Ａは、鍔部アセンブリおよび対応する注入コネクタの別の実施形態を示す。
【図４４Ｂ】図４４Ｂは、鍔部アセンブリおよび対応する注入コネクタの別の実施形態を示す。
【図４４Ｃ】図４４Ｃは、鍔部アセンブリおよび対応する注入コネクタの別の実施形態を示す。
【図４５Ａ】図４５Ａは、鍔部アセンブリおよび対応する注入コネクタの別の実施形態を示す。
【図４５Ｂ】図４５Ｂは、鍔部アセンブリおよび対応する注入コネクタの別の実施形態を示す。
【図４５Ｃ】図４５Ｃは、鍔部アセンブリおよび対応する注入コネクタの別の実施形態を示す。
【図４６Ａ】図４６Ａは、鍔部アセンブリおよび対応する注入コネクタの別の実施形態を示す。
【図４６Ｂ】図４６Ｂは、鍔部アセンブリおよび対応する注入コネクタの別の実施形態を示す。
【図４７Ａ】図４７Ａは、鍔部アセンブリおよび対応する注入コネクタの別の実施形態を示す。
【図４７Ｂ】図４７Ｂは、鍔部アセンブリおよび対応する注入コネクタの別の実施形態を示す。
【図４８Ａ】図４８Ａは、リザーバと、鍔部および注入コネクタと接続する注入カバーコネクタとの実施形態を示す。
【図４８Ｂ】図４８Ｂは、リザーバと、鍔部および注入コネクタと接続する注入カバーコネクタとの実施形態を示す。
【図４８Ｃ】図４８Ｃは、リザーバと、鍔部および注入コネクタと接続する注入カバーコネクタとの実施形態を示す。
【図４９Ａ】図４９Ａは、リザーバと、鍔部および注入コネクタと接続する注入カバーコネクタとの実施形態を示す。
【図４９Ｂ】図４９Ｂは、リザーバと、鍔部および注入コネクタと接続する注入カバーコネクタとの実施形態を示す。
【図４９Ｃ】図４９Ｃは、リザーバと、鍔部および注入コネクタと接続する注入カバーコネクタとの実施形態を示す。
【図５０Ａ】図５０Ａは、ルアーロック式鍔部システムの実施形態を示す。
【図５０Ｂ】図５０Ｂは、ルアーロック式鍔部システムの実施形態を示す。
【図５０Ｃ】図５０Ｃは、ルアーロック式鍔部システムの実施形態を示す。
【図５０Ｄ】図５０Ｄは、ルアーロック式鍔部システムの実施形態を示す。
【図５１Ａ】図５１Ａは、鍔部アセンブリおよび対応する注入コネクタの別の実施形態を示す。
【図５１Ｂ】図５１Ｂは、鍔部アセンブリおよび対応する注入コネクタの別の実施形態を示す。
【図５１Ｃ】図５１Ｃは、鍔部アセンブリおよび対応する注入コネクタの別の実施形態を示す。
【図５２Ａ】図５２Ａは、鍔部アセンブリおよび対応する注入コネクタの別の実施形態を示す。
【図５２Ｂ】図５２Ｂは、鍔部アセンブリおよび対応する注入コネクタの別の実施形態を示す。
【図５２Ｃ】図５２Ｃは、鍔部アセンブリおよび対応する注入コネクタの別の実施形態を示す。
【図５３Ａ】図５３Ａは、鍔部アセンブリおよび対応する注入コネクタの別の実施形態を示す。
【図５３Ｂ】図５３Ｂは、鍔部アセンブリおよび対応する注入コネクタの別の実施形態を示す。
【図５３Ｃ】図５３Ｃは、鍔部アセンブリおよび対応する注入コネクタの別の実施形態を示す。
【図５４Ａ】図５４Ａは、鍔部アセンブリおよび対応する注入コネクタの別の実施形態を示す。
【図５４Ｂ】図５４Ｂは、鍔部アセンブリおよび対応する注入コネクタの別の実施形態を示す。
【図５４Ｃ】図５４Ｃは、鍔部アセンブリおよび対応する注入コネクタの別の実施形態を示す。
【図５５Ａ】図５５Ａは、リザーバと、鍔部および注入コネクタと接続する注入カバーコネクタとの実施形態を示す。
【図５５Ｂ】図５５Ｂは、リザーバと、鍔部および注入コネクタと接続する注入カバーコネクタとの実施形態を示す。
【図５５Ｃ】図５５Ｃは、リザーバと、鍔部および注入コネクタと接続する注入カバーコネクタとの実施形態を示す。
【図５６Ａ】図５６Ａは、リザーバと、鍔部および注入コネクタと接続する注入カバーコネクタとの実施形態を示す。
【図５６Ｂ】図５６Ｂは、リザーバと、鍔部および注入コネクタと接続する注入カバーコネクタとの実施形態を示す。
【図５６Ｃ】図５６Ｃは、リザーバと、鍔部および注入コネクタと接続する注入カバーコネクタとの実施形態を示す。
【図５７Ａ】図５７Ａは、注入コネクタと、注入コネクタカバーと、その構成要素の実施形態を示す。
【図５７Ｂ】図５７Ｂは、注入コネクタと、注入コネクタカバーと、その構成要素の実施形態を示す。
【図５７Ｃ】図５７Ｃは、注入コネクタと、注入コネクタカバーと、その構成要素の実施形態を示す。
【図５８Ａ】図５８Ａは、リザーバと、注入コネクタと、注入コネクタカバーと、その構成要素の実施形態の一部の分解組立図を示す。
【図５８Ｂ】図５８Ｂは、リザーバと、注入コネクタと、注入コネクタカバーと、その構成要素の実施形態の一部の分解組立図を示す。
【図５８Ｃ】図５８Ｃは、リザーバと、注入コネクタと、注入コネクタカバーと、その構成要素の実施形態の一部の分解組立図を示す。
【図５９Ａ】図５９Ａは、図５７Ａおよび図５７Ｂの注入コネクタおよびカバーと接続されたポンプアセンブリと、薬剤リザーバとを示す。
【図５９Ｂ】図５９Ｂは、図５７Ａおよび図５７Ｂの注入コネクタおよびカバーと接続されたポンプアセンブリと、薬剤リザーバとを示す。
【図６０Ａ】図６０Ａは、注入コネクタと、注入コネクタカバーと、薬剤リザーバと、その構成要素の実施形態を示す。
【図６０Ｂ】図６０Ｂは、注入コネクタと、注入コネクタカバーと、薬剤リザーバと、その構成要素の実施形態を示す。
【図６１Ａ】図６１Ａは、薬剤リザーバを満たすシステムを示す。
【図６１Ｂ】図６１Ｂは、薬剤リザーバを満たすシステムを示す。
【図６１Ｃ】図６１Ｃは、薬剤リザーバを満たすシステムを示す。
【図６２Ａ】図６２Ａは、薬剤リザーバのピストンの接続に用いられる挿入部を示す。
【図６２Ｂ】図６２Ｂは、薬剤リザーバのピストンの接続に用いられる挿入部を示す。
【図６２Ｃ】図６２Ｃは、薬剤リザーバのピストンの接続に用いられる挿入部を示す。
【図６２Ｄ】図６２Ｄは、薬剤リザーバのピストンの接続に用いられる挿入部を示す。
【図６２Ｅ】図６２Ｅは、薬剤リザーバのピストンの接続に用いられる挿入部を示す。
【図６２Ｆ】図６２Ｆは、薬剤リザーバのピストンの接続に用いられる挿入部を示す。
【図６３Ａ】図６３Ａは、デュアル注入セットのベースの斜視図を示し、図６３Ａは、挿入器も示す。
【図６３Ｂ】図６３Ｂは、デュアル注入セットのベースの斜視図を示す。
【図６４Ａ】図６４Ａは、デュアル薬剤分配コネクタの斜視図を示し、図６４Ａは、分配コネクタ用のカバーも示す。
【図６４Ｂ】図６４Ｂは、デュアル薬剤分配コネクタの斜視図を示す。
【図６５Ａ】図６５Ａは、デュアル薬剤注入セットの図を示す。
【図６５Ｂ】図６５Ｂは、デュアル薬剤注入セットの上面視における断面図を示す。
【図６６Ａ】図６６Ａは、単一薬剤注入セットのベースにおいて挿入器が取り付けられた図を示す。
【図６６Ｂ】図６６Ｂは、単一薬剤注入セットのベースにおいて挿入器が取り外された図を示す。
【図６７Ａ】図６７Ａは、単一薬剤分配コネクタの斜視図を示し、図６７Ａは、分配コネクタ用のカバーも示す。
【図６７Ｂ】図６７Ｂは、単一薬剤分配コネクタの斜視図を示す。
【図６８Ａ】図６８Ａは、単一薬剤注入セットの図を示す。
【図６８Ｂ】図６８Ｂは、単一薬剤注入セットの上面視における断面図を示す。
【図６９Ａ】図６９Ａは、デュアル薬剤注入セットのベース、コネクタ、カバーの構成を示す。
【図６９Ｂ】図６９Ｂは、デュアル薬剤注入セットのベース、コネクタ、カバーの構成を示す。
【図６９Ｃ】図６９Ｃは、デュアル薬剤注入セットのベース、コネクタ、カバーの構成を示す。
【図６９Ｄ】図６９Ｄは、デュアル薬剤注入セットのベース、コネクタ、カバーの構成を示す。
【図６９Ｅ】図６９Ｅは、デュアル薬剤注入セットのベース、コネクタ、カバーの構成を示す。
【発明を実施するための形態】
【００６５】
多薬剤（例えば、医薬品、ホルモンなど）治療法式の欠点は、患者または医師が間違った薬剤を誤って装入、移送および／または投与し得ることである。患者に間違った薬剤を誤って投与することは、深刻かつ命にかかわる可能性のある結果を有し得る。例えば、糖尿病患者の血糖を調節するための標準的治療のインスリン療法は、インスリンポンプを用いるインスリンの皮下注入を含み得る。インスリンの用量が過剰である場合、低血糖または低血糖が差し迫った状況を生じ得る。そのような有害な状況に対処し、および／またはそれを改善するため、患者個人が一般に炭水化物（例えば、甘いジュースまたはブドウ糖錠剤）を追加的に摂取し、かつ場合により、また、いわゆる「救助的用量」のグルカゴンなどの対抗調節的薬剤（ｃｏｕｎｔｅｒ  ｒｅｇｕｌａｔｏｒｙ  ａｇｅｎｔ）を投与し得る。そのような適用例では、グルカゴンは、一般に、応急用具から溶液へと戻されて、筋肉内に手動で投与される。糖尿病の発症中、患者がインスリンを必要としたがグルカゴンを誤って与えられた場合、その投与は計り知れない影響を与え、死に至る可能性もある。
【００６６】
１つの効果をもたらすために単一薬剤が使用される一方、逆の効果をもたらすために他の薬剤が使用される薬剤の投与（例えば、インスリンおよびグルカゴンの場合）において、適切なチャネル配置は重要である。糖尿病の薬物が使用される例では、不適切なチャネル配置は、多くの多薬剤治療法式において（例えば、膵酵素などを調節する薬物において）有害効果を有し得る。なぜなら、薬剤は、必要なときに患者に投与されないか、または誤った薬剤が危険レベルで投与されるためである。
【００６７】
多薬剤自動システムでは、薬剤が誤ったリザーバに誤って挿入される場合、自動システムは、効果のない（および潜在的に有害な）薬剤を患者に送達することになる。この自動システムにおける誤った薬剤投与の現象は、交差チャネル配置（cross-channelling）と呼ばれる。交差チャネル配置は、間違った薬剤が意図した効果とは反対の効果または予期せぬ副作用を有することがあるために危険である。この不適切なチャネル配意は、患者の症状を緩和しないことがあり得るだけでなく、患者の症状を悪化させることもあるか、または患者に新しい問題状態を引き起こすこともある。例えば、この不適切なチャネル配置は、負のフィードバックループを生じることがあり、ここで、制御システムが患者の病状を一方向に調整しようとするが、間違った薬剤が送達されることにより、病状が悪化するかまたはその病状に対して全く効果を生じない。これを感知して、制御システムは、間違った薬剤のさらなる投薬をもたらして患者の状態を制御しようとし得るが、実際には患者の状態をさらに悪化させる（または間違った薬剤を過剰投与する）。
【００６８】
本明細書で説明する注入システムおよび構成部品のいくつかの実施形態は、交差チャネル配置の発生を最小限にするように構成されている。本明細書では、患者への各薬剤の適切なチャネル配置を保証する、多薬剤用の注入システムならびに様々なコネクタ、チューブ、およびカートリッジが説明されている。注入システムおよび構成部品のいくつかの実施形態について、１つ以上の所望の改善を実現するために用いられ得る様々な例を説明す
るために下記で説明するが、これらの例は説明に過ぎず、提示された全体的な本発明ならびに本発明の様々な態様および特徴を何ら限定するものではない。本明細書で使用される表現法および用語法は、説明のためのものであり、および限定であるとみなされるべきではない。本明細書に開示される特徴、構造、またはステップは、必須または不可欠ではない。
【００６９】
本明細書で説明するいくつかの実施形態は、注入システムのいくつかの構成部品に設計特徴および／または嵌合コネクタまたはアダプタを設けることにより交差チャネル配置がない、多薬剤を投薬するための注入システムに関する。いくつかの実施形態において、注入システムは、２つ以上の注入チャンバ、駆動軸、またはポンプチャンバを備える注入ポンプと、異なる薬剤が充填されたカートリッジと、薬剤の誤チャネル配置または交差チャネル配置を防止するようにカートリッジおよび注入ポンプに接続するコネクタおよびチューブとからなる。いくつかの変形形態において、各タイプの薬剤用の各タイプのカートリッジは、１つ以上の独特の差別化特徴（カートリッジの一体部分として、またはカートリッジに取り付けられるかもしくは付着される構成部品として）、例えば幾何学的なまたは形状ベースの特徴を有して、ポンプハウジング内の対応する特徴に係合する独特の差別化特徴をそれ自体が有するコネクタのタイプと特異的に結合できるようにし、かつ注入ポンプ内の適切な注入チャンバ、駆動軸、またはポンプチャンバに適切なカートリッジを挿入できるようにする。
【００７０】
いくつかの変形形態において、システムは、患者へ薬剤を送達できるようにする１つ以上の手段（例えば、送達部材）を有するハウジングを備えるベースを含む。システムのいくつかの変形形態において、ハウジングは、１つ以上の薬剤リザーバから薬剤を受け入れるように構成される１つ以上の分配コネクタを含む分配セットに接続される。システムのいくつかの実施形態において、１つ以上の流体管は、リザーバとコネクタセットとの間に流体連通をもたらす。様々な実装形態では、１つ以上のコネクタを含むコネクタセットは、流体管をリザーバに結合する。システムのいくつかの変形形態において、リザーバは、リザーバから管へ薬剤を分配し、それにより、システムに薬剤を供給するように構成されたポンプ装置内に配置される。いくつかの実施形態において、流体管は、ベース内の指定の送達部材（例えば、針、カニューレなど）で終端する別個の経路を提供して、薬剤の別々の独立した皮下送達を可能にする。
【００７１】
いくつかの実施形態において、特異的に嵌合するコネクタおよび設計要素により、システムの各部分がシステム内で特異的な方法または構成においてのみ接続され得るようにし、それにより交差チャネル配置を確実に防止する。いくつかの実施形態において、設計特徴は、以下の利点を生じる：（１）注入システムは、使用者が、両方の薬剤源からならびに注入ポートまたは部位から独立して簡単にチャネルの接続を行いかつ接続を切ることができるようにし；（２）注入システムは、間違ったチューブを間違った薬剤源または注入部位へ誤って接続することによる誤チャネル配置の可能性を低下させ（例えば、単一薬剤システムの１つのチューブと１つのポンプリザーバとの間に配置されるコネクタを他のチューブおよびリザーバのコネクタと異ならせることにより）；および（３）注入システムは、デュアルカニューレ注入部位またはポートの単一または多段階挿入を可能にする。いくつかの実施形態において、ここで説明する構成部品（コネクタ、ベース、ポート、チャネルなど）は、本明細書に開示する様々な対にされた物理的特徴に加えてまたはその代わりに、可視的または絞り（ｂｒａｉｌ）型のコールアウトをさらに含み得る。例えば、いくつかの実装形態において、構成部品は、適切な薬剤を指す言い回しのコールアウトを含み得る。いくつかの変形形態において、異なる色または長さ（または他の変数）が、適切な構成部品のための適切な薬剤に関する可視的フィードバックを提供する。
【００７２】
いくつかの実施形態において、上述の通り、注入システムを使用して、様々な液体キャ
リアに溶解された様々な薬剤（例えば、薬物、ホルモン、タンパク質、医薬品、生物学的製剤など）のための別個の流路を提供し得る。いくつかの実施形態において、特定のキャリアでの薬剤の溶解性、安定性、または感応性に基づいて、異なる液体ビヒクルが好ましいことができる。いくつかの実施形態において、水溶液（緩衝液など）が薬剤の送達用のビヒクルとして使用される。いくつかの変形形態において、ＤＭＳＯなどの溶媒を使用して薬剤を溶解する。いくつかの実施形態において、溶媒／水性混合物を使用する。
【００７３】
ＤＭＳＯが単独でまたは部分的な水溶液として使用されるときなど、溶媒が薬剤用のキャリアとして使用される場合、システムを作製するために使用される材料からの薬剤の汚染の可能性を最小限にすることが望ましい。例えば、溶媒が使用されるとき、注入システムの各特徴は、薬剤賦形剤に溶解し得るグルーおよび他の材料を回避するためにインサート成形され得る。いくつかの実施形態において、射出成形は使用されない。いくつかの実施形態において、ここで説明する注入システムを使用して、グルーおよび固定液を溶解しない、より弱い溶媒および／または無機溶液（例えば、水）に溶解する薬物を送達し得る。いくつかの実施形態において、そのような薬物システムを使用するとき、注入システムの特徴は、一緒に膠付けされ得るか、または他の方法で付着され得る。
【００７４】
いくつかの変形形態において、注入システムは、一致形状を有する適合した／対にされた構成部品（例えば、ネジ山、チューブ、リザーバ、送出口、注入口など）を使用して供給される薬剤のみを受け入れるように構成され得る、１つ以上の特定の形状にされたバイアル、バイアルキャップ、接続部、およびハウジングを含む。いくつかの変形形態において、これらの対にされたコネクタセットは、誤チャネル配置の回避を支援する。いくつかの実施形態において、バイアル、バイアルキャップ、接続部、およびハウジングの特徴は、それらの嵌合取付部品とのみ対にされ得る。いくつかの実施形態において、例えば、第１の薬剤は、第１の薬剤経路のみを通って送達され、および第２の薬剤は、第２の薬剤経路のみを通って送達され得る。
【００７５】
いくつかの実施形態において、上述の通り、注入システムは、注入セット、流体管、注入ポンプ、および２つ以上の薬剤経路を含む。いくつかの実装形態において、薬剤経路は、１つの経路からの設計要素を他の経路からの設計要素と混合および適合させることを防止する設計特徴を含む。例えば、いくつかの変形形態において、流体管は、２つ以上のチャネルを有し、各チャネルは、異なる薬剤経路を提供するように構成される。いくつかの実施形態において、注入セットは、別個の分配カニューレに通じる薬剤経路を含む。いくつかの実施形態において、分配コネクタは、流路からカニューレへ薬剤を提供する。いくつかの実施形態において、これらのコネクタは個別に成形され、かつ注入ハウジング内の特定のポートにのみ係合し得るため、接続部は、ハウジングに配置された他のポートに接続できない。
【００７６】
様々な実施形態において、２つ以上のチャネルは、薬剤リザーバからの別個の注入口コネクタとのみ相互作用するように構成される。いくつかの実施形態において、これらの注入口コネクタは、薬剤が間違った薬剤経路に入ることを防止する。いくつかの実施形態において、これらのコネクタは個別に成形され、かつ流体管または注入ポンプの特定のポートにのみ係合し得るため、接続部は他の薬剤経路に接続できない。
【００７７】
１つ以上の所望の改良を達成するために用いられ得る様々な例を示すため、様々なシステムの構成部品を下記で説明する。これらの例は、説明に過ぎず、提示された全体的な本発明ならびに本発明の様々な態様および特徴を何ら限定するものではない。さらに、本明細書で使用する表現法および用語法は、説明のためのものであり、限定とみなされるべきではない。本明細書に開示する特徴、構造、またはステップは、必須または不可欠ではない。簡潔にするため、本明細書に開示するシステムは、２つの薬剤経路を提供するとして
示されている。しかしながら、これと同じ戦略を使用して追加的な経路（３個、４個、５個、６個以上）が準備され得る。さらに、これらの経路は、非交差として示されている。いくつかの実装形態において、特定の薬剤システム用の経路は、交差するように構成され得ることが認識されるべきである。いくつかの実施形態において、いくつかの経路の交差点は、注入の直前に別個のリザーバからの別個の薬剤を事前に混合する。例えば、３つの薬剤システムでは、薬剤ＡおよびＢは流路を共有できるが、薬剤Ｃは、ＡおよびＢの経路と相互作用しないように構成されたそれ自体の経路を有する。薬剤ＡおよびＢは、注射前に混合され得るが、薬剤Ｃは、注射前に他の薬剤がないままである。
【００７８】
いくつかの実施形態において、図１〜４Ｂに示すように、注入システム００１はベース１００を含む。いくつかの変形形態において、ベースは、ハウジング１０５を含み、かつ分配コネクタセット２００と連通している。いくつかの実装形態において、分配セット２００は、第１の分配コネクタ２１０および第２の分配コネクタ２２０を含む。いくつかの変形形態において、第１の分配コネクタ２１０および第２の分配コネクタ２２０は交換可能ではなく、その代わりに、ハウジング１０５の設計特徴を介して指定の位置においてベース１０５と相互作用できるのみである。例えば、図４Ａおよび図４Ｂに示すように、いくつかの実施形態において、ハウジング１０５は、それぞれ第１の分配コネクタ２１０および第２の分配コネクタ２２０とのみ相互作用するような形状にされた第１の流体注入口１１０および第２の流体注入口１２０を含む。
【００７９】
いくつかの実施形態において、第１の分配コネクタ２１０および第２の分配コネクタ２２０は、独立してまたは結合して、ハウジング１０５およびコネクタ２１０、２２０の設計特徴を介してベース１００に可逆的に結合可能である（図４Ａ〜５に示すように）。
【００８０】
いくつかの変形形態において、図３Ａ〜Ｂおよび図５に示すように、ハウジング１０５は、第１のカニューレ１３０（例えば、針、穿刺手段など）および第２のカニューレ１３５（例えば、針、穿刺手段など）を含む。いくつかの実施形態において、穿刺手段は、剛性（例えば、硬い）または非剛性（例えば、柔軟性）であり得る材料を含む。いくつかの実装形態において、穿刺手段は、金属材料（例えば、鉄、ステンレス鋼、合金など）、ポリマー材料（例えば、プラスチック、テフロン、ポリウレタン、ポリエチレンなど）、複合材料、またはこれらの組み合わせを含む。いくつかの実施形態において、第１のカニューレ１３０は、第１の分配コネクタ２１０を介してのみ流体を受け入れ、および第２のカニューレは、第２の分配コネクタ２２０を介してのみ流体を受け入れる。いくつかの実施形態において、分配コネクタ２１０、２２０と第１のカニューレ１３０および第２のカニューレ１３５との間において流路内に別々の特徴があるため、流体の交差汚染はない。いくつかの実施形態において、図５に示すように、針１３０、１３５は保護カバー１３１、１３６を備え得る。これらの保護カバーは、使用前のアセンブリの操作中の針の損傷を防止し得る。カバーはまた、使用前の針の汚染のリスクを最小限にし得る。いくつかの実施形態において、カバー１３１、１３６は、使用される注入セット用の安全捕捉器（ｓａｆｅｔｙ  ｃａｐｔｕｒｅ  ｒｅｃｅｐｔａｃｌｅｓ）として使用され得る。カバーは、注入セットの廃棄を容易にし、かつ汚染のリスクを最小限にし得る。
【００８１】
いくつかの実施形態において、図１〜５に示すように、注入システムは、複数のチャネル３１０、３２０を有する流体管３００をさらに含む。いくつかの実施形態において、流体管は、第１のチャネル３１０および第２のチャネル３２０を含む。いくつかの変形形態において、第１のチャネル３１０および第２のチャネル３２０は、第１の分配コネクタ２１０および第２の分配コネクタ２２０とそれぞれ流体連通している。いくつかの実施形態において、第１のチャネル３１０は第１の分配コネクタ２１０にボンディングされ（例えば、膠付け、溶接、インサート成形、または他の方法で付着される）、および第２のチャネル３２０は、第２の分配コネクタ２２０にボンディングされているため、一方のコネク
タが交換されると、一致する流体チャネルも交換される。いくつかの実施形態において、チャネルは、分配コネクタにボンディングされない代わりに、間違った分配コネクタとのチャネルの交差嵌合を防止する様々な取付特徴（例えば、ネジ山、突起、特殊構成、チャネル結合器など）を有する。
【００８２】
いくつかの実装形態において、図１〜５に示すように、第１のチャネル３１０および第２のチャネル３２０は、注入口コネクタを介して薬剤リザーバ（図示せず）と流体連通するように構成される。いくつかの変形形態において、システムは、第１の注入口コネクタ４１０および第２の注入口コネクタ４２０（例えば、キャップ）を含む。いくつかの変形形態において、第１の注入口コネクタ４１０および第２の注入口コネクタ４２０は、異なる形状のリザーバと相互作用するように構成される。例えば、いくつかの実施形態において、第１の注入口コネクタ４１０と相互作用するリザーバは、リザーバおよびキャップの形状が異なるため、第２の注入口コネクタ４２０と相互作用しない。反対に、いくつかの実施形態において、第２の注入口コネクタ４２０と相互作用するリザーバは、リザーバおよびキャップの形状が理由で、第１の注入口コネクタ４１０と相互作用しない。いくつかの実施形態において、図１〜５に示すように、第１のチャネル３１０および第２のチャネル３２０は、それぞれ第１の注入口コネクタ４１０および第２の注入口コネクタチャネル４２０と流体連通するように構成される。いくつかの実施形態において、第１のチャネル３１０は第１の注入口コネクタ４１０にボンディングされ、および第２のチャネル３２０は第２の注入口コネクタ４２０にボンディングされる（溶接、射出成形、膠付けなど）ため、一方の注入口コネクタが交換されると、一致する流体チャネルも交換される。いくつかの実施形態において、チャネルは、注入口コネクタにボンディングされず、その代わりに、間違った注入口コネクタとのチャネルの交差嵌合を防止する取付特徴を有する。
【００８３】
いくつかの実施形態において、第１のチャネルは、第２のチャネルと長さが異なり、特定の構成において注入ポンプとの接続を容易にする。いくつかの実施形態において、図１に示すように、注入口コネクタは、いずれの薬剤が注入システムの特定の領域に送達されるべきかについて使用者にさらに示すために異なる色であり得る。
【００８４】
いくつかの実施形態において、第１の注入口コネクタ４１０は、嵌合設計特徴（例えば、ネジ山、キャップなど）を介して、特定の形状およびサイズにされた第１の薬剤リザーバ（図示せず）と相互作用して、それらのリザーバとのみ確実に使用されるようにするように構成される。第２の注入口コネクタ４２０はまた、第１の注入口コネクタで使用され得るものと異なるリザーバコネクタの第２の構成を介して、特定の形状およびサイズにされた第２の薬剤リザーバと相互作用するように構成される。異なる経路を形成するのに適合する管およびコネクタを設けることにより、第１のリザーバからの薬剤は第１のカニューレ１３０にのみ送達され、および第２のリザーバからの薬剤は第２のカニューレ１３５にのみ送達される。この特徴は、薬剤の交差チャネル配置を防止するのを促進し、かつ多薬剤注入システムの安全使用を保証する。
【００８５】
いくつかの実施形態において、上述の通り、注入システムはまた、多薬剤ポンプを含む。いくつかの実施形態において、ポンプはまた、特定の構成の薬剤容器および特定の形状にされたリザーバのみが特定の送達経路に挿入され得るような形状にされる。注入ポンプは、薬剤リザーバから流体管３００（多ルーメンチューブであり得る）へ薬剤を送達する（すなわち、ポンプで送り込む）役割を果たす。その後、流体管は、薬剤を、個々の流路を経由して、薬剤を患者の皮下に送達する注入セット２０まで運ぶ。
【００８６】
いくつかの変形形態において、上述の通りおよび図３Ａおよび図３Ｂに示すように、ベース１００は、複数の指定の針１３０、１３５を含む。図３Ａおよび図３Ｂに示す針１３０、１３５は、ほぼ同じ長さであるが、針は、異なる長さの針を使用して皮膚の下側に同
じまたは異なる深さで挿入され得る。いくつかの実装形態において、針の長さの比は、少なくとも約：１：１、１：１．５、１：２、１：５、１：１０、上述の値の間の値、および他の値である。さらに、針は、異なる形状および輪郭を有し得る。いくつかの実施形態において、薬剤は、別々にまたは一緒に、別々の穿刺要素（例えば、針またはカニューレ）を使用して経皮的に、皮内に、皮下に、筋肉内に、または静脈内に送達され得る。皮下という用語を、本開示を通していくつかの例で使用するが、本明細書で説明する方法は、経皮的、皮内、皮下、筋肉内、または静脈内への送達のいずれかに適用可能であり、および皮下という用語の使用は例示的に使用される。いくつかの実施形態において、経皮的な送達中、単一薬剤または多薬剤が、例えば、浸透促進剤（例えば、例えばＤＭＳＯ、アゾン（ａｚｏｎｅ）、ピロリドン、脂肪酸、精油、テルペン、テルペノイド、オキサゾリジノ、尿素などの溶媒）を使用してまたは使用せずに皮膚の表面に送達され得る。いくつかの実装形態において、皮内への送達中、単一薬剤または多薬剤は、約８ｍｍ以下、約６ｍｍ、約４ｍｍ、約２ｍｍ、約１ｍｍ、または約０．５ｍｍだけ皮膚に突き刺す穿刺要素（例えば、顕微針など）を介して送達され得る。いくつかの変形形態において、薬物は、トロカールを使用して皮膚の下に配置され得るカテーテル１３０、１３５によって送達される。
【００８７】
いくつかの実施形態において、カニューレ角度は、互いに対して独立して変更され得る。例えば、いくつかの実施形態において、カニューレが互いに対して０°の角度にある場合、針は位置合わせされている。いくつかの実施形態において、カニューレは、互いに対して約０°超、約５°、約１０°、約１５°、約２０°、約３０°、または約４０°の角度にある。
【００８８】
図４に示すように、いくつかの変形形態において、分配コネクタ２１０、２２０は、ハウジング１０５から係合解除され、かつハウジングからユニットとして（例えば、コネクタセット２００として）取り外され得る。図１〜５に示すように、いくつかの実施形態において、左および右側の分配コネクタがある。いくつかの実施形態において、左側分配コネクタ２１０（すなわち、第１の分配コネクタ）は、ハウジング１０５および／または左側分配コネクタ２１０の設計要素を介してハウジング１０５の左側とのみ相互作用するように構成される。同様に、いくつかの実施形態において、右側分配コネクタ２２０（すなわち、第２の分配コネクタ）は、ハウジング１０５の右側とのみ相互作用するように構成される。対応する注入システム部分の、ある特徴とのみ係合するこの能力は、別々の薬剤流路を維持するのを促進する（なぜなら、分配コネクタを一方の側から他方の側へ単に切り替えることができないためである）。
【００８９】
いくつかの実施形態において、コネクタ２１０、２２０はタブ２１２、２２２を含む。いくつかの実施形態において、タブ２１２、２２２（例えば、パッド、レバーなど）は、テクスチャー加工（例えば、リブ付き、刻み付き、研磨など）されて、分配コネクタ２１０、２２０のそれぞれの押し下げまたは位置決め中に牽引力をもたらす。いくつかの実施形態において、これらのパッドは、分配コネクタの２１０、２２０個々のまたはセット２００としての片手での結合および切り離しを可能にする。この特徴により、患者は、動きやすさおよび／または敏捷さが限られている患者でも、コネクタ２１０、２２０を操作してそれらを係合しかつ係合解除できる。いくつかの実施形態において、パッドは、適所で音を立て、コネクタが係合したという聴覚信号を与える。いくつかの実施形態において、取り付けの視覚的な確認は不要である。
【００９０】
いくつかの変形形態において、図４〜７に示すように、タブ２１２、２２２は、接続部材２１４、２２４（例えば、フランジ、リップ、溝、戻り止めなど）を含み、それらは、ハウジング１０５上の固定開口１１４、１２４に係合して分配コネクタ２１０、２２０を固定する。これらの特徴は、分配コネクタ２１０、２２０をハウジング１０５に確実にシ
ールするのを促進する。いくつかの実装形態において、タブ２１２、２２２は片手で押し下げられて、接続部材２１４、２２４を係合解除し、かつ分配コネクタ２１０、２２０を解放し得る。
【００９１】
いくつかの実装形態において、図４、図５、および図７に示すように、ベース１００は、突出する第１の流体注入口１１０および第２の流体注入口１２０を含む。これらの突出する流体注入口１１０、１２０は、それぞれ第１の分配コネクタ２１０および第２の分配コネクタ２２０の対応する接続開口に係合するように構成されている。いくつかの実施形態において、第１の流体注入口１１０および第２の流体注入口１２０は、第１の分配コネクタ２１０および第２の分配コネクタ２２０の開口にそれぞれ適合するように異なる形状にされる。この特徴はまた、薬剤の交差チャネル配置を防止するように実装され得る。
【００９２】
図５に示すように、いくつかの変形形態において、ベース１００は、注入セットを患者の皮膚に固定するように構成された接着面１０２（接着テープ、ゲルなど）を含む。いくつかの実装形態において、ベース１００は支持面１０４（例えば、フォームパッド）を含み、この面は、ハウジング１０５に係合し、かつ接着面１０２（例えば、粘着性フォーム）への接続点を提供する。いくつかの実施形態において、接着面１０２、支持面１０４、およびハウジング１０５は複数の開口を有し、これらの開口は、位置合わせし、かつ針１３０、１３５が通過できるように構成される。いくつかの実施形態において、展開される前にベースを適切に位置合わせするように、インサータが設けられ得る。インサータは、針１３０、１３５を皮膚に迅速に挿入するためのバネ荷重を含むことができ、患者（または医師）がベースの位置を指示できるようにする。
【００９３】
同様に図５に示すように、いくつかの実装形態において、分配コネクタ２１０、２２０は、針２１６、２２６を受け入れるように構成される。いくつかの実施形態において、針２１６、２２６は、分配コネクタ２１０、２２０の製作中、分配コネクタ２１０、２２０の流体管開口２５０、２６０内の適所にヒートボンディング（またはヒートステイキング、インサート成形、そうでなければ膠付け、溶接、または付着）され得る。いくつかの変形形態において、針２１６、２２６は取り外し可能であり、交換可能である。
【００９４】
いくつかの実施形態において、図７Ａ〜１２に示すように、分配コネクタ２１０、２２０の第１の針２１６および第２の針２２６は、それぞれハウジング１０５の第１の流体注入口１１０および第２の流体注入口１２０内に存在する第１の隔壁１１２および第２の隔壁１２２を穿刺するように構成されている。
【００９５】
これらの隔壁１１２、１２２は、第１の流体注入口１１０および第２の流体注入口１２０を経由して分配コネクタ２１０、２２０の接続を行いかつ接続を切るときの、薬剤の望まれない漏れを防止するように構成され得る。いくつかの実施形態において、隔壁１１２、１２２は、針が摩擦なしに隔壁を通って挿入できるようにする入口スリット１１３、１２３を含む。この特徴は、流体管内の座屈および背圧を最小限にする。座屈および／または背圧は、コネクタ内（例えば、円錐状の注入口１１１内）に塊状の堆積が形成される原因となることにより、またはチャネル内に空隙を生じることにより、薬剤の一様でない送達の原因となり得る。
【００９６】
図７Ｄに示すように、いくつかの実施形態において、ハウジング１０５の流体注入口は、円錐状の注入口１１１を含んで、分配コネクタの針をハウジング１０５の流路内に案内し得る。穿刺されると、隔壁１１２、１２２は、流体を、針２１６、２２６を通ってハウジング１０５まで、および針１３０、１３５から出るように通過させることができ、個々の薬剤経路を他の薬剤経路によって汚染されていない状態に保つ。いくつかの実施形態において、針１３０、１３５は、ハウジング１０５内で適所に付着される（例えば、ヒート
ステイキング、インサート成形、そうでなければ膠付け、溶接、または付着される）。場合により、患者は、針固定剤に存在するグルーおよび接着剤に対してアレルギーを有し得る。従って、ヒートステイキングを使用して針をハウジング内にシールして、これらの患者のアレルギー性反応を回避し得る。
【００９７】
いくつかの実施形態において、図７Ａ〜９に示すように、固定リング１１６、１２６を使用して隔壁１１２、１２２を適所に固定し、針またはチャネルの座屈を回避し得る。いくつかの実施形態において、リングは、ベース１００内にヒートステイキングまたは超音波溶接され得る。いくつかの実装形態において、リングは使用されず、および流体注入口は、溶融されるかまたはそうでなければ適所に付着される。いくつかの実施形態において、リングは交換可能である。
【００９８】
いくつかの実装形態において、図８および図９に示すように、および本明細書の他の箇所で説明したように、第１の分配コネクタ２１０および第２の分配コネクタ２２０は、ハウジングから別々に除去され得る。図１０および図１１に示すように、それらはまた、ハウジング１０５からユニット（例えば、分配セット２００）として同時に除去され得る。
【００９９】
分配コネクタの容易な除去およびその個々の可動性は、交差チャネル配置を防止するのを支援する。例えば、場合により、使用者は、分配コネクタのうちの１つを交換し、および他のものを適所に残すことを望み得る。分配コネクタ２１０、２２０の設計特徴および掌性を考えると、欠陥のある分配コネクタを交換するとき、同じタイプの分配コネクタによって交換されるのみであり得る（例えば、第１の分配コネクタは、交換用第１の分配コネクタによって交換され得るに過ぎず、および第２の分配コネクタの形状を有する交換用分配コネクタにより交換されない）。
【０１００】
いくつかの変形形態において、図８、図９、および図１３に示すように、第１の分配コネクタ２１０は、第２の分配コネクタ２２０上のファスナー用開口２２８（例えば、溝）と相互作用する第１の分配コネクタ２１０上に配置された係合用ファスナー２１８（例えば、突起、あり継手、舌部など）を介して第２の分配コネクタ２２０に係合するように構成される。この設計要素は、交換中の分配コネクタの置き違いを防止するのをさらに支援する（なぜなら、２つの「第２の」分配コネクタをつなげることができず、および２つの「第１の」分配コネクタは、あり継手により、ハウジング上で物理的に互いが係合するのを阻止し得るためである）。いくつかの実施形態において、これらの特徴は存在せず、および接続／ハウジングアセンブリの他の特徴が適切な結合を保証する。
【０１０１】
いくつかの実施形態において、溝および舌部は、個々の分配コネクタ上に含まれ得る。これらは、隣接するコネクタの一致特徴と相互作用して、所望の特定の方法で一緒に使用され得るに過ぎない非対称的なコネクタを提供し得る（それにより交差チャネル配置を制限する）。
【０１０２】
いくつかの実施形態において、ハウジングは、相補的な要素を有するコネクタとの所望の相互作用のみを可能にする設計要素を含み得る。例えば、図１２に示すように、いくつかの変形形態において、ハウジング１０５は、第１のガイド部材１５０および第２のガイド部材１６０を含む。いくつかの実装形態において、第１のガイド部材１５０は、第１の分配コネクタ２１０の対応する第１のスライド開口２３０に係合し、および第２のスライド部材１６０は、第２の分配コネクタ２２０の対応する第２のスライド開口２４０に係合する。いくつかの実施形態において、これらの部材は存在せず、および接続／ハウジングアセンブリの他の特徴が適切な結合を保証する。
【０１０３】
ガイド部材／スライド開口構成は、存在する場合、本明細書で説明する他の特徴のよう
に、第１の分配コネクタ２１０のみが第１の流路と相互作用でき、および第２の分配コネクタ２２０のみが第２の流路と相互作用できるようにする。これは、係合用ファスナー２１８およびファスナー用開口２２８が存在しない場合にも該当する。例えば、ガイド部材／スライド開口構成は、交換中に分配コネクタの置き違いを防止するように構成される（なぜなら、２つの「第２の」分配コネクタはハウジングに同時につながれないためである
−  スライド開口はスライド部材から見て外方に向く）。従って、注入システムのこの特徴はまた、流路が維持され、かつ交差チャネル配置の機会が最小限にされ得ることを保証する。いくつかの実施形態において、３つ以上の薬剤が個別に送達される場合、雄型および雌型コネクタ構成の追加的な形状およびサイズを使用して分配コネクタを適所にロックし得る（第１および第２の雌型開口にそれぞれ収まる第１および第２の雄型形状）。
【０１０４】
いくつかの実施形態において、図１〜４に示すように、分配コネクタセット２００およびベース１００は、注入セット２０を含む。図１〜４に示すように、流体管３００は２つ以上のチャネルを含むことができ、各チャネルは、特定のタイプの薬剤を注入セット２０上の適切な注入口ポートに送達するように適合されている。多チャネルルーメンアセンブリ３００によって形成された複数のチャネル（例えば、流路）は、一緒に結合および切り離しが行われて、患者が注入システムを組み立て、アセンブリの１つ以上のチューブを交換し、または日常使用中および通常の日常生活中にルーメンアセンブリのチューブが絡まったりまたは物体に引っかかったりするのを防止するのを支援し得る。
【０１０５】
複数のチャネルは、各チャネルが単一または多ルーメンチャネルであり得る場合には独立したチャネルにより、帯ひもによりまたは各チャネルが単一または多ルーメンチャネルであり得る場合には何らかの他の方法により接合されたチャネルにより、または囲まれたルーメンがアレイにまたは同心ルーメンとして配置される場合には単一の多ルーメンチャネルにより、注入ポンプと注入セット２０との間の全長にわたり得る。
【０１０６】
いくつかの実装形態において、流体管３００は、注入ポンプ内に配置されたリザーバから注入セット２０へ薬剤を運ぶのを促進する。注入セット２０はまた、注入ポンプと注入部位との間の間隙に延びる流体管アセンブリのチューブまたはチャネルのそれぞれと対となり得るチャネル配置システムを組み込み得る。注入セットは、流体管および分配コネクタセット２００に対して接続され、接続を切られ、または再接続され得る。いくつかの実装形態において、上述の通り、注入セット２０は、複数のチャネルを通して患者に多薬剤を注入する。
【０１０７】
上述の通り、いくつかの実施形態において、流体管アセンブリ３００は、薬剤経路またはチャネルを形成する第１のチャネル３１０および第２のチャネル３２０を含む。第１のチャネル３１０および第２のチャネル３２０の端部分は、必要に応じて特徴要素を含んで、薬剤の誤チャネル配置を防止するのを支援し得る。例えば、端部分のいずれかまたは両方とも、特定の嵌合の好ましい選択を与える異なるネジ山、サイズ、および形状を備える特徴を用い得る。
【０１０８】
図１〜４に示すように、流体管のチャネル３１０、３２０は、チャネル結合器３３０によって一緒に結合されるように構成され得る。そのため、必要に応じて互いに引き離され得るかまたは分離され得る。いくつかの実施形態において、これは繰り返し行われ得る。例えば、チャネルは、チューブの長さの少なくとも一部分にわたって結合され得る。いくつかの実施形態において、チャネル結合器３３０は、チャネルが絡まるのを防止する。いくつかの実施形態において、図４Ｂに示すように、チャネル結合器３３０は、一方のチャネル３２０に付着され得、および他方のチャネル３１０は、それに可逆的に取り付けられ得る。いくつかの実施形態において、チャネル結合器３３０は、一方のチャネルに永久的に結合され、かつ他方に摩擦嵌めされ得るか、または両方に対して摩擦嵌めされ得る。い
くつかの実施形態において、チャネル結合器は、実質的にチャネルの長さであり得るか、またはチャネルの全長よりも短いことができる。いくつかの実施形態において、結合器は、チャネルの長さの約７５％未満、約５０％、約４０％、約３０％、約２０％、または約１０％未満であり得る。それよりも短い結合器は、ケーブルに沿って摺動することができる。それよりも長い結合器は、剛性を高め、かつ摺動する量を減少させる。
【０１０９】
いくつかの実施形態において、チャネル結合器３３０は、チャネルのかなりの長さまたはチャネルの部分的な長さに沿って延び得る。いくつかの実施形態において、チャネル結合器３３０は、チャネルに剛性を与え、患者へのボーラス注入、またはチャネル内に空隙を引き起こし得る流体圧力を防止する。いくつかの実施形態において、剛性により、絡まったりまたはねじれたりすることなく衣服の下でチャネルを装用できるようにする。
【０１１０】
いくつかの実装形態において、図１〜４および図１４に示すように、第１のチャネル３１０は、注入口コネクタ４１０にある開口を介して第１の注入口コネクタ４１０に係合する。図１〜４に示すように、いくつかの実施形態において、第２のチャネル３２０は、注入口コネクタ４２０にある開口を介して第２の注入口コネクタ４２０に係合する。図１〜４に示すように、第１の注入口コネクタ４１０および第２の注入口コネクタ４２０は、誤った薬剤を有する流体リザーバとの相互作用を防止するために異なるサイズおよび形状にされ、それにより交差チャネル配置のリスクを最小限にし得る。図示の通り、第１の注入口コネクタ４１０は、外径（ＯＤ）の大きい長いスカートを有し、かつ第２の注入口コネクタ４２０は、ＯＤが小さい短いスカートを有し得る。スカートのサイズが異なることにより、接続済みのリザーバのスカートへの挿入中、追加的な選択性を与え得る。例えば、バイアルは、いくつかのスカートに収まらないように構成され得る。さらに、いくつかのスカートは、注入ポンプ内の誤った位置に挿入されないように構成され得る。
【０１１１】
図１４〜１６に示すように、いくつかの実施形態において、第１のチャネル３１０は、第１の注入口コネクタ４１０に結合する第１の薬剤リザーバ５１０に挿入するように構成された第１の穿刺要素３１６（例えば、針、カニューレなど）を含む。いくつかの実施形態において、針３１６は、対を形成する突起に挿入することにより、第１の薬剤リザーバ５１０上の第１のリザーバ隔壁５１４を穿刺する。いくつかの実施形態において、第１のリザーバ５１０は、注入ポンプのピストンによって押し下げられるように適合された第１のプランジャー５１２を有する。
【０１１２】
いくつかの実施形態において、図１４に示すように、第１の注入口コネクタカバー４３０（例えば、副キャップなど）は、第１の対を形成する突起４１２を介して第１の注入口コネクタ４１０と相互作用するように構成される。いくつかの変形形態において、カバー４３０は、第１の流体管３１０に成形されて、永久に取り付けられる。いくつかの実施形態において、カバー４３０および第１の流体管３１０は、可逆的に取り付け可能である。いくつかの実施形態において、図示しないが、第１の注入口コネクタカバー４３０は、流体管３１０に沿って自由に可動である一方、針３１６は、第１の対を形成する突起４１２に成形され、そこに固定されている。いくつかの実施形態において、第１の注入口コネクタカバー４３０は、第１の対を形成する突起４１２を介して第１の注入口コネクタ４１０にヒートステイキングされる。いくつかの実施形態において、流体管は、第１の注入口コネクタおよびカバー内で自由に回転できる。これにより、流体管のねじれを回避するのを支援する。いくつかの実施形態において、第１の注入口コネクタカバー４３０および第１の注入口コネクタは、圧縮性Ｏリング４１７によって分離される。このＯリングは、カバーとコネクタとを密結合させて、それらを密封できるようにする。いくつかの実施形態において、圧縮性Ｏリング４１５が第１の注入口コネクタカバー４３０のネジ山の周りに存在して、雄ネジを介した融合ポンプへの密な接続を容易にする。
【０１１３】
いくつかの変形形態において、第１のカバー４３０は、注入ポンプ上の嵌合受口と相互作用しかつ係合するように構成された第１の外部係合手段４３４（例えば、雄ネジ）を含む。いくつかの実施形態において、第１のカバー４３０は、第１の対を形成する突起４１２と係合するように構成された第１の対を形成する開口４３２を含む。いくつかの実施形態において、第１のカバー４３０は、第２の対を形成する突起４２２と係合しないように構成された第１の対を形成する開口４３２を含む。
【０１１４】
図１４〜１８に示すように、いくつかの実装形態において、第１の注入口コネクタ４１０は、第１の薬剤リザーバ５１０と相互作用するように構成される。いくつかの実施形態において、第１の注入口コネクタ４１０は、内部リザーバカバー４５０を受け入れるように構成される。いくつかの実施形態において、内部リザーバカバー４５０は、１つ以上の内部キャップ延長部材４５２に存在する１つ以上のリザーバカバー突起４５４を介してリザーバ隔壁５１４に係合する。
【０１１５】
いくつかの実施形態において、第１の注入口コネクタ４１０内に適切に挿入されるようにするため、リザーバは、内部リザーバカバー４５０を装着される必要がある。いくつかの実施形態において、カバー突起４５４は、適切なリザーバとのみ、例えば、第２のリザーバ５２０ではなく第１のリザーバ５１０と相互作用するように構成され得る。これらの特徴は、薬剤の交差チャネル配置をさらに防止し得る。
【０１１６】
いくつかの実施形態において、図１４〜１８に示すように、第１の注入口コネクタ４１０は、第１の係合部材リップ４１６を備える第１の注入口コネクタ係合部材４１４を含む。いくつかの実装形態において、このリップ４１６は、内部リザーバカバー４３０と相互作用して、カバーと適切なリザーバ５１０を係合し得る。これらの特徴はまた、リザーバの不整合を防止するために使用され、さらに薬剤の交差チャネル配置を防止し得る。
【０１１７】
図２０および図２１に示すように、いくつかの実施形態において、第２のチャネル３２０は第２の穿刺要素３２６（例えば、針、カニューレなど）を含む。いくつかの実施形態において、図１９〜２０に示すように、穿刺要素３２６は、第２の注入口コネクタ４２０に結合する第２の薬剤リザーバ５１０に挿入されるように構成される。いくつかの実施形態において、針３２６は、対を形成する突起に挿入することにより、第１の薬剤リザーバ５１０にある第２のリザーバ隔壁５２４を穿刺する。
【０１１８】
いくつかの実施形態において、図１９〜２１に示すように、第２の注入口コネクタカバー４４０（例えば、副キャップなど）は、第２の対を形成する突起４２２を介して第２の注入口コネクタ４２０と相互作用するように構成される。いくつかの変形形態において、カバー４４０は、第２の流体管３２０に成形されて、永久的に取り付けられる。いくつかの実施形態において、カバー４４０および第２の流体管３２０は、可逆的に取り付け可能である。いくつかの実施形態において、第２の注入口コネクタカバー４４０は、第１の対を形成する突起４２２を介して第１の注入口コネクタ４２０にヒートステイキングされる。図示しないいくつかの実施形態において、第２の注入口コネクタカバー４４０は、流体管３２０に沿って自由に可動であるが、針３２６は、第２の対を形成する突起４２２に成形されて、そこに固定される。いくつかの実施形態において、流体管は、第２の注入口コネクタおよびカバー内で自由に回転できる。この特徴は、流体管のねじれを回避するのを促進する。いくつかの実施形態において、第２の注入口コネクタカバー４４０および第２の注入口コネクタは、圧縮性Ｏリング４２７によって分離される。このＯリングは、カバーおよびコネクタを密結合して、それらを密封できるようにする。いくつかの実施形態において、圧縮性Ｏリング４２５が第１の注入口コネクタカバー４３０のネジ山の周りに存在し、雄ネジを介して融合ポンプへの密な接続を容易にする。いくつかの実施形態において、ＤＭＳＯなどの溶媒を使用して薬剤を溶解できるため、注入システムの各特徴は、Ｄ
ＭＳＯまたは他の有機溶媒に溶解し得るグルーおよび他の材料を回避するためにインサート成形され得る。いくつかの実施形態において、より弱溶媒または無機溶媒を使用する場合（例えば、水）、注入システムの特徴は、膠付けまたは他の方法で一緒に付着され得る。
【０１１９】
いくつかの変形形態において、図１９〜２２に示すように、第２のカバー４４０は、注入ポンプにある嵌合受口と相互作用しかつ係合するように構成された第２の外部係合手段４４４（例えば、雄ネジ）を含む。いくつかの実施形態において、第２のカバー４４０は、第２の対を形成する突起４２２と係合するように構成された第２の対を形成する開口４４２を含む。いくつかの実施形態において、第２のカバー４４０は、第１の対を形成する突起４１２と係合しないように構成される第２の対を形成する開口４４２を含む。
【０１２０】
図１９〜２１に示すように、いくつかの実装形態において、第２の注入口コネクタ４２０は、第２の薬剤リザーバ５２０と相互作用するように構成される。いくつかの実施形態において、第２のリザーバ５２０は、注入ポンプのピストンによって押し下げられるように適合された第２のプランジャー５２２を有する。いくつかの実施形態において、第２の注入口コネクタ４２０内に適切に挿入されるようにするためにリザーバがリザーバカバー４３０を装備する必要はない。この特徴は、薬剤の交差チャネル配置をさらに防止し得る。
【０１２１】
いくつかの実施形態において、図１９〜２２に示すように、第２の注入口コネクタ４２０は、第２の係合部材リップ４２６を備える第２の注入口コネクタ係合部材４２４を含む。いくつかの実装形態において、このリップ４２６は、第２のリザーバ５２０の隔壁５２４と相互作用し得る。これらの特徴はまた、リザーバの不整合を防止するために使用され、さらに薬剤の交差チャネル配置を防止し得る。
【０１２２】
いくつかの実施形態において、図１７および図１８に示すように、第１の注入口コネクタ４１０は、第１のガイド要素４１８（例えば、突出している特徴）を含む。いくつかの実施形態において、第２の注入口コネクタ４２０は、第２のガイド要素４２８（例えば、レール）を含む。いくつかの実施形態において、これらの特徴は、例えば、注入ポンプ内の特定の開口内への配置を容易にし得る一方、誤った開口内への挿入を阻止（または防止）する。いくつかの実施形態において、第２の注入口コネクタは、第２の転動体を含む。転動体は、使用者が注入ポンプにリザーバを挿入するときにポンプ内にリザーバを配置するのを支援し得る。
【０１２３】
図２３および図２４に示すように、いくつかの実施形態において、第２のリザーバ５２０が第１の注入口コネクタ４１０内に配置されるとき、それらは結合できない。例えば、図２４に示すように、第２のリザーバ５２０の本体は、第１の注入口コネクタ４１０内に十分に挿入するか、または第１の穿刺要素３１６によって穿刺されるようにするのを許容しないのに十分な直径である。さらに、いくつかの実施形態において、第１の注入口コネクタ４１０（例えば、係合部材リップ４１６）の特徴は、第２のリザーバ５２０に係合しない。これにより、結合が誤っていることを示すフィードバックを患者または使用者に直ちに提供する。従って、いくつかの実装形態において、リザーバの不整合は回避され、かつ交差チャネル配置が防止され得る。
【０１２４】
図２５〜２７に示すように、いくつかの実施形態において、第１のリザーバ５１０が第２の注入口コネクタ４２０に近接して配置されるとき、それらは結合できない。例えば、図２５〜２７に示すように、いくつかの実施形態において、内部リザーバカバー４５０は、第１のリザーバ５１０が第２の注入口コネクタ４２０内に挿入されるのを阻止するようなサイズにされ得る。従って、リザーバ５１０は、第２の穿刺要素３２６によって穿刺さ
れない。これにより、結合が誤っていることを示すフィードバックを患者または使用者に直ちに提供する。従って、いくつかの実装形態において、リザーバの不整合が回避され、かつ交差チャネル配置が防止され得る。
【０１２５】
図２８〜３３は、注入口コネクタの様々な実施形態を示す。図２８および図２９の注入口コネクタは、注入ポンプの誤った位置への挿入を阻止しかつ正しい位置への挿入を促す突起を含む。図３０〜３３は、正しい注入ポンプ受口内への正しいリザーバの結合および配置を容易にし、防止する注入口コネクタの図を示す。例えば、図示の通り、注入口コネクタは、バネ仕掛けであり得る展開可能なスタンドを有する。間違ったバイアルが挿入されるとき、スタンドは、展開されたままとなる。しかしながら、適切なリザーバが注入口に追加されると、スタンドは引っ込み、リザーバを注入ポンプ受口内へ配置できるようにする。２つ、３つ、４つ、５つ、６つまたはそれを上回る薬剤と一緒に使用するために複数のタイプのコネクタを提供するように、各注入口コネクタの特徴は混合および適合され得る。いくつかの実装形態において、各実施形態は、交差チャネル配置の防止を支援するのに好適である。
【０１２６】
いくつかの実施形態において、図３４Ａ〜３６に示すように、注入システム００１は、ポンプ本体６３０および１つ以上のリザーバ受口６１０、６２０を含む多薬剤ポンプ６００をさらに含む。
【０１２７】
いくつかの実施形態において、ポンプ６００は、ディスプレイ領域６０２を含む。いくつかの実施形態において、ディスプレイ領域は、薬物の投与または血中濃度に関するデータを使用者に提供し、かつそれに応じて、使用者が薬剤の分配を調整できるようにする。いくつかの実装形態において、薬物の投与はアルゴリズムによって制御され、およびポンプは、患者ステータスに基づいて自動的に用量を送達する。
【０１２８】
いくつかの実施形態において、ポンプ６００はまた、いくつかの構成部品上にある設計特徴および／または嵌合コネクタまたはアダプタを含んで、システムが交差チャネル配置を防止するように確実に適切に接続されるようにする。いくつかの実施形態において、ポンプ６００のリザーバ受口６１０、６２０は、異なる薬剤を保持するように構成される異なるリザーバ５１０’、５２０’を受け入れるように構成される。いくつかの実装形態において、図３４Ａ〜３６に示すように、第１の受口６１０は第１のリザーバ５１０’を受け入れるように構成され、および第２の受口６２０は第２のリザーバ５２０’を受け入れるように構成される。いくつかの変形形態において、第１の受口６１０は第２のリザーバ５２０’を受け入れないように構成され、および第２の受口６２０は第２のリザーバ５１０’を受け入れないように構成される。
【０１２９】
いくつかの実装形態において、雄ネジ４３４’、４４４’を有する注入口コネクタカバー４３０’、４４０’は、ポンプ６００内にリザーバ５１０’、５２０’を保持し得る。異なる入口カバーに適合するように異なるポンプ本体が準備され得る。例えばポンプは、異なる受口を提供するように提供され、ここで、一方が第１のコネクタカバーの雄ネジ４３４に適応するように構成され、かつ他方が第２のコネクタカバーの雄ネジ４４４に適応するように構成され得る。
【０１３０】
いくつかの実施形態において、第１の注入口コネクタ４１０’は、第１の注入口コネクタカバー４３０’を注入口コネクタ４１０’およびリザーバ５１０’にロックするようにネジが切られるかまたは段が付けられる第１の対を形成する突起４１２’を含む。いくつかの実施形態において、第２の注入口コネクタ４２０’は、第２の注入口コネクタカバー４４０’を注入口コネクタ４２０’およびリザーバ５２０’にロックするようにネジが切られるかまたは段が付けられる第２の対を形成する突起４２２’を含む。いくつかの実施
形態において、これらの段付き／緊密なスナップ嵌め構成を使用するとき、可聴のクリック音により、コネクタが正しく係合されたことを使用者に知らせる。いくつかの実施形態において、本明細書の他の箇所に開示する実施形態のように、突起は、適切に適合されたカバーとのみ対となることができるような適切なサイズにされ得る。
【０１３１】
いくつかの実施形態において、図３５〜３６に示すように、ポンプは、リザーバのプランジャー５１２’、５２２’に係合するピストン６１２、６２２を含む。いくつかの実施形態において、ピストン６１２、６２２は、ピストン６１２、６２２を前方または後方へ移動させ得る主ネジ６１４、６２４によって係合される。
【０１３２】
いくつかの実施形態において、ピストンおよびリザーバは、薬剤およびリザーバの異なる構成を挿入するためにポンプ６００から交換され得る単一のアセンブリ６５０を含む。
【０１３３】
いくつかの変形形態において、ボタンまたはセンサー（例えば、容量タッチセンサー）などのアクチュエータがディスプレイ６０２の一部分の後ろ側に配置され、かつディスプレイの指定の箇所に触ることによって起動され得る。いくつかの実施形態において、容量タッチセンサーは、ピストンに信号を個別に送信し、かつ使用者が、リザーバから送達される薬物の１つ以上の態様を制御できるようにする。例えば、いくつかの実施形態において、使用者は、容量タッチセンサーの上側で指を一方向（すなわち、左、右、下、上、または他の方向）にスワイプ（またはドラッグ）することによって送達能力を変更する。
【０１３４】
いくつかの実施形態において、ポンプは、ＰＣＢが１つ以上の変数（例えば、時間、患者データなど）に基づいてピストン６１２、６２２を起動するように自動化される。ポンプ６００はまた、ファームウェアなどのメモリを含んで、様々なユーザ設定、制御方式、およびアルゴリズム、ならびに患者の様々な特徴に関するいくつかの指示および／または設定を記憶し得る。例えば、メモリは、いつおよびどの程度患者に投薬するか、および他に関する指示および／または設定を含み得る。ポンプ６００は、本明細書で説明および／または図示する機能、タスク、および／またはステップのいずれかをコンピュータおよび／またはポンプが実行できるようにするように構成されるソフトウェアまたは「アプリ」を備えるコンピュータ（例えば、スマートフォン、ラップトップなど）にポンプを接続することなどにより、患者または医師がメモリを修正（例えば、更新、プログラム、またはその他）することができるように構成され得る。
【０１３５】
いくつかの実施形態において、図３５に示すように、ポンプ６００は電源６４０（例えば、バッテリー）を含む。いくつかの変形形態において、注入ポンプ６００は薄型であり、注入ポンプをポケット内に入れて、ベルト上で、または衣服の下側で運ぶのを容易にする。図３６に示すように、可撓ケーブル６１５、６２５は、注入ポンプのモータ６１６、６２６への入力部を提供する。モータ６１６、６２６は、ギアアセンブリ６１７、６２７内のギアを駆動し、かつ主ネジを動かすのを容易にする。モータのドライブアクセスおよび主ネジは、それぞれ互いに平行となるようにかつリザーバと同じ軸にあるように構成される。これにより、注入ポンプを薄型設計にする。
【０１３６】
いくつかの実施形態において、鍔部を使用して薬剤の誤チャネル配置を回避できる。例えば、様々な特徴、例えば物理的および／または幾何学的特徴を備える１つの鍔部は、特定の薬剤のバイアルに取り付けられ得る（クリップ留め、膠付けなど）。異なる特徴を備える第２の異なる鍔部は、異なる特定の薬剤の第２のバイアルに取り付けられ得る（クリップ留め、膠付けなど）。いくつかの実施形態において、鍔部は、嵌合ポンプ凹部、注入口コネクタなどとのみ相互作用するように構成され得るため、誤チャネル配置が回避される。いくつかの実施形態において、鍔部（またはリザーバ、バイアル、またはカートリッジの一部分を取り囲む他の同様の物体／手段）が各リザーバ充填ラインの端にある単一の
場所においてリザーバ（例えば、バイアル、カートリッジなど）に追加され得る。いくつかの実施形態において、鍔部は、製薬業者が異なる薬剤充填ラインに同じカートリッジ（アンプル、バイアルなど）を使用できるようにする。いくつかの実施形態において、充填ラインから外された後、各リザーバは、各薬剤に共通のカートリッジを使用するものの、鍔部を追加することによって特定の薬物に特有のものにされ得る。いくつかの実施形態において、異なる形状にされたバイアルおよび鍔部を使用して誤チャネル配置を回避する薬剤送達システムの取り得る構成の可変性を増し得る。いくつかの実施形態において、バイアル上で１つ以上の鍔部を使用して特徴を混合および適合させ、構成の可変性を増し得る。いくつかの実施形態において、鍔部は、カートリッジのヘッド（または冠部）に接続する種類、もしくはカートリッジのネックに接続する種類、カートリッジの本体に接続する種類、またはこれらの組み合わせのいずれかである。
【０１３７】
本明細書で説明する他の実施形態のように、いくつかの実施形態において、嵌合鍔部品は、多薬剤注入ポンプ、再使用可能なペンもしくはシリンジ、または事前充填カートリッジを使用しかつ薬剤（長時間作用型インスリン類似体、即効型インスリンおよび即効型インスリン類似体、超即効型インスリンおよび超即効型インスリン類似体、異なる濃度のインスリンおよびインスリン類似体など）を送達する他の装置に適用可能である。いくつかの実施形態において、嵌合特徴は、カートリッジに加えられるとき、再使用可能なペンまたはシリンジ（またはポンプ本体、コネクタ注入口、キャップなど）において対応する特徴に係合して、適切なカートリッジのみを対応する適切な再使用可能なペンまたはシリンジ（またはポンプ本体、コネクタ注入口、キャップなど）内に挿入できるようにし得る。
【０１３８】
いくつかの実施形態において、鍔部（図３７〜５６に示す例示的な実施形態によって示すような）が設けられる。いくつかの変形形態において、鍔部は、薬剤リザーバ（カートリッジ、バイアルなど）に先付けされ、かつ図４１および図４２に示すように、リザーバのネック（ヘッドまたは冠部）に取り付けられ得るかまたは嵌められ得る。下記で、特定の鍔部、注入口コネクタ、キャップ、およびポンプを参照して変形形態について説明するが、これらの変形形態は、本明細書に開示する任意の鍔部、注入口コネクタ、キャップ、およびポンプに適用可能である。本明細書に開示する異なる鍔部の複数の部分が混合および適合されて、異なる実施形態を提供することができる。
【０１３９】
図３７Ａは、カートリッジのネックの周りに挿入する先付け鍔部アセンブリを示す、鍔部７００の実施形態の分解図を示す。図３７Ｂは、図３７Ａに示すものと同じ先付け鍔部７００の組立済みの図を示す。図３７Ｃは、リザーバのヘッド（または冠部）およびネックの上側に挿入しかつ図３７Ａ〜Ｂに示す先付け鍔部アセンブリと係合する注入口（またはキャップ）コネクタ７１０を示す。
【０１４０】
図３７Ａ〜Ｂに示すように、いくつかの実施形態において、鍔部７００は、第１の鍔部部分７０１および第２の鍔部部分７０２を含む。いくつかの変形形態において、図３７Ａ〜Ｂに示すように、これらの部分７０１、７０２は、単一の型を使用して両方の部分７０１、７０２を製作できるようにするために均等な形状にされ得る。いくつかの実装形態において、これらの部分は、異なる形状およびサイズにされる。例えば、鍔部が円形であるいくつかの実施形態において、一方の部分は円の７５％を、および他方の部分は（別の部分が存在する）２５％を構成する。このサイジングは、鍔部の大きい部分がリザーバの上側に緊密にスナップ嵌めするのを容易にし、その部分を適所に固定し得る一方、他方の部片が、例えば鍔部付きリザーバにかぶせる最中に適所に保持（または固定）されるようにする。いくつかの実施形態において、鍔部は、実質的に円形（またはリザーバの一部分を完全に取り囲む他の何らかの形状）であり、かつ鍔部にある単一のスリット（例えば、鍔部にある空間または切れ目）を介して適所にスナップ嵌めされ得る。例えば、バイアルネックはスリットを通って挿入されて、鍔部を圧縮し、そのため、鍔部は、バイアルの周り
でその元の形状に戻るようにスナップ嵌めされ得る。いくつかの実施形態において、鍔部は可撓性である。いくつかの実施形態において、鍔部は変形され得、かつその元の形状に戻る。いくつかの実施形態において、鍔部は、円弧形状にされ（円の６５％、７５％、８５％以上を構成する）、かつネックの周りにスナップ嵌めされ得る。バイアルの形状または注入口コネクタの形状に依存して、様々な形状の鍔部を使用し得ること（正方形、矩形、三角形など）に留意されたい。いくつかの実施形態において、鍔部は、リザーバを包むように組み立てられ得る１つ、２つ、３つ、４つ、またはそれを上回る部片（例えば、部分）を含む。いくつかの実施形態において、異なる鍔部部分は、混合および適合されて、誤チャネル配置を回避する薬剤送達システムの取り得る構成の可変性を増し得る。
【０１４１】
いくつかの実施形態において、図３７Ｂに示すように、異なる鍔部部分７０１、７０２は、互いに付着（溶接、膠付けなど）されて、リザーバ係合開口７０６を有する鍔部を形成し得る。いくつかの実施形態において、鍔部は、薬剤リザーバ（例えば、バイアルなど）に永久的に取り付けられ得る。いくつかの実施形態において、薬剤リザーバは再使用でき、鍔部／鍔部−キャッピングアセンブリ／バイアルアセンブリの特徴に適合する対応する特徴を備えるバルクリザーバを使用して再充填される。
【０１４２】
いくつかの実施形態において、接着剤、グルー、ゴム加工剤、または他の候補物質（ａｐｐｌｉｃａｎｔ）をカートリッジのネック（またはヘッド、冠部など）に接触する係合開口７０６の嵌合面７０５’、７０５”に適用し得る。いくつかの変形形態において、先付け鍔部の接着剤は、リザーバに対する先付け鍔部の摩擦を増大させかつその回転を減少させるかまたは防止する。いくつかの変形形態において、図３７Ａ〜Ｂに示すように、２部品の先付け鍔部の嵌合面７０５’、７０５”は、鍔部がカートリッジのネック上に組み立てられるときに付着され（例えば、ボンディング、膠付け、レーザ溶接、または他の方法で取り付けられ）得る。いくつかの実施形態において、嵌合面７０５’、７０５”は圧縮性であり（スポンジ、フォーム、ゴム、軟質プラスチック、リブ付き、ファブリックなど）、リザーバの周囲で圧縮して適所にロックできるようにする。
【０１４３】
いくつかの実装形態において、鍔部７００は、１つ以上の形状が合った縁７０７（傾斜付き、正方形にされたものなど）を含んで、鍔部７００が、対応する形状を有するリザーバと同一平面になるように相互作用できるようにする。
【０１４４】
いくつかの実施形態において、図３７Ａ〜Ｃにおけるように、先付け鍔部は、半径方向外向きに延在する１つ以上の特徴（歯、タブ、隆起、特徴など）を含む。いくつかの実施形態において、これらの隆起は、対応する受け入れ特徴を備える対応するキャップコネクタ（例えば、注入口コネクタ）とのみ結合できるようにする。いくつかの実施形態において、対応するキャップコネクタは、対応するキャビティ、溝、キー溝、またはスロットを含んで、先付け鍔部上の独特の差別化タブ、隆起、または特徴と適合する（図３７Ｃに示すように）。このようにして、１つのタイプの先付け鍔部のみが１つのタイプのキャップコネクタと特異的に嵌合し得る。いくつかの変形形態において、隆起は、キャップコネクタから半径方向内向きに延在し、かつ鍔部に配置された受け入れ特徴に係合する。
【０１４５】
例えば、いくつかの実装形態において、鍔部７００は、１つ以上（例えば、１個、２個、３個、４個、５個以上）の鍔状突起７０３（縁、リップ、クリップなどを有する突起）を含む。図３７Ａ〜Ｂの実施形態は、２つの鍔状突起を含む。いくつかの実施形態において、図示の通り、これらの突起は、鍔部のリザーバ係合開口７０６から半径方向外向きに延在する。いくつかの変形形態において、これらの鍔状突起７０３は、注入口コネクタ７１０に配置された１つ以上（例えば、１個、２個、３個、４個、５個以上）の同一場所の鍔状突起用の部材または相手方７６６（例えば、係合部材、リップ、縁、クリップ、それを含むキャビティなど）と相互作用するように構成される。図３７Ａ〜Ｃに示すように、
鍔状突起７０３は、注入口コネクタ７１０の対応する鍔状突起の相手方７６６と相互作用し得る。いくつかの実施形態において、鍔状突起７０３は、鍔状突起の相手方７６６に係合して、鍔部を適所にスナップ嵌めし、鍔部７００および注入口コネクタ７１０を一緒に保持し得る（例えば、互いに同一平面に）。いくつかの変形形態において、注入口コネクタ７１０は、鍔状突起７０３の各構成と対になる、同一場所の突起の相手方７６６を有する。いくつかの実施形態において、鍔状突起の相手方７６６は、先付け鍔部７００上の特徴（例えば、鍔状突起７０３）に係合するおよび／または鍔部７００自体に係合する捕捉機構の機能を果たす。いくつかの実施形態において、注入口コネクタ７１０の捕捉機構は、先付け鍔部の上側に押し当てられるときにわずかに拡張でき、その後、注入口コネクタ７１０が適所にスナップ嵌めし、先付け鍔部にあるタブ、隆起、または特徴、または先付け鍔部の底縁に係合し、かつキャップコネクタを先付け鍔部に確実に締結する。その後、カートリッジ、先付け鍔部、およびキャップコネクタサブアセンブリは、ポンプハウジングユニット内に締結され得る。いくつかの実施形態において、突起およびそれらの対応する相手方は存在しない。
【０１４６】
いくつかの実施形態において、複数の鍔状突起７０３が存在する場合、鍔状突起７０３は、鍔部７００の周りに均一に離間され得るため、各鍔状突起は、次の鍔状突起から等距離にある。例えば、２つの突起７０３が存在する図３７Ａ〜Ｃに示すような実施形態では、それらの突起は、鍔部上で互いに反対側に位置決めされ得る（互いに１８０°離れている）。本明細書に開示する鍔部のいくつかの変形形態において、鍔状突起は、鍔部の周りに不均一に離間され得るため、隣接する鍔状突起から、いくつかの鍔状突起は近くにあり、およびいくつかの鍔状突起は遠くにある。いくつかの実施形態において、隣接する鍔状突起は、約１８０°、約１６０°、約１４０°、約１２０°、約１００°、約９０°、約８０°、約７０°、約６０°、約５０°、約４０°、約３０°、約２０°、約１０°、上述の値の間にある値、または他の値から独立して選択される値だけ分離される。いくつかの実施形態において、複数の異なる形状にされた鍔状突起を単一の鍔部上で使用し得る。例えば、いくつかの実施形態において、鍔状突起は、多角形（例えば、三角形、正方形、半円形）、形状−棒（例えば、球−棒）などである。この可変性は、鍔部／注入口コネクタの嵌合にほぼ無制限の可変性をもたらす。
【０１４７】
図３７Ａ〜Ｃに示すように、２つの鍔部ガイド要素７０４が２つの対応する鍔部ガイド要素７６５と相互作用するように構成される。いくつかの変形形態において、鍔部は、１つ以上（例えば、１個、２個、３個、４個、５個以上）の鍔部ガイド要素（タブ、隆起など）を含む。いくつかの実施形態において、これらの鍔部ガイド要素は、鍔部から半径方向に突出し、リザーバ係合開口７０６から離れるように延在する。いくつかの実施形態において、図３７Ａ〜Ｃに示すように、これらの鍔部ガイド要素７０４は、注入口コネクタ７１０に配置された１つ以上（例えば、１個、２個、３個、４個、５個以上）の同一場所の鍔部ガイド要素トラック７６５（キャビティ、溝、キー溝、スロット、開口など）と相互作用するように構成される。本明細書に開示する鍔部のいくつかの実施形態において、上述の鍔状突起と同様に、鍔部ガイド要素７０４は、鍔部７００の周りに均一に離間され得るため、各鍔部ガイド要素７０４は、次の鍔部ガイド要素から等距離にある。例えば、図３７Ａ〜Ｃに示す実施形態では、２つの鍔部ガイド要素７０４が存在し、かつ鍔部７００上で互いに反対側に位置決めされる（互いに約１８０°離れている）。本明細書に開示する鍔部のいくつかの変形形態において、鍔部ガイド要素７０４は、鍔部の周りに不均一に離間され得るため、いくつかの突起は近くにあり、およびいくつかの突起は遠くにある。本明細書に開示する鍔部のいくつかの実施形態において、隣接する鍔部ガイド要素は、約１８０°、約１６０°、約１４０°、約１２０°、約１００°、約９０°、約８０°、約７０°、約６０°、約５０°、約４０°、約３０°、約２０°、約１０°、上述の値の間にある値、または他の値から独立して選択される値だけ分離される。いくつかの実施形態において、複数の異なる形状にされたガイド要素を単一の鍔部上で使用できる。例えば
、いくつかの実施形態において、ガイド要素は、多角形（例えば、三角形、正方形、半円形）、形状−棒（例えば、球−棒）である。この設計は、ほぼ無制限の可変性で鍔部の複数の構成をもたらし得る。いくつかの変形形態において、注入口コネクタ７１０は、鍔部ガイド要素７０４の各構成と嵌合する同一場所の鍔部ガイド要素トラック７６５（溝、キャビティ、スロット、キー穴など）を有する。いくつかの実施形態において、これらのトラックは、適切に適合した鍔部のみを注入口コネクタ上の適所に案内する。いくつかの実施形態において、ガイド要素およびそれらの対応する嵌合トラックは存在しない。
【０１４８】
いくつかの変形形態において、鍔状突起７０３（または場合により注入口コネクタ突起）は、鍔部ガイド要素７０４（または場合により注入口コネクタガイド要素）と少なくとも同程度の小ささであるかまたはそれよりも小さい。様々な実施形態において、鍔状突起７０３（または場合により注入口コネクタ突起）は、鍔部ガイド要素７０４（または場合により注入口コネクタガイド要素）と少なくとも同程度の大きさであるかまたはそれよりも大きい。いくつかの実施形態において、鍔状突起対鍔部ガイド要素のサイズの比は、約１：１０、約１：５、約１：２、約１：１、約２：１、約５：１、または約１０：１、上述の値の間にある値、または他の値である。
【０１４９】
いくつかの実施形態において、カートリッジと係合すると、鍔部７００および注入口コネクタ７１０は、鍔部付きリザーバまたは注入口コネクタ７１０のいずれも軸回転することなく互いに結合する。いくつかの実施形態において、本明細書に開示する鍔部およびコネクタの他の実施形態のように、鍔部（例えば、鍔部付きカートリッジ）および注入口コネクタは直接結合し、かつ結合中に線形方向にスナップ嵌めするように構成される。
【０１５０】
いくつかの実施形態において、図３７Ａ〜Ｃに示すように、いくつかの態様では上述の実施形態と同様に、注入口コネクタ７１０は、対を形成する突起７１２を含み得る。この対を形成する突起７１２は、本明細書の他の箇所でより詳細に説明され、および注入口コネクタカバー（図示せず）に収まり得る。
【０１５１】
いくつかの実施形態において、図３７Ａ〜Ｃに示すように、いくつかの態様では上述の実施形態と同様に、注入口コネクタ７１０は、１つ以上のガイド要素７１８（タブ、隆起、または特徴）を含み得る。いくつかの実施形態において、上述の鍔状突起と同様に、ガイド要素７１８は、注入口コネクタ７１０の周りに均一に離間され得るため、各ガイド要素７１８は、次のガイド要素から等距離にある。いくつかの変形形態において、ガイド要素７１８は鍔部の周りに不均一に離間され得るため、いくつかの突起は近くにあり、およびいくつかの突起は遠くにある。いくつかの実施形態において、隣接するガイド要素は、約１８０°、約１６０°、約１４０°、約１２０°、約１００°、約９０°、約８０°、約７０°、約６０°、約５０°、約４０°、約３０°、約２０°、約１０°、上述の値の間にある値、または他の値から独立して選択された値だけ分離される。いくつかの実施形態において、ガイド要素は、例えば、ポンプ本体内の対応する特徴（例えば、開口、キャビティなど）と相互作用することにより、注入ポンプ（例えば、注入ポンプハウジング）にある特定の開口内に配置するのを容易にし得る一方、誤った開口内への挿入を阻止（または防止）する。いくつかの実施形態において、ガイド要素およびそれらの対応する相手方は存在しない。いくつかの実施形態において、キャップは、適所にヒートステイキング（またはそうでなければ付着、膠付け、溶接など）され得る穿刺要素３１６を含む。
【０１５２】
いくつかの実施形態において、キャップコネクタの（すなわち、注入口コネクタの）ガイド要素は、キャップコネクタ上にある独特の差別化タブ、隆起、または特徴と適合するための対応するキャビティ、溝、キー溝、またはスロットを含むポンプハウジングユニットの注入チャンバ、駆動軸、またはポンプチャンバ内に挿入できるようにする。このようにして、１つのタイプのキャップコネクタのみが１つの特定の注入チャンバ、駆動軸、ま
たはポンプチャンバ内に特異的に挿入され得る。あるいは、注入口コネクタは、ポンプハウジングユニットの注入チャンバ、駆動軸、またはポンプチャンバ内にある１つ以上のタブ、隆起、または特徴と特異的に嵌合するキャビティ、溝、キー溝、またはスロット（図示せず）を含み得る。
【０１５３】
いくつかの変形形態において、ガイド要素７１８は、鍔状突起７０３、または鍔部ガイド要素７０４と少なくとも同程度の小ささであるかまたはそれよりも小さい。様々な実施形態において、ガイド要素７１８は、鍔状突起７０３または鍔部ガイド要素７０４と少なくとも同程度の大きさであるかまたはそれよりも大きい。いくつかの実施形態において、ガイド要素対鍔状突起のサイズの比は、約１：１０、約１：５、約１：２、約１：１、約２：１、約５：１、または約１０：１、上述の値の間にある値、または他の値である。いくつかの実施形態において、ガイド要素対鍔部ガイド要素のサイズの比は、約１：１０、約１：５、約１：２、約１：１、約２：１、約５：１、または約１０：１、上述の値の間にある値、または他の値である。
【０１５４】
いくつかの変形形態において、注入口コネクタ７１０は、１つ以上（２個、３個、４個、５個以上）の注入口コネクタスペーサ７３６（例えば、逃がしスリット、キャビティなど）を含む。図示の通り、図３７Ｃの注入口コネクタ７１０の２つの逃がしスリット７３６は、１８０°離れている。複数の逃がしスリットが存在するいくつかの変形形態において、逃がしスリットは、鍔部の周りに不均一に離間され得るため、いくつかの突起は近くにあり、およびいくつかの突起は遠くにある。いくつかの実施形態において、隣接する逃がしスリットは、約１８０°、約１６０°、約１４０°、約１２０°、約１００°、約９０°、約８０°、約７０°、約６０°、約５０°、約４０°、約３０°、約２０°、約１０°、上述の値の間にある値、または他の値から独立して選択された値だけ分離される。いくつかの実施形態において、この注入口コネクタスペーサ７３６は、注入口コネクタ７１０を、ポンプハウジング内に挿入されるときに圧縮できるようにするか、または鍔部／リザーバセンブリの上側で摺動されるときに拡張できるようにする。これは、嵌合特徴を含む、ポンプハウジング内へのまたは鍔部／リザーバセンブリとの緊密なスナップ嵌めでの適合を可能にする。例えば、いくつかの実施形態において、ハウジング内で最後まで挿入されると、注入口コネクタスペーサは再び拡張でき、注入口コネクタ７１０の幾何学的特徴がポンプハウジングの嵌合開口または特徴と相互作用できるようにする。この特徴は、本明細書で説明する中でも特に、リザーバをポンプハウジング内でほとんど動かさずに適切な位置に保持できるようにする。いくつかの実施形態において、図３７Ａ〜Ｃに示すものなどの単一部品の先付け鍔部７００は、注入口コネクタをカートリッジのヘッド（または冠部）にわたって押し当てることができるようにする逃がしスリット７３６と、カートリッジのヘッド（または冠部）の底面と係合するときに適所にスナップ嵌めするロック機構とを有する。
【０１５５】
鍔部の別の実施形態を図３８Ａ〜Ｃに示す。鍔部８００は、上述の鍔部７００と多くの点で類似し得るかまたは同一であり得るが、いくつかの点で異なり得る。類似点および相違点のいくつかを下記で説明する。
【０１５６】
図３８Ａ〜Ｂに示すように、鍔部８００は、第１の部分８０１および第２の部分８０２を含む。これらの部分８０１、８０２は互いに均等なものであり、かつ単一の型を使用して製作され得る。いくつかの実装形態において、上述の通り、これらの部分は、異なる形状およびサイズにされる。図３８Ａは、カートリッジのネックの周りに挿入される先付け鍔部アセンブリを示す、鍔部８００の実施形態の分解図を示す。図３８Ｂは、図３８Ａに示す同じ先付け鍔部８００の組立済みの図を示す。図３８Ｃは、リザーバのヘッド（または冠部）およびネックの上側に挿入されかつ図３８Ａ〜Ｂに示す先付け鍔部アセンブリと係合する注入口（またはキャップ）コネクタ８１０を示す。本開示を通して、装置構成部
品（例えば、鍔部、注入口コネクタ、注入口コネクタカバーなど）の別々の実施形態の同様の特徴は、同じ１０の位の数値を有するが数値的に１００だけオフセットした１つ以上の一致特徴を含み得る。例えば、鍔部７００の同様の特徴と一致する鍔部８００および鍔部９００の特徴は、それぞれ１００および２００だけオフセットされる（例えば、特徴７０３／８０３／９０３；特徴７０４／８０４／９０４など）。
【０１５７】
いくつかの実施形態において、図３８Ｂに示すように、これらの部分８０１、８０２は、互いに付着（溶接、膠付けなど）されて、薬剤リザーバ（例えば、バイアルなど）を永久的に保持し得るリザーバ係合開口８０６を有する鍔部を形成し得る。いくつかの実施形態において、接着剤、グルー、ゴム加工剤、または他の候補物質がカートリッジのネックと先付け鍔部との間の係合開口８０６の嵌合面８０５’、８０５”の一方または両方に適用されて、リザーバのネックに対する先付け鍔部の摩擦を増大させかつその回転を減少または防止し得る。いくつかの変形形態において、上述の通り、図３８Ａ〜Ｂに示すように、二部品の先付け鍔部の嵌合面８０５’、８０５”は、鍔部がカートリッジのネック上に組み立てられるときにボンディング、膠付け、レーザ溶接、または他の方法で取り付けられ得る。いくつかの実施形態において、嵌合面８０５’、８０５”は圧縮性であり（スポンジ、フォーム、ゴム、軟質プラスチック、リブ付き、ファブリックなど）、リザーバの周りで圧縮できるようにして適所にロックする。いくつかの実装形態において、鍔部８００は、１つ以上の形状が合った縁８０７（傾斜付き、合わせられたものなど）を含んで、鍔部８００がリザーバと同一平面で相互作用できるようにする。
【０１５８】
図３８Ａ〜Ｃに示すように、先付け鍔部は、対応するキャップコネクタ８１０（例えば、注入口コネクタ）とのみ結合できるようにする１つ以上のタブ、隆起、特徴を含み、および対応するキャップコネクタは、先付け鍔部上の独特の差別化タブ、隆起、または特徴に適合するキャビティ、溝、キー溝、またはスロットを含む。図３８Ａ〜Ｂに示すように、鍔部８００は、２つの鍔状突起８０３（縁、リップなどを有する突起）を含む。図３８Ａ〜Ｃに示すように、鍔状突起８０３（１つ以上）は、鍔部片８０１、８０２の分離によって二等分され得る。いくつかの変形形態において、これらの鍔状突起８０３は、図３８Ａ〜Ｃに示すように、注入口コネクタ８１０に配置された同一場所の鍔状突起の相手方８６６（リップ、縁、クリップなど）と相互作用する。いくつかの実施形態において、鍔状突起８０３は、鍔状突起の相手方８６６と係合して、鍔部を適所にスナップ嵌めし、鍔部８００および注入口コネクタ８１０を互いに同一平面に保持する。いくつかの変形形態において、注入口コネクタ８１０は、鍔状突起８０３の各構成と対になる同一場所の突起の相手方８６６を有する。いくつかの実施形態において、鍔状突起の相手方８６６は、先付け鍔部８００上の特徴（例えば、鍔状突起８０３）に係合するおよび／または鍔部８００自体に係合する捕捉機構の機能を果たす。いくつかの実施形態において、鍔部は、カートリッジのヘッド（または冠部）に接続する種類、またはカートリッジのネックに接続する種類のいずれかである。いくつかの実施形態において、注入口コネクタ８１０の捕捉機構は、先付け鍔部の上側に押し当てられるときにわずかに拡張でき、その後、注入口コネクタ８１０は適所にスナップ嵌めし、先付け鍔部のタブ、隆起、または特徴に、または先付け鍔部の底縁に係合し、およびキャップコネクタを先付け鍔部に確実に締結する。その後、カートリッジ、先付け鍔部、およびキャップコネクタサブアセンブリは、ポンプハウジングユニット内に締結され得る。
【０１５９】
いくつかの実施形態において、図３８Ａ〜Ｂに示すように、鍔部８００は、鍔部上で互いに反対側に位置決めされる（互いに１８０°離れている）２つの鍔状突起８０３を含む。いくつかの変形形態において、図３８Ａ〜Ｂに示すように、鍔部８００は、２つの鍔部ガイド要素８０４（タブ、隆起など）を含む。図示の通り、これらの鍔部ガイド要素８０４は、図３８Ｃに示す対応する注入口コネクタ８１０に配置された２つの同一場所の鍔部ガイド要素トラック８６５（キャビティ、溝、キー溝、スロット、開口など）と相互作用
するように構成される。図３８Ａ〜Ｂに示すように、２つの鍔部ガイド要素８０４が存在する場合、それらのガイド要素は、互いに約１２０°（または鍔部８００の周囲のより長い部分の周りを移動すると約２４０°）離間して位置決めされ得る。図３８Ｃに示すように、注入口コネクタ８１０は、鍔部ガイド要素８０４の各構成と対にされる同一場所の鍔部ガイド要素トラック８６５を有する。
【０１６０】
いくつかの実施形態において、図３８Ａ〜Ｃに示すように、いくつかの態様では上述の実施形態と同様に、注入口コネクタ８１０は、対を形成する突起８１２を含む。この対を形成する突起８１２について、本明細書の他の箇所でより詳細に説明する。
【０１６１】
いくつかの実施形態において、図３８Ａ〜Ｃに示すように、いくつかの態様では上述の実施形態と同様に、注入口コネクタ８１０は、３つのガイド要素８１８（タブ、隆起、または特徴を含む；１つは図示されていない）。ガイド要素８１８は、鍔部の周りに不均一に離間され得る（図４８Ｃにおいて１２０°／２４０°の位置で示すように）。いくつかの実施形態において、上述の通り、ガイド要素は、例えば、注入ポンプ（例えば、注入ポンプハウジング）内にある特定の開口内への配置を容易にするが、間違った開口内への挿入を阻止（または防止）する。いくつかの実施形態において、キャップコネクタの（すなわち、注入口コネクタの）ガイド要素は、キャップコネクタ上の独特の差別化タブ、隆起、または特徴に適合するための対応するキャビティ、溝、キー溝、またはスロットを含むポンプハウジングユニットの注入チャンバ、駆動軸、またはポンプチャンバ内に挿入できるようにする。
【０１６２】
いくつかの変形形態において、注入口コネクタ８１０は、図示の通り、１８０°だけ分離した２つの注入口コネクタスペーサ８３６（例えば、逃がしスリット）を含む。いくつかの実施形態において、この注入口コネクタスペーサ８３６は、注入口コネクタ８１０を圧縮または拡張できるようにする。これらの逃がしスリットは、ガイド要素と同様の方法でコネクタの周りにおいて離間され得る。図３７Ｃで説明した実施形態のように、スリットは、嵌合特徴を含むポンプハウジング内への緊密なスナップ嵌めでの適合を可能にする。この特徴は、本明細書で説明する中でも特に、リザーバをほとんど動くことなくポンプハウジング内の適切な位置に保持できるようにする。いくつかの実施形態において、図３８Ａ〜Ｃに示すものなどの単一部品の先付け鍔部８００は、注入口コネクタをカートリッジのヘッド（または冠部）に押し当てることができるようにする逃がしスリット８３６と、カートリッジのヘッド（または冠部）の底面と係合するときに適所にスナップ嵌めするロック機構とを有する。
【０１６３】
鍔部の別の実施形態が図３９Ａ〜Ｃに示されている。鍔部９００は、２つの別個の部片であるのとは対照的に、フィレット９０８を備えるリリーフと、フィレットから離れる開口部９０９とを有することを除いて、上述の鍔部７００と同様である。これらの類似性を考えると、いくつかの実施形態において、このアセンブリは、図３７Ａ〜Ｃの実施形態のものと同じポンプハウジングに収まり得る。図３９Ａは、カートリッジのネックの周りに挿入する先付け鍔部アセンブリを示す、鍔部９００の開放した実施形態の図を示す。図３９Ｂは、図３９Ａに示すものと同じ先付け鍔部９００の閉鎖した図を示す。図３９Ｃは、リザーバのヘッド（または冠部）およびネックの上側に挿入しかつ図３９Ａ〜Ｂに示す先付け鍔部アセンブリと係合する注入口（またはキャップ）コネクタ９１０を示す。
【０１６４】
いくつかの実施形態において、鍔部は、鍔部９００の弾力性のため、リザーバの周りで自動的に閉鎖し得る。いくつかの実施形態において、閉鎖可能である（およびいくつかの実施形態において開放可能な鍔部）という目的を踏まえた上で、フィレット９０８の代わりに、ヒンジ、継手、または他の旋回機構を使用し得る。いくつかの実施形態において、鍔部９００は、鍔部９００が閉鎖位置にあるときに互いに接触する面９０１、９０２を含
む。いくつかの実施形態において、これらの面９０１、９０２は、互いに付着（溶接、膠付けなど）されて、薬剤リザーバ（例えば、バイアルなど）を永久的に保持し得るリザーバ係合開口９０６を有する鍔部を形成し得る。いくつかの実施形態において、接着剤、グルー、ゴム加工剤、または他の候補物質がカートリッジのネックと先付け鍔部９００との間の係合開口９０６の嵌合面９０５に適用されて、リザーバのネックに対する先付け鍔部９００の摩擦を増大させかつその回転を減少または防止し得る。いくつかの変形形態において、上述の通り、嵌合面９０５は、鍔部がカートリッジのネック上に組み立てられるときにボンディング、膠付け、レーザ溶接、または他の方法で取り付けられ得る。いくつかの実施形態において、嵌合面９０５は、圧縮性（スポンジ、フォーム、ゴム、軟質プラスチック、リブ付き、ファブリックなど）であり、それらをリザーバの周りで圧縮させて適所にロックする。いくつかの実装形態において、鍔部９００は、１つ以上の形状が合った縁（傾斜付き、合わせられたものなど；図示せず）を含み、鍔部９００がリザーバと同一平面で相互作用できるようにする。
【０１６５】
いくつかの実施形態において、図３９Ａ〜Ｃにあるように、対応するキャップコネクタ（例えば、注入口コネクタ）とのみ結合できるようにする先付け鍔部は、１つ以上のタブ、隆起、特徴を含み、および対応するキャップコネクタは、先付け鍔部上にある独特の差別化タブ、隆起、または特徴と適合するための対応するキャビティ、溝、キー溝、またはスロットを含む。このようにして、１つのタイプの先付け鍔部のみが１つのタイプのキャップコネクタと特異的に嵌合し得る。例えば、鍔部９００は、２つの鍔状突起９０３（縁、リップなどを有する突起）を含む。いくつかの変形形態において、図３９Ａ〜Ｃに示すように、これらの鍔状突起９０３は、注入口コネクタ９１０に配置される２つの同一場所の鍔状突起の相手方９６６（リップ、縁、クリップなど）と相互作用するように構成される。いくつかの実施形態において、鍔状突起９０３は鍔状突起の相手方９６６に係合して、鍔部を適所にスナップ嵌めし、鍔部９００および注入口コネクタ９１０を互いに同一平面に保持する。いくつかの変形形態において、注入口コネクタ９１０は、鍔状突起９０３の各構成と対になる同一場所の突起の相手方９６６を有する。いくつかの実施形態において、鍔状突起の相手方９６６は、先付け鍔部９００上の特徴（例えば、鍔状突起９０３）に係合するおよび／または鍔部９００自体に係合する捕捉機構の機能を果たす。いくつかの実施形態において、鍔部は、カートリッジのヘッド（または冠部）に接続する種類、またはカートリッジのネックに接続する種類のいずれかである。いくつかの実施形態において、注入口コネクタ９１０の捕捉機構は、先付け鍔部の上側に押し当てられるときにわずかに拡張でき、その後、注入口コネクタ９１０は適所にスナップ嵌めし、先付け鍔部上のタブ、隆起、または特徴に、または先付け鍔部の底縁に係合し、およびキャップコネクタを先付け鍔部に確実に締結する。その後、カートリッジ、先付け鍔部、およびキャップコネクタサブアセンブリは、ポンプハウジングユニット内に締結され得る。
【０１６６】
図３９Ａ〜Ｃに示すように、２つの突起９０３が存在する場合、それらの突起は、鍔部上で互いに反対側に位置決めされ得る（互いに１８０°離れている）。いくつかの変形形態において、図３９Ａ〜Ｂに示すように、鍔部９００は、注入口コネクタ９１０に配置された２つの同一場所の鍔部ガイド要素トラック９６５（キャビティ、溝、キー溝、スロット、開口など）と相互作用するように構成された２つの鍔部ガイド要素９０４（タブ、隆起など）を含む。これらの鍔部ガイド要素は、鍔部上で約１８０°離れて配置される。いくつかの変形形態において、注入口コネクタ９１０は、鍔部ガイド要素９０４の各構成と嵌合する同一場所の鍔部ガイド要素トラック９６５を有する。
【０１６７】
いくつかの実施形態において、図３９Ａ〜Ｃに示すように、いくつかの態様では上述の実施形態と同様に、注入口コネクタ９１０は、対を形成する突起９１２を含む。
【０１６８】
いくつかの実施形態において、図３９Ａ〜Ｃに示すように、いくつかの態様では上述の
実施形態と同様に、注入口コネクタ９１０は、１８０°離間したガイド要素９１８（タブ、隆起、または特徴）を含み得る。いくつかの実施形態において、これらのガイド要素は、例えば、注入ポンプ（例えば、注入ポンプハウジング）内にある特定の開口内への配置を容易にし得る一方、誤った開口内への挿入を阻止（または防止）する。いくつかの実施形態において、キャップコネクタの（すなわち、注入口コネクタの）ガイド要素は、キャップコネクタ上の独特の差別化タブ、隆起、または特徴と適合するための対応するキャビティ、溝、キー溝、またはスロットを含むポンプハウジングユニットの注入チャンバ、駆動軸、またはポンプチャンバ内へ挿入できるようにする。
【０１６９】
いくつかの変形形態において、図３９Ｃに示すように、注入口コネクタ９１０は、２つの注入口コネクタスペーサ９３６（例えば、逃がしスリット）を含む。いくつかの実施形態において、この注入口コネクタスペーサ９３６は、ポンプハウジング内に挿入するときに注入口コネクタ９１０を圧縮できるようにする。これらの逃がしスリットは、ガイド要素と同じ方法でコネクタの周りにおいて離間され得る。図３７Ｃで説明した実施形態のように、スリットは、嵌合特徴を含むポンプハウジング内へ緊密にスナップ嵌めで適合し得る。
【０１７０】
鍔部１０００およびその注入口コネクタ１０１０の別の実施形態を図４０Ａ〜Ｃに示す。鍔部１０００は、上述の鍔部と多くの点で同様であるが、いくつかの点で異なり得る。類似点および相違点のいくつかを下記で説明する。図４０Ａ〜Ｂに示すように、鍔部１０００は、２つの別個の部片（例えば、鍔部８００’の部分８０１、８０２）であるのとは対照的に、フィレット１００８と、フィレット１００８から離れる開口部１００９とを含む。いくつかの実施形態において、この実施形態は、フィレットを含むユニタリー鍔部を除いて、図３８Ａ〜Ｃに示す実施形態と実質的に同様である。これらの類似点を考えると、いくつかの実施形態において、このアセンブリは、図３８Ａ〜Ｃの実施形態と同じポンプハウジングに収まり得る。図４０Ａは、カートリッジのネックの周りに挿入する先付け鍔部アセンブリを示す、鍔部１０００の開放した図を示す。図４０Ｂは、図４０Ａに示す同じ先付け鍔部１０００の閉鎖した図を示す。図４０Ｃは、リザーバのヘッド（または冠部）およびネックの上側に挿入しかつ図４０Ａ〜Ｂに示す先付け鍔部アセンブリと係合する注入口（またはキャップ）コネクタ１０１０を示す。
【０１７１】
いくつかの実施形態において、フィレット付き鍔部は、鍔部１０００の弾力性のため、リザーバの周りで自動的に閉鎖し得る。いくつかの実施形態において、閉鎖可能である（およびいくつかの実施形態において開放可能な鍔部）という目的を踏まえた上で、フィレット１００８の代わりに、ヒンジ、継手、または他の旋回機構を使用し得る。いくつかの実施形態において、鍔部１０００は、鍔部１０００が閉鎖位置にあるときに互いに接触する面１００１、１００２を含む。いくつかの実施形態において、これらの面１００１、１００２は、互いに付着（溶接、膠付けなど）されて、薬剤リザーバ（例えば、バイアルなど）を永久的に保持し得るリザーバ係合開口１００６を有する鍔部を形成し得る。いくつかの実施形態において、接着剤、グルー、ゴム加工剤、または他の候補物質がカートリッジのネックと先付け鍔部１０００との間の係合開口１００６の嵌合面１００５に適用され、リザーバのネックに対する先付け鍔部１０００の摩擦を増大させかつその回転を減少または防止し得る。いくつかの変形形態において、上述の通り、嵌合面１００５は、鍔部がカートリッジのネック上に組み立てられるときにボンディング、膠付け、レーザ溶接、または他の方法で取り付けられ得る。いくつかの実施形態において、嵌合面１００５は、圧縮性（スポンジ、フォーム、ゴム、軟質プラスチック、リブ付き、ファブリックなど）であり、それらをリザーバの周りで圧縮させて適所にロックできるようにする。いくつかの実装形態において、鍔部１０００は、１つ以上の形状が合った縁（傾斜付き、合わせられたものなど；図示せず）を含んで、鍔部１０００がリザーバと同一平面で相互作用できるようにする。
【０１７２】
いくつかの実施形態において、図４０Ａ〜Ｃに示すように、先付け鍔部は、対応するキャップコネクタ１０１０（例えば、注入口コネクタ）とのみ結合できるようにする１つ以上のタブ、隆起、特徴を含み、および対応するキャップコネクタは、先付け鍔部上の独特の差別化タブ、隆起、または特徴と適合するために対応するキャビティ、溝、キー溝、またはスロットを含む。
【０１７３】
例えば、いくつかの実装形態において、図示の通り、鍔部１０００は、２つの鍔状突起１００３（縁、リップなどを有する突起）を含む。いくつかの変形形態において、これらの鍔状突起１００３は、図４０Ａ〜Ｃに示すように、注入口コネクタ１０１０に配置される１つ以上の同一場所の鍔状突起の相手方１０６６（リップ、縁、クリップなど）（１つのみが見える）と相互作用するように構成される。いくつかの実施形態において、鍔状突起１００３は、鍔状突起の相手方１０６６に係合して、鍔部を適所にスナップ嵌めし、鍔部１０００および注入口コネクタ１０１０を互いに同一平面に保持する。いくつかの変形形態において、注入口コネクタ１０１０は、鍔状突起１００３の各構成と対になる同一場所の突起の相手方１０６６を有する。いくつかの実施形態において、鍔状突起の相手方１０６６は、先付け鍔部１０００上の特徴（例えば、鍔状突起１００３）に係合するおよび／または鍔部１０００自体に係合する捕捉機構の機能を果たす。いくつかの実施形態において、鍔部は、カートリッジのヘッド（または冠部）に接続する種類、またはカートリッジのネックに接続する種類のいずれかである。いくつかの実施形態において、注入口コネクタ１０１０の捕捉機構は、先付け鍔部の上側に押し当てられるときにわずかに拡張でき、その後、注入口コネクタ１０１０は適所にスナップ嵌めし、先付け鍔部のタブ、隆起、または特徴、または先付け鍔部の底縁に係合し、およびキャップコネクタを先付け鍔部に確実に締結し得る。その後、カートリッジ、先付け鍔部、およびキャップコネクタサブアセンブリは、ポンプハウジングユニット内に締結され得る。
【０１７４】
いくつかの実施形態において、図示の通り、鍔状突起１００３は、鍔部１０００の周りに均一に離間される（約１８０°離れている）。いくつかの変形形態において、図４０Ａ〜Ｂに示すように、鍔部１０００は、注入口コネクタ１０１０に配置された１つ以上の同一場所の鍔部ガイド要素トラック１０６５（キャビティ、溝、キー溝、スロット、開口など）と相互作用するように構成された２つの鍔部ガイド要素１００４（タブ、隆起など）を含む。図４０Ｂに示すように、鍔部ガイド要素は１２０°離れており、その一方が開口部１００９によって二等分されている。いくつかの変形形態において、図示の通り、注入口コネクタ１０１０は、鍔部ガイド要素１００４の各構成と嵌合する同一場所の鍔部ガイド要素トラック１０６５を有する。
【０１７５】
いくつかの実施形態において、図４０Ａ〜Ｃに示すように、いくつかの態様では上述の実施形態と同様に、注入口コネクタ１０１０は、対を形成する突起１０１２を含み得る。
【０１７６】
いくつかの実施形態において、図４０Ａ〜Ｃに示すように、注入口コネクタ１０１０は、１つ以上のガイド要素１０１８（タブ、隆起、または特徴）を含み得る。例えば、図４０Ｃに示すように、３つのガイド要素１０１８は１２０°離れており、そのうちの１つは図面では隠れている。いくつかの実施形態において、ガイド要素は、例えば、注入ポンプ（例えば、注入ポンプハウジング）内にある特定の開口内への配置を容易にする一方、誤った開口内への挿入を阻止（または防止）する。いくつかの実施形態において、キャップコネクタの（すなわち、注入口コネクタの）ガイド要素は、キャップコネクタ上の独特の差別化タブ、隆起、または特徴と適合するための対応するキャビティ、溝、キー溝、またはスロットを含むポンプハウジングユニットの注入チャンバ、駆動軸、またはポンプチャンバに挿入できるようにする。
【０１７７】
いくつかの変形形態において、図４０Ｃに示すように、注入口コネクタ１０１０は、約１８０°離れている２つの注入口コネクタスペーサ１０３６（例えば、逃がしスリット）を含む。いくつかの実施形態において、この注入口コネクタスペーサ１０３６は、注入口コネクタ１０１０を、ポンプハウジングに挿入するときに圧縮できるようにするか、またはリザーバおよびキャップがそれに挿入されるときに拡張できるようにする。これらの逃がしスリットは、ガイド要素と同じ方法でコネクタの周りにおいて離間され得る。スリットは、嵌合特徴を含むポンプハウジング内へ緊密にスナップ嵌めで適合できるようにする。
【０１７８】
図４１Ａ〜Ｃは、６個の別個の構成部品を示す：カートリッジ５１０、図３７Ａ〜Ｂの鍔部７００（いくつかの実施形態において、カートリッジのネックの周りに挿入し、かつ独特の差別化タブ、キーまたは隆起、ならびにキャップコネクタとの係合およびそれによるロックを可能にする特徴を含む）、注入口コネクタ７１０（例えば、キャップコネクタ；いくつかの実施形態において、先付け鍔部上の独特の差別化タブ、隆起、または特徴に適合するための対応するキャビティ、溝、キー溝、またはスロット、および先付け鍔部上にある特徴によってロックするための捕捉機構を含む）、注入口コネクタカバー７３０（例えば、副キャップ、同軸ネジキャップなど；いくつかの実施形態において、チューブを上下に摺動でき、およびキャップコネクタの上側に嵌ってポンプハウジングに螺合される）、針３１６（いくつかの実施形態において、キャップコネクタにオーバーモールド、ボンディング、圧入、膠付け、溶媒結合、インサート成形されるか、または他の方法で取り付けられる）、およびチューブ３１０（いくつかの実施形態において、両方のキャップコネクタにオーバーモールド、ボンディング、圧入、膠付け、溶媒結合、インサート成形されるか、または他の方法で取り付けられる）。図４１Ａ〜Ｃは、図３７Ａ〜Ｃの実施形態と様々な他の構成部品との相互作用を示すが、これは例示的な構成に過ぎず、および図３７Ａ〜Ｃに示すものに加えて他の鍔部／注入口コネクタシステムが代わりに使用され得ることが理解されるべきである。例えば、図３９Ａ〜Ｃで説明した実施形態の同様の特徴を考慮すると、図４１Ａ〜Ｃの構成部品と一緒に使用され得る。図４１Ａ〜Ｃに示すように、および本明細書の他の実施形態に関して説明するように、いくつかの実施形態において、第１のチャネル３１０は、注入口コネクタ７１０に結合する第１の薬剤リザーバ５１０内に挿入されるように構成された第１の穿刺要素３１６（例えば、針、カニューレなど）を含む。いくつかの実施形態において、針３１６は、対を形成する突起７１２に挿入することにより、薬剤リザーバ５１０上の内部リザーバカバー７５０内に配置されたリザーバ隔壁５１４を穿刺する。いくつかの実施形態において、図示の通り、第１のリザーバ５１０は、注入ポンプのピストンによって押し下げられるように適合された第１のプランジャー５１２を有する。いくつかの実施形態において、針は、注入口コネクタ７１０の内側にオーバーモールド、ボンディング、圧入、膠付け、溶媒結合、インサート成形、または他の方法で取り付けられる。いくつかの実施形態において、中空針は、キャップコネクタ内の奥まった箇所に置かれ、タッチプルーフとなるようにする。この実施形態において、図４１Ｃの針は、リザーバ５１０の上側にある隔壁５１４を穿刺した。
【０１７９】
いくつかの実施形態において、図４１Ａ〜Ｃに示すように、および本明細書の他の実施形態に関して説明するように、注入口コネクタカバー７３０（例えば、副キャップなど）は、対を形成する突起７１２を介して注入口コネクタ７１０と相互作用するように構成され得る。いくつかの実施形態において、対を形成する突起は、リブ付きであるかまたはネジが切られて、注入口コネクタカバー７３０にスナップ嵌めまたはネジ嵌めできるようにする。いくつかの実施形態において、対を形成する突起は、注入口コネクタカバー７３０にスナップ嵌めまたは螺合せず、その代わりに滑らかである。いくつかの変形形態において、カバー７３０は、流体管３１０に成形されて永久的に取り付けられる。いくつかの実施形態において、チューブ３１０は、キャップコネクタおよび中空針にオーバーモールド、ボンディング、圧入、膠付け、溶媒結合、インサート成形、または他の方法で取り付け
られて、中空針、キャップコネクタ、およびチューブを通る、開存した（ｐａｔｅｎｔ）連続的な流路を可能にする。いくつかの実施形態において、カバー７３０および流体管３１０は、可逆的に取り付け可能である。
【０１８０】
いくつかの実施形態において、図４１Ｂに示すように、注入口コネクタカバー７３０は、流体管３１０に沿って自由に可動である。いくつかの実施形態において、針３１６は、対を形成する突起７１２に成形され、かつそこに固定される。いくつかの実施形態において、注入口コネクタカバー７３０は、対を形成する突起７１２を介して注入口コネクタ７１０にヒートステイキングされる。いくつかの実施形態において、流体管は、第１の注入口コネクタおよびカバー内で自由に回転でき、これにより、上述の通り、流体管のねじれを回避するのを支援する。いくつかの変形形態において、注入口コネクタカバー７３０および注入口コネクタは、圧縮性Ｏリングによって分離される。このＯリングは、カバーおよびコネクタを密結合できるようにして、それらを一緒に密封する。いくつかの実施形態において、圧縮性Ｏリング（４１５として上述したものと同様）が第１の注入口コネクタカバー（４３０として上述したものと同様）のネジ山の周りに存在して、雄ネジを介して融合ポンプへの密な接続を容易にする。
【０１８１】
いくつかの変形形態において、カバー７３０は、注入ポンプハウジング上の嵌合受口と相互作用しかつ係合するように構成された外部係合手段７３４（例えば、雄ネジ、リブ付けなど）を含む。これらのネジ山は、ハウジングの対応するネジ山とのみ相互作用するように構成され得る。いくつかの実施形態において、カバー７３０は、対を形成する突起７１２と係合するように構成された対を形成する開口７３２を含む。いくつかの実施形態において、カバー７３０は、非嵌合の対を形成する突起と係合しないように構成される対を形成する開口７３２を含む。
【０１８２】
図４１Ａ〜Ｃに示すように、いくつかの実装形態において、注入口コネクタ７１０は薬剤リザーバ５１０と相互作用するように構成される。いくつかの実施形態において、注入口コネクタ７１０内に適切に挿入されるようにするため、リザーバは、鍔部７００を取り付けられ得る。いくつかの実施形態において、上述の通り、鍔部の突起は、適切な注入口コネクタ７１０とのみ相互作用するように構成され得る。いくつかの実施形態において、鍔部は、特定のサイズおよび直径のリザーバに適合され得る。いくつかの実施形態において、これらの異なるリザーバのための鍔部は、いくつかのリザーバとのみ相互作用し、それにより誤チャネル配置の可能性を最小限にし得る。他の実施形態において、同じリザーバを使用でき、および誤チャネル配置は、適切な鍔部の選択によって防止され得る。いくつかの実施形態において、鍔部は、システムのリザーバ、注入口、および他の構成部品を適合させるために色分けされて、誤チャネル配置をさらに防止および／または阻止し得る。
【０１８３】
図４２Ａ〜Ｃは、図４１Ａ〜Ｃのものと異なり、かつ誤チャネル配置を回避する薬物送達ポンプシステムを提供するために図４１Ａ〜Ｃのシステムと一緒に使用される６個の別個の構成部品を示す。
【０１８４】
図４２Ａ〜Ｃの実施形態の構成部品は、カートリッジ５２０、図３８Ａ〜Ｂの鍔部８００（いくつかの実施形態において、カートリッジのネックの周りに挿入し、かつ独特の差別化タブ、キー、または隆起、ならびにキャップコネクタと係合しかつそれによってロックできるようにする特徴を含む）、注入口コネクタ８１０（例えば、キャップコネクタ；いくつかの実施形態において、先付け鍔部上の独特の差別化タブ、隆起、または特徴と適合するために対応するキャビティ、溝、キー溝、またはスロットと、先付け鍔部上にある特徴によってロックするために捕捉機構とを含む）、注入口コネクタカバー８３０（例えば、副キャップ、同軸ネジキャップなど；いくつかの実施形態において、チューブを上下
に摺動でき、およびキャップコネクタの上側に嵌ってかつポンプハウジングに螺合する）、針３２６（いくつかの実施形態において、キャップコネクタにオーバーモールド、ボンディング、圧入、膠付け、溶媒結合、インサート成形、または他の方法で取り付けられる）、およびチューブ３２０（いくつかの実施形態において、両方のキャップコネクタにオーバーモールド、ボンディング、圧入、膠付け、溶媒結合、インサート成形、または他の方法で取り付けられる）を含む。図４２Ａ〜Ｃは、図３８Ａ〜Ｃの実施形態と様々な他の構成部品との間の相互作用を示すが、これは例示的な構成に過ぎず、および図３８Ａ〜Ｃに示すものに加えて他の鍔部／注入口コネクタシステムが代わりに使用できることが理解されるべきである。例えば、図４０Ａ〜Ｃで説明した実施形態の同様の特徴を考慮すると、図４２Ａ〜Ｃの構成部品と一緒に使用され得る。図４２Ａ〜Ｃに示すように、および本明細書の他の実施形態に関して説明するように、いくつかの実施形態において、第２のチャネル３２０は、注入口コネクタ８１０に結合する第２の薬剤リザーバ５２０内に挿入するように構成された第２の穿刺要素３２６（例えば、針、カニューレなど）を含む。いくつかの実施形態において、針３２６は、対を形成する突起８１２に挿入することにより、薬剤リザーバ５２０上の内部リザーバカバー８５０内に配置されたリザーバ隔壁５２４を穿刺する。いくつかの実施形態において、第２のリザーバ５２０は、注入ポンプのピストンによって押し下げられるように適合された第２のプランジャー５２２を有する。いくつかの実施形態において、針は、注入口コネクタ８１０の内側にオーバーモールド、ボンディング、圧入、膠付け、溶媒結合、インサート成形、または他の方法で取り付けられる。いくつかの実施形態において、中空針は、キャップコネクタ内で奥まった箇所に置かれ、タッチプルーフとなるようにする。この実施形態において、図４２Ｃの針は、リザーバ５２０の上側にある隔壁を穿刺した。
【０１８５】
いくつかの実施形態において、図４２Ａ〜Ｃに示すように、および本明細書の他の実施形態に関して説明するように、注入口コネクタカバー８３０（例えば、副キャップなど）が対を形成する突起８１２を介して注入口コネクタ８１０と相互作用するように構成され得る。いくつかの変形形態において、カバー８３０は、流体管３２０に成形されて永久的に取り付けられる。いくつかの実施形態において、チューブ３２０は、キャップコネクタおよび中空針にオーバーモールド、ボンディング、圧入、膠付け、溶媒結合、インサート成形、または他の方法で取り付けられて、中空針、キャップコネクタ、およびチューブを通る、開存した連続的な流路を可能にし得る。いくつかの実施形態において、カバー８３０および流体管３２０は、可逆的に取り付け可能である。いくつかの実施形態において、図４２Ｂに示すように、注入口コネクタカバー８３０は、流体管３２０に沿って自由に可動である。いくつかの実施形態において、針３２６は、対を形成する突起８１２に成形されて、そこに固定される。いくつかの実施形態において、注入口コネクタカバー８３０は、対を形成する突起８１２を介して注入口コネクタ８１０にヒートステイキングされる。いくつかの実施形態において、流体管は、注入口コネクタおよびカバー内で自由に回転でき、これにより、上述の通り、流体管のねじれを回避するのを支援する。いくつかの変形形態において、注入口コネクタカバー８３０および注入口コネクタは、圧縮性Ｏリングによって分離される。このＯリングは、カバーおよびコネクタを密結合して、それらを一緒に密封できるようにする。いくつかの実施形態において、圧縮性Ｏリング（４１５として上述したものと同様）は、第１の注入口コネクタカバー（４３０として上述したものと同様）のネジ山の周りに存在して、雄ネジを介して融合ポンプへの密な接続を容易にする。
【０１８６】
いくつかの変形形態において、カバー８３０は、注入ポンプハウジング上にある嵌合受口とのみ特に相互作用しかつ係合するように構成された外部係合手段８３４（例えば、雄ネジ、リブ付けなど）を含む。いくつかの実施形態において、カバー８３０は、対を形成する突起８１２と係合するように構成される対を形成する開口８３２を含む。いくつかの実施形態において、カバー８３０は、非嵌合の対を形成する突起と係合しないように構成される対を形成する開口８３２を含む。
【０１８７】
図４２Ａ〜Ｃに示すように、いくつかの実装形態において、注入口コネクタ８１０は、薬剤リザーバ５２０と相互作用するように構成される。いくつかの実施形態において、注入口コネクタ８１０内に適切に挿入されるようにするため、リザーバは、鍔部８００を取り付けられる必要がある。いくつかの実施形態において、上述の通り、鍔部の突起は、適切な注入口コネクタ８１０とのみ相互作用するように構成され得る。いくつかの実施形態において、鍔部は、特定のサイズおよび直径のリザーバに適合され得る。いくつかの実施形態において、これらの異なるリザーバ用の鍔部は、いくつかのリザーバとのみ相互作用でき、それにより誤チャネル配置の機会を最小限にする。他の実施形態において、同じリザーバを使用でき、および適切な鍔部の選択によって誤チャネル配置を防止できる。いくつかの実施形態において、鍔部は、システムのリザーバ、注入口、および他の構成部品を適合させるように色分けされて、誤チャネル配置をさらに防止および／または阻止できる。
【０１８８】
図４３Ａ〜Ｂは、２つの注入チャンバ、駆動軸、またはポンプチャンバのそれぞれにカートリッジ、キャップコネクタ、チューブ、および同軸ネジキャップアセンブリが部分的に載荷された状態（図４３Ａ）または完全に載荷された状態（図４３Ｂ）の２薬剤ポンプハウジング６３０のベースを示す。ポンプハウジングの左駆動軸チャンバ上の３つのキー溝または特徴は、１２０度離れた向きにされており、およびポンプハウジングの右駆動軸チャンバ上の２つのキー溝または特徴は、１８０度離れた向きにされている。左側のキャップコネクタ上の３つの外部タブ８１８または隆起は、１２０度離れた向きにされ、およびポンプハウジングの左注入チャンバ、駆動軸、またはポンプチャンバ上の対応するキャビティ、溝、キー溝、またはスロットに適合し、および右側のキャップコネクタ上の外部タブ７１８、隆起、または特徴は、１８０度離れた向きにされ、およびポンプハウジングの右注入チャンバ、駆動軸、またはポンプチャンバ上の対応するキャビティ、溝、キー溝、またはスロットに適合する。いくつかの実施形態において、図示の通り、同軸ネジキャップは、チューブに沿って自由に摺動できる。各カートリッジ、キャップコネクタ、チューブ、および同軸ネジキャップアセンブリが完全に挿入されると、４３Ｂにあるように、同軸ネジキャップは、チューブを下方に摺動し、およびポンプハウジングのネジ山に螺合できる。ここに示すカートリッジ、キャップコネクタ、チューブ、および同軸ネジキャップアセンブリは、図４１Ａ〜４２Ｃに示すものと同じ構成部品である。
【０１８９】
図４３Ａ〜Ｂに示すように、いくつかの実施形態において、第１の流体管３１０（例えば、チューブ）は、チューブを上下に摺動しかつポンプハウジングユニット（例えば、ポンプ本体６３０）に螺合できる同軸ネジキャップ（例えば、注入口コネクタカバー７３０）を通過させる。いくつかの実施形態において、第２の流体管３２０（例えば、チューブ）は、チューブを上下に摺動しかつポンプハウジングユニット（例えば、ポンプ本体６３０）に螺合できる同軸ネジキャップ（例えば、注入口コネクタカバー８３０）を通過させる。いくつかの実施形態において、完全に組み立てられたカートリッジ、キャップ、およびチューブシステム（４３Ａ〜Ｂに示すような捕捉機構を備えるキャップコネクタ、中空針、チューブ、および同軸ネジキャップからなる接続済みサブアセンブリに係合されている先付け鍔部アセンブリを備えるカートリッジからなる）は、キャップコネクタ上の独特の差別化タブ、隆起、または特徴と適合するために対応するキャビティ、溝、キー溝、またはスロットを含むポンプハウジングユニットの注入チャンバ、駆動軸、またはポンプチャンバに挿入する。いくつかの実施形態において、その後、図４３Ａ〜Ｂに示すように、同軸ネジキャップは、ポンプハウジングのネジ山に螺合する。
【０１９０】
図４４Ａ〜Ｃは、鍔部１１００および対応する注入口コネクタ１１１０の別の実施形態を示す。鍔部１１００は、多くの点で上述の鍔部と類似し得るかまたは同一であり得るが、いくつかの点で異なり得る。類似点および相違点のいくつかを下記で説明する。
【０１９１】
図４４Ａは、２つの部片１１０１、１１０２によってリザーバ（カートリッジ）のネックの周りに挿入する鍔部１１００の分解図を示す。この実施形態において、鍔部は、リザーバの冠部を含むことができるか、またはカートリッジの冠部（またはヘッド）の上側に嵌り、および蓋１１０９を経由して挿入コネクタ１１１０（図４４Ａ〜Ｃに示す）と係合する。いくつかの実施形態において、蓋１１０９は、蓋開口１１０６を含む。図４４Ｂは、４４Ａに示すものと同じ先付け鍔部アセンブリの組立済みの図である。図４４Ｃは、カートリッジのヘッド（例えば、冠部）の上側に挿入されかつ４４Ａおよび４４Ｂに示す先付け鍔部アセンブリに係合する注入口コネクタ１１１０（例えば、キャップコネクタ）を示す。この実施形態において、図４４Ａ〜Ｂに示す２つの独特の差別化タブまたは隆起１１０４（例えば、鍔部ガイド要素）は、互いに１８０°離れて位置決めされ、および鍔部ガイド要素トラック１１６５（図４４Ｃに示す）を介して対応する注入口コネクタ１１１０と結合する。図４４Ｃに示す対応するキャップコネクタ１１１０は、先付け鍔部１１００上にある２つの鍔部ガイド要素１１０４（差別化タブ、隆起、または特徴）と対となる２つの鍔部ガイド要素トラック１１６５（例えば、キャビティ、溝、キー溝、またはスロット）を含む。いくつかの実施形態において、図４４Ａ〜Ｂに示すように、先付け鍔部１１００の底縁は、鍔部１１００の全周囲を含み得る鍔状突起１１０３（リップなど）を有する。いくつかの実施形態において、鍔状突起１１０３は、図４４Ｃに示す２つの捕捉機構１１６６（一方のみを示す）によって係合できるようにするのに適切なサイズにされかつそのように位置決めされる。また、いくつかの実施形態において、図４４Ａ〜Ｃに示すように、図４４Ｃに示すキャップコネクタ１１１０は、互いに１８０度離れて位置決めされた２つのガイド要素１１１８（タブ、隆起、または特徴）を含み、これらは、キャップコネクタ上の独特の差別化タブ、隆起、または特徴と適合するためにキャビティ、溝、キー溝、またはスロットを含むポンプハウジングユニットの注入チャンバ、駆動軸、またはポンプチャンバ内に挿入できるようにする。また、いくつかの実施形態において、図４４Ｃに示すように、キャップコネクタ１１１０は、互いに１８０度離れて位置決めされた２つの注入口コネクタスペーサ１１３６（タブ、隆起、または特徴）を含む。いくつかの実施形態において、鍔部１１００は、対を形成する突起１１１２を含む。鍔部１１００および注入口コネクタ１１１０の特徴は、対を形成する開口１１３２および外部係合手段（例えば、ネジ山）１１３４を有する対応する注入口接続カバー１１３０（図示せず）と相互作用する。
【０１９２】
図４５Ａ〜Ｃは、鍔部１２００および対応する注入口コネクタ１２１０の別の実施形態を示す。鍔部１２００は、多くの点で上述の鍔部と類似し得るかまたは同一であり得るが、いくつかの点で異なり得る。類似点および相違点のいくつかを下記で説明する。
【０１９３】
図４５Ａは、２つの部片１２０１、１２０２を介してリザーバ（カートリッジ）のネックの周りに挿入される鍔部１２００の分解図を示す。この実施形態において、鍔部１２００は、リザーバの冠部を含むことができるか、またはカートリッジの冠部（またはヘッド）の上側に嵌って、蓋１２０９を介して挿入コネクタ１２１０（図４５Ａ〜Ｃに示す）に係合する。いくつかの実施形態において、蓋１２０９は、蓋開口１２０６を含む。図４５Ｂは、４５Ａに示すのと同じ先付け鍔部アセンブリの組立済みの図を示す。図４５Ｃは、カートリッジのヘッド（または冠部）の上側に挿入されかつ４５Ａおよび４５Ｂに示す先付け鍔部アセンブリと係合する注入口コネクタ１２１０（キャップコネクタ）を示す。この実施形態において、図４５Ａ〜Ｂに示す２つの鍔部ガイド要素１２０４（例えば、独特の差別化タブまたは隆起）は、互いに１２０°（または２４０°）度離れて位置決めされ、かつ鍔部ガイド要素トラック１２６５（両方とも図４５Ｃに示す）を介して対応する注入口コネクタ１２１０と結合する。図４５Ｃに示す対応するキャップコネクタ１２１０は、先付け鍔部１２００上の鍔部ガイド要素１２０４（２つの独特の差別化タブ、隆起、または特徴）と適合するための鍔部ガイド要素トラック１２６５（２つのキャビティ、溝、
キー溝、またはスロット）を含む。いくつかの実施形態において、図４５Ａ〜Ｂに示すように、先付け鍔部１２００の底縁は、鍔部１２００の全周囲に延びる鍔状突起１２０３（リップなど）を有する。いくつかの実施形態において、鍔状突起１２０３は、図４５Ｃに示す捕捉機構１２６６（そのうちの１つのみを示す）によって係合できるようにするのに適切なサイズにされかつそのように位置決めされる。また、いくつかの実施形態において、図４５Ａ〜Ｃに示すように、図４５Ｃに示すキャップコネクタ１２１０は、互いに１２０°離れて位置決めされた３つのガイド要素１２１８（タブ、隆起、または特徴）を含み、これにより、キャップコネクタ上の独特の差別化タブ、隆起、または特徴と適合するためのキャビティ、溝、キー溝、またはスロットを含むポンプハウジングユニットの注入チャンバ、駆動軸、またはポンプチャンバ内へ挿入できるようにする。本明細書の他の箇所で説明したように、他の位置が想定される。また、いくつかの実施形態において、図４５Ｃに示すように、キャップコネクタ１２１０は、互いに１８０°離れて位置決めされた２つの注入口コネクタスペーサ１２３６（タブ、隆起、または特徴）を含む。いくつかの実施形態において、鍔部１２００は、対を形成する突起１２１２を含む。鍔部１２００および注入口コネクタ１２１０の特徴は、対を形成する開口１２３６および外部係合手段１２３４を有する対応する注入口接続カバー１２３０（図示せず）と相互作用する。
【０１９４】
図４６Ａ〜Ｂは、鍔部１３００および対応する注入口コネクタ１３１０の別の実施形態を示す。鍔部１３００は、多くの点で上述の鍔部と類似し得るかまたは同一であり得るが、いくつかの点で異なり得る。類似点および相違点のいくつかを下記で説明する。
【０１９５】
図４６Ａに示すように、リザーバ（カートリッジ）のネックの周りに挿入される鍔部１３００は、単一の部片である（例えば、２つの部片を含まないか、またはフィレットを備える単一の部片である）。この実施形態において、鍔部は、リザーバの冠部を含むことができるか、またはカートリッジの冠部（またはヘッド）の上側に嵌って、蓋１３０９を介して挿入コネクタ１３１０（図４６Ａ〜Ｃに示す）と係合する。いくつかの実施形態において、蓋１３０９は蓋開口１３０６を含む。いくつかの実施形態において、図４６Ａに示すように、鍔部１３００は、１つ以上（１個、２個、３個、４個、５個、６個以上）の鍔部スペーサ１３３７を含む。図４６Ａの実施形態は、６個の鍔部スペーサ１３３７を含む。図４６Ｂは、カートリッジのヘッド（または冠部）の上側に挿入しかつ図４６Ａに示す先付け鍔部アセンブリと係合する注入口コネクタ１３１０（キャップコネクタ）を示す。この実施形態において、図４６Ａに示す３つの鍔状突起（例えば、独特の差別化タブまたは隆起）１３０４は、互いに１２０度離れて位置決めされ、かつ鍔部ガイド要素トラック１３６５（図４６Ｂにはそのうちの２つを示す）を介して対応する注入口コネクタ１３１０と結合する。図４６Ｃに示す対応するキャップコネクタ１３１０は、先付け鍔部上の鍔部ガイド要素１３０４と適合するための鍔部ガイド要素トラック１３６５（例えば、キャビティ、溝、キー溝、またはスロット）を含む。いくつかの実施形態において、先付け鍔部１３００の底縁は、鍔部１３００の全周囲に延びる鍔状突起１３０３（リップなど）を有する。いくつかの実施形態において、鍔状突起は、図４６Ｃに示す鍔状突起の相手方１３６６によって係合できるようにするのに適切なサイズにされかつそのように位置決めされる。また、いくつかの実施形態において、図４６Ｂに示すキャップコネクタ１３１０は、互いに１８０度離れて位置決めされたガイド要素１３１８（タブ、隆起、または特徴）を含み、これは、キャップコネクタ上の独特の差別化タブ、隆起、または特徴に適合するためのキャビティ、溝、キー溝、またはスロットを含むポンプハウジングユニットの注入チャンバ、駆動軸、またはポンプチャンバ内に挿入できるようにする。また、いくつかの実施形態において、図４６Ｂに示すように、キャップコネクタ１３１０は、互いに１８０°離れて位置決めされた２つの注入口コネクタスペーサ１３３６（タブ、隆起、または特徴）を含む。いくつかの実施形態において、鍔部１３００は対を形成する突起１３１２を含む。鍔部１３００および注入口コネクタ１３１０の特徴は、対を形成する開口１３３６および外部係合手段１３３４を有する対応する注入口接続カバー１３３０（図示せず）と
相互作用する。
【０１９６】
図４７Ａ〜Ｂは、鍔部１４００および対応する注入口コネクタ１４１０の別の実施形態を示す。鍔部１４００は、多くの点で上述の鍔部と類似し得るかまたは同一であり得るが、いくつかの点で異なり得る。類似点および相違点のいくつかを下記で説明する。
【０１９７】
図４７Ａに示すように、鍔部１４００は、リザーバ（カートリッジ）のネックの周りに挿入するように構成され、かつ単一の部片である。この実施形態において、鍔部は、リザーバの冠部を含むことができるか、またはカートリッジの冠部（またはヘッド）の上側に嵌って、蓋部分１４０９を介して挿入コネクタ１４１０（図４７Ａ〜Ｃに示す）と係合する。いくつかの実施形態において、蓋１４０９は蓋開口１４０６を含む。いくつかの実施形態において、図４７Ａに示すように、鍔部１４００は、１つ以上（１個、２個、３個、４個、５個、６個以上）の鍔部スペーサ１４３７を含む。図４７Ａの実施形態は、６個の鍔部スペーサ１４３７を有する。図４７Ｂは、カートリッジのヘッド（または冠部）の上側に挿入しかつ図４７Ａに示す先付け鍔部アセンブリと係合する注入口コネクタ１４１０（キャップコネクタ）を示す。この実施形態において、図４７Ａに示す３つの鍔状突起（例えば、独特の差別化タブまたは隆起）１４０４は、互いに１２０度離れて位置決めされ、かつ鍔部ガイド要素トラック１４６５を介して対応する注入口コネクタ１４１０と結合する。図４７Ｃに示す対応するキャップコネクタ１４１０は、先付け鍔部上の鍔部ガイド要素１４０４と適合するための鍔部ガイド要素トラック１４６５（例えば、キャビティ、溝、キー溝、またはスロット）を含む。いくつかの実施形態において、先付け鍔部１４００の底縁は、鍔状突起１４０３（リップなど）を有する。いくつかの実施形態において、鍔状突起は、図４７Ｃに示す鍔状突起の相手方１４６６によって係合できるようにするのに適切なサイズにされかつそのように位置決めされる。また、いくつかの実施形態において、図４７Ｂに示すキャップコネクタ１４１０は、互いに１２０度離れて位置決めされたガイド要素１４１８（タブ、隆起、または特徴）を含み、キャップコネクタ上の独特の差別化タブ、隆起、または特徴と適合するためのキャビティ、溝、キー溝、またはスロットを含むポンプハウジングユニットの注入チャンバ、駆動軸、またはポンプチャンバ内に挿入できるようにする。また、いくつかの実施形態において、図４７Ｂに示すように、キャップコネクタ１４１０は、互いに１８０°離れて位置決めされた２つの注入口コネクタスペーサ１４３６（タブ、隆起、または特徴）を含む。いくつかの実施形態において、鍔部１４００は対を形成する突起１４１２を含む。鍔部１４００および注入口コネクタ１４１０の特徴は、対を形成する開口１４３６および外部係合手段１４３４を有する対応する注入口接続カバー１４３０（図示せず）と相互作用する。
【０１９８】
図４８Ａ〜Ｃは６個の別個の構成部品を示す：カートリッジ５１０、図４４Ａ〜Ｂの鍔部１１００（いくつかの実施形態において、カートリッジのネックの周りに挿入されかつ独特の差別化タブ、キー、または隆起、ならびにキャップコネクタと係合しかつそれによってロックできるようにする特徴を含む）、注入口コネクタ１１１０（例えば、キャップコネクタ；いくつかの実施形態において、先付け鍔部上の独特の差別化タブ、隆起、または特徴に適合するための対応するキャビティ、溝、キー溝、またはスロットと、先付け鍔部上の特徴によってロックする捕捉機構とを含む）、注入口コネクタカバー１１３０（例えば、副キャップ、同軸ネジキャップなど；いくつかの実施形態において、チューブを上下に摺動でき、およびキャップコネクタの上側に嵌って、ポンプハウジングに螺合する）、針３１６（いくつかの実施形態において、キャップコネクタにオーバーモールド、ボンディング、圧入、膠付け、溶媒結合、インサート成形、または他の方法で取り付けられる）、およびチューブ３１０（いくつかの実施形態において、両方のキャップコネクタにオーバーモールド、ボンディング、圧入、膠付け、溶媒結合、インサート成形、または他の方法で取り付けられる）。図４８Ａ〜Ｃは、図４４Ａ〜Ｃの実施形態と様々な他の構成部品との間の相互作用を示すが、これは例示的な構成に過ぎず、他の鍔部／注入口コネクタ
システムを代わりに使用できることが理解されるべきである。例えば、図４６Ａ〜Ｃで説明した実施形態の同様の特徴を考慮すると、図４８Ａ〜Ｃの構成部品と一緒に使用され得る。図４８Ａ〜Ｃに示すように、および本明細書の他の実施形態に関して説明するように、いくつかの実施形態において、第１のチャネル３１０は、注入口コネクタ１１１０に結合する第１の薬剤リザーバ５１０内に挿入するように構成された第１の穿刺要素３１６（例えば、針、カニューレなど）を含む。いくつかの実施形態において、針３１６は、対を形成する突起１１１２に挿入することにより、薬剤リザーバ５１０の内部リザーバカバー１１５０内に配置されたリザーバ隔壁５１４を穿刺する。いくつかの実施形態において、針は、注入口コネクタ１１１０内にヒートステイキングされるかまたは付着される。いくつかの実施形態において、第１のリザーバ５１０は、注入ポンプのピストンによって押し下げられるように適合された第１のプランジャー５１２を有する。いくつかの実施形態において、針は、注入口コネクタ１１１０の内側にオーバーモールド、ボンディング、圧入、膠付け、溶媒結合、インサート成形、または他の方法で取り付けられる。いくつかの実施形態において、中空針は、キャップコネクタ内の奥まった箇所に置かれて、タッチプルーフとなるようにする。この実施形態において、図４８の針は、リザーバ５１０の上側にある隔壁を穿刺した。
【０１９９】
いくつかの実施形態において、図４８Ａ〜Ｃに示すように、および本明細書の他の実施形態に関して説明するように、注入口コネクタカバー１１３０（例えば、副キャップなど）は、対を形成する突起１１１２を介して注入口コネクタ１１１０と相互作用するように構成され得る。いくつかの変形形態において、カバー１１３０は、流体管３１０に成形されて永久的に取り付けられる。いくつかの実施形態において、チューブ３１０は、キャップコネクタおよび中空針にオーバーモールド、ボンディング、圧入、膠付け、溶媒結合、インサート成形、または他の方法で取り付けられて、中空針、キャップコネクタ、およびチューブを通る、開存した連続的な流路を可能にする。いくつかの実施形態において、カバー１１３０および流体管３１０は、可逆的に取り付け可能である。いくつかの実施形態において、図４８Ｂに示すように、注入口コネクタカバー１１３０は、流体管３１０に沿って自由に可動である。いくつかの実施形態において、針３１６は、対を形成する突起１１１２に成形されて、そこに固定される。いくつかの実施形態において、注入口コネクタカバー１１３０は、対を形成する突起１１１２を介して注入口コネクタ１１１０にヒートステイキングされる。いくつかの実施形態において、流体管は、第１の注入口コネクタおよびカバー内で自由に回転でき、これにより、上述の通り、流体管のねじれを回避するのを支援する。いくつかの変形形態において、注入口コネクタカバー１１３０および注入口コネクタは、圧縮性Ｏリングによって分離される。このＯリングは、カバーおよびコネクタが密結合して、それらを一緒に密封できるようにする。いくつかの実施形態において、圧縮性Ｏリング（４１５として上述したものと同様）は、第１の注入口コネクタカバー（４３０として上述したものと同様）のネジ山の周りに存在して、雄ネジを介した融合ポンプへの密な接続を容易にする。
【０２００】
いくつかの変形形態において、カバー１１３０は、注入ポンプハウジング上にある嵌合受口と相互作用しかつ係合するように構成された外部係合手段１１３４（例えば、雄ネジ、リブ付けなど）を含む。いくつかの実施形態において、カバー１１３０は、対を形成する突起１１１２と係合するように構成された対を形成する開口１１３２を含む。いくつかの実施形態において、カバー１１３０は、非嵌合の対を形成する突起と係合しないように構成される対を形成する開口１１３２を含む。
【０２０１】
図４８Ａ〜Ｃに示すように、いくつかの実装形態において、注入口コネクタ１１１０は、薬剤リザーバ５１０と相互作用するように構成される。いくつかの実施形態において、注入口コネクタ１１１０内に適切に挿入されるようにするため、リザーバは、鍔部１１００を取り付けられる必要がある。いくつかの実施形態において、上述の通り、鍔部の突起
は、適切な注入口コネクタ１１１０とのみ相互作用するように構成され得る。いくつかの実施形態において、鍔部は、特定のサイズおよび直径のリザーバに適合され得る。いくつかの実施形態において、これらの異なるリザーバ用の鍔部は、いくつかのリザーバとのみ相互作用でき、それにより誤チャネル配置の機会を最小限にする。他の実施形態において、同じリザーバを使用でき、および適切な鍔部の選択によって誤チャネル配置を防止できる。いくつかの実施形態において、鍔部は、システムのリザーバ、注入口、および他の構成部品を適合させるように色分けされて、誤チャネル配置をさらに防止および／または阻止できる。
【０２０２】
図４９Ａ〜Ｃは、図４８Ａ〜Ｃのものと異なり、かつ誤チャネル配置を回避するシステムにおいて図４８Ａ〜Ｃのシステムと一緒に使用され得る、６個の別個の構成部品を示す。構成部品は、カートリッジ５２０、図４５Ａ〜Ｂの鍔部１２００（いくつかの実施形態において、カートリッジのネックの周りに挿入し、かつ独特の差別化タブ、キー、または隆起、ならびにキャップコネクタと係合しかつそれによってロックできるようにする特徴を含む）、注入口コネクタ１２１０（例えば、キャップコネクタ；いくつかの実施形態において、先付け鍔部上の独特の差別化タブ、隆起、または特徴と適合するための対応するキャビティ、溝、キー溝、またはスロットと、先付け鍔部上の特徴によってロックする捕捉機構とを含む）、注入口コネクタカバー１２３０（例えば、副キャップ、同軸ネジキャップなど；いくつかの実施形態において、チューブを上下に摺動でき、およびキャップコネクタの上側に嵌って、ポンプハウジングに螺合する）、針３２６（いくつかの実施形態において、キャップコネクタにオーバーモールド、ボンディング、圧入、膠付け、溶媒結合、インサート成形、または他の方法で取り付けられる）、およびチューブ３２０（いくつかの実施形態において、両方のキャップコネクタにオーバーモールド、ボンディング、圧入、膠付け、溶媒結合、インサート成形、または他の方法で取り付けられる）を含む。図４９Ａ〜Ｃは、図４５Ａ〜Ｃの実施形態と様々な他の構成部品との間の相互作用を示すが、これは例示的な構成に過ぎず、他の鍔部／注入口コネクタシステムを代わりに使用できることが理解されるべきである。例えば、図４７Ａ〜Ｃで説明した実施形態の同様の特徴を考慮すると、図４９Ａ〜Ｃの構成部品と一緒に使用され得る。図４９Ａ〜Ｃに示すように、および本明細書の他の実施形態に関して説明するように、いくつかの実施形態において、第２のチャネル３２０は、注入口コネクタ８１０と結合する第２の薬剤リザーバ５２０内に挿入するように構成された第２の穿刺要素３２６（例えば、針、カニューレなど）を含む。いくつかの実施形態において、針３２６は、対を形成する突起１２１２に挿入することにより、薬剤リザーバ５２０上の内部リザーバカバー１２５０内に配置されたリザーバ隔壁５２４を穿刺する。いくつかの実施形態において、第２のリザーバ５２０は、注入ポンプのピストンによって押し下げられるように適合された第２のプランジャー５２２を有する。いくつかの実施形態において、針は、注入口コネクタ１２１０の内側にオーバーモールド、ボンディング、圧入、膠付け、溶媒結合、インサート成形、または他の方法で取り付けられる。いくつかの実施形態において、中空針は、キャップコネクタ内の奥まった箇所に置かれて、タッチプルーフとなるようにする。この実施形態において、図４９Ｃの針は、リザーバ５２０の上側にある隔壁を穿刺した。
【０２０３】
いくつかの実施形態において、図４９Ａ〜Ｃに示すように、および本明細書の他の実施形態に関して説明するように、注入口コネクタカバー１２３０（例えば、副キャップなど）は、対を形成する突起１２１２を介して注入口コネクタ１２１０と相互作用するように構成され得る。いくつかの変形形態において、カバー１２３０は、流体管３２０に成形されて永久的に取り付けられる。いくつかの実施形態において、チューブ３２０は、キャップコネクタおよび中空針にオーバーモールド、ボンディング、圧入、膠付け、溶媒結合、インサート成形、または他の方法で取り付けられることができ、中空針、キャップコネクタ、およびチューブを通る、開存した連続的な流路を可能にする。いくつかの実施形態において、カバー１２３０および流体管３２０は、可逆的に取り付け可能である。いくつか
の実施形態において、図４９Ｂに示すように、注入口コネクタカバー１２３０は、流体管３２０に沿って自由に可動である。いくつかの実施形態において、針３２６は、対を形成する突起１２１２に成形されて、そこに固定される。いくつかの実施形態において、注入口コネクタカバー１２３０は、対を形成する突起１２１２を介して注入口コネクタ１２１０にヒートステイキングされる。いくつかの実施形態において、流体管は、注入口コネクタおよびカバー内で自由に回転でき、これにより、上述の通り、流体管のねじれを回避するのを支援する。いくつかの変形形態において、注入口コネクタカバー１２３０および注入口コネクタは、圧縮性Ｏリングによって分離される。このＯリングは、カバーおよびコネクタを密結合させて、それらを一緒に密封できるようにする。いくつかの実施形態において、圧縮性Ｏリング（４１５として上述したものと同様）は、第１の注入口コネクタカバー（４３０として上述したものと同様）のネジ山の周りに存在して、雄ネジを介した融合ポンプへの密な接続を容易にする。
【０２０４】
いくつかの変形形態において、カバー１２３０は、注入ポンプハウジング上にある嵌合受口と相互作用しかつ係合するように構成された外部係合手段１２３４（例えば、雄ネジ、リブ付けなど）を含む。いくつかの実施形態において、カバー１２３０は、対を形成する突起１２１２と係合するように構成された対を形成する開口１２３２を含む。いくつかの実施形態において、カバー１２３０は、非嵌合の対を形成する突起と係合しないように構成される対を形成する開口１２３２を含む。
【０２０５】
図４９Ａ〜Ｃに示すように、いくつかの実装形態において、注入口コネクタ１２１０は、薬剤リザーバ５２０と相互作用するように構成される。いくつかの実施形態において、注入口コネクタ１２１０内に適切に挿入されるようにするため、リザーバは、鍔部１２００を取り付けられる必要がある。いくつかの実施形態において、上述の通り、鍔部の突起は、適切な注入口コネクタ１２１０とのみ相互作用するように構成され得る。いくつかの実施形態において、鍔部は、特定のサイズおよび直径のリザーバに適合され得る。いくつかの実施形態において、これらの異なるリザーバ用の鍔部は、いくつかのリザーバとのみ相互作用でき、それにより誤チャネル配置の機会を最小限にする。他の実施形態において、同じリザーバを使用でき、および適切な鍔部の選択によって誤チャネル配置を防止できる。いくつかの実施形態において、鍔部は、システムのリザーバ、注入口、および他の構成部品を適合させるように色分けされて、誤チャネル配置をさらに防止および／または阻止できる。
【０２０６】
いくつかの実施形態において、図４８Ａ〜Ｃおよび図４９Ａ〜Ｃで説明した構成は、薬剤の誤チャネル配置を回避するために単一のポンプシステム（図４３Ａ〜Ｂに示すものと同様）内で使用され得る。
【０２０７】
図５０Ａ〜Ｄは、ルアー接続部を有する追加的な注入口コネクタ１５７０のアセンブリを示す。いくつかの実施形態において、図５０Ａに示すように、注入口コネクタ１５７０は、上述したものと同様のガイド要素１５１８を含み得る。この実施形態において、図５０Ａに示すキャップコネクタのリザーバ係合開口１５８６（例えば、内部キャビティ）は、標準的なルアーロックの雌コネクタ特徴１５８５を含み、これは、５０Ｂに示すカートリッジ１５８０の端部に統合された標準的なルアーロックの雄コネクタ特徴１５８４と係合し、カートリッジのルアーロック端部の詳細は５０Ｃに示す。この実施形態において、５０Ａに示すキャップコネクタ１５７０は、互いに１８０度離れて位置決めされたコネクタ突起１５８３（例えば、２つのタブ、隆起、または特徴）を含み、これは、キャップコネクタ１５７０上の独特の差別化タブ、隆起、または特徴に適合するための対応するキャビティ、溝、キー溝、またはスロットを含むポンプハウジングユニットの注入チャンバ、駆動軸、またはポンプチャンバ内への挿入を可能にする。いくつかの実施形態において、５０Ａのキャップコネクタ１５７０は、奥まった箇所に置かれた針または逃がしスリット
（上記で示すような）を含まず、むしろ、標準的なルアーロック機構を使用して、５０Ｂおよび５０Ｃに示すカートリッジと結合して、薬剤が、最初に針を通過することなくカートリッジからチューブ３１０内へ直接流れることができるようにする。上記で示したカートリッジと異なり、図５０Ｂに示すカートリッジ１５８０は、ケアする時点では薬剤が事前充填されていないことがあり得、および隔壁を備える冠部を含まずに、むしろ、カートリッジの端部１５８１に統合された標準的なルアーロックの雄コネクタ特徴を含む。図５０Ｄは、２つの別個の従属部品を示す部分的な分解図を示す：（ｉ）標準的なルアーロックの雄コネクタ特徴を備えるカートリッジ、および（ｉｉ）単一の接続済みのサブアセンブリに組み立てられた標準的なルアーロック、チューブ、および同軸ネジキャップの雌コネクタ特徴を備えるキャップコネクタ。
【０２０８】
図５１Ａ〜Ｃは、鍔部／注入口コネクタアセンブリの別の実施形態を示す。図５１Ａは、カートリッジのネックの周りに挿入する２つの部分１６０１、１６０２を含む先付け鍔部アセンブリを示す、鍔部１６００の実施形態の分解図を示す。図５１Ｂは、図５１Ａに示す同じ先付け鍔部１６００の組立済みの図を示す。図５１Ｃは、鍔部付きのリザーバのヘッド（または冠部）およびネックの上側に挿入しかつ図５１Ａ〜Ｂに示す先付け鍔部アセンブリと係合する注入口（またはキャップ）コネクタ１６１０を示す。
【０２０９】
図５１Ａ〜Ｂに示すように、および本明細書の他の箇所に開示する鍔部と同様に、いくつかの実施形態において、鍔部１６００は、第１の鍔部部分１６０１および第２の鍔部部分１６０２を含む。いくつかの変形形態において、図５１Ａ〜Ｂに示すように、これらの部分１６０１、１６０２は均等な形状にされ得るため、単一の型を使用して両方の部分１６０１、１６０２を製作できる。いくつかの実装形態において、本明細書に開示した他の鍔部のように、それらの部分は、異なる形状およびサイズにされる。例えば、鍔部が円形であるいくつかの実施形態において、一方の部分は円の７５％を、かつ他方の部分は２５％を構成し得る。このサイジングは、鍔部のより大きい部分がリザーバの上側に緊密にスナップ嵌めし、その部分を適所に固定するのを容易にし得る一方、他方の部片は、例えば鍔部付きリザーバにかぶせる最中に適所に保持（または固定）されるようにする。バイアルの形状または注入口コネクタの形状、またはそれらの２つのおよび／またはポンプハウジングとの間の所望の対を形成するに依存して、鍔部の様々な形状（正方形、矩形、三角形など）も使用され得ることに留意されたい。いくつかの実施形態において、鍔部は、１つ、２つ、３つ、４つ以上の部片（例えば、部分）を含み、それらは、リザーバを包むように組み立てられ得る。いくつかの実施形態において、異なる鍔部部分は混合および適合され得、誤チャネル配置を回避する薬剤送達システムの取り得る構成の可変性を増す。
【０２１０】
いくつかの実施形態において、図５１Ｂに示すように、異なる鍔部部分１６０１、１６０２は互いに付着（溶接、膠付けなど）されて、リザーバ係合開口１６０６を有する鍔部を形成し得る。いくつかの実施形態において、鍔部は、それが保持され得る係合開口１６０６内に存在する薬剤リザーバ（例えば、バイアルなど）に永久的に取り付けられ得る。いくつかの実施形態において、薬剤リザーバは、鍔部／鍔部−キャッピングアセンブリ／バイアルアセンブリの特徴に適合する対応する特徴を備えるバルクリザーバを使用して再充填されて、再使用され得る。
【０２１１】
いくつかの実施形態において、接着剤、グルー、ゴム加工剤、または他の候補物質は、カートリッジのネック（またはヘッド、冠部など）に接触する係合開口１６０６の嵌合面１６０５’、１６０５”に適用され得る。いくつかの変形形態において、先付け鍔部の接着剤は、リザーバに対する先付け鍔部の摩擦を増大させかつその回転を減少または防止する。いくつかの変形形態において、図５１Ａ〜Ｂに示すように、二部品の先付け鍔部の嵌合面１６０５’、１６０５”は、鍔部がカートリッジのネック上に組み立てられるときに付着され得る（例えば、ボンディング、膠付け、レーザ溶接、または他の方法で取り付け
られる）。いくつかの実施形態において、嵌合面１６０５’、１６０５”は圧縮性（スポンジ、フォーム、ゴム、軟質プラスチック、リブ付き、ファブリックなど）であり、それらをリザーバの周りで圧縮させて適所にロックすることができる。
【０２１２】
いくつかの実装形態において、鍔部１６００は、１つ以上の形状が合った縁１６０７（傾斜付き、正方形など）を含み、鍔部１６００を、対応する形状を有するリザーバと同一平面で相互作用させることができる。
【０２１３】
いくつかの実施形態において、図５１Ａ〜Ｃに示すように、先付け鍔部は、係合開口１６０６から半径方向外向きに延在する１つ以上の特徴（歯、タブ、隆起、特徴など）を含む。いくつかの実施形態において、これらの隆起は、対応する受け入れ特徴を備える対応するキャップコネクタ１６１０（例えば、注入口コネクタ）とのみ結合できるようにする。いくつかの実施形態において、対応するキャップコネクタは、先付け鍔部上の独特の差別化タブ、隆起、または特徴と適合するための対応するキャビティ、溝、キー溝、またはスロットを含む（図５１Ｃに示すような）。このようにして、１つのタイプの先付け鍔部のみが１つのタイプのキャップコネクタと特異的に勘合する。いくつかの変形形態において、隆起は、キャップコネクタから半径方向内向きに延在し、および鍔部に配置された受け入れ特徴に係合する。いくつかの実施形態において、キャップコネクタは突起を有する一方、鍔部は、対応するキャビティを有する。
【０２１４】
いくつかの実装形態において、鍔部１６００は、１つ以上（例えば、１個、２個、３個、４個、５個以上）の鍔状突起１６０３（縁、リップ、クリップなどを有する突起）を含む。いくつかの実施形態において、本明細書で説明する他の鍔部のように、鍔部に鍔状突起がないことができる。図５１Ａ〜Ｂの実施形態は、２つの鍔状突起を含む。いくつかの実施形態において、図示の通り、これらの突起は、鍔部のリザーバ係合開口１６０６から離れるように半径方向外向きに延在する。いくつかの変形形態において、これらの鍔状突起１６０３は、注入口コネクタ１６１０に配置される１つ以上（例えば、１個、２個、３個、４個、５個以上）の同一場所の鍔状突起の相手方１６６６（リップ、縁、クリップ、それを含むキャビティなど）と相互作用するように構成される。図５１Ａ〜Ｃに示すように、２つの鍔状突起１６０３は、注入口コネクタ１６１０の２つの対応する鍔状突起の相手方１６６６と相互作用する。いくつかの実施形態において、鍔状突起１６０３は、鍔状突起の相手方１６６６に係合して、鍔部を適所にスナップ嵌めし、鍔部１６００および注入口コネクタ１６１０を一緒に保持する（例えば、互いに同一平面に）。いくつかの変形形態において、注入口コネクタ１６１０は、鍔状突起１６０３の各構成と対になる同一場所の突起の相手方１６６６を有する。いくつかの実施形態において、鍔状突起の相手方１６６６は、先付け鍔部１６００上の特徴（例えば、鍔状突起１６０３）に係合するおよび／または鍔部１６００自体に係合する捕捉機構の機能を果たす。いくつかの実施形態において、注入口コネクタ１６１０の捕捉機構は、先付け鍔部の上側に押し当てられるときにわずかに拡張し、その後、注入口コネクタ１６１０は適所にスナップ嵌めし、先付け鍔部上のタブ、隆起、または特徴、または先付け鍔部の底縁に係合し、かつキャップコネクタを先付け鍔部に確実に締結し得る。カートリッジ、先付け鍔部、およびキャップコネクタサブアセンブリは、その後、ポンプハウジングユニット内に締結され得る。
【０２１５】
いくつかの実施形態において、複数の鍔状突起１６０３が存在する、本明細書で説明する他の鍔部のように、鍔状突起１６０３は、鍔部１６００の周りで均一に離間され得るため、各鍔状突起は、次の鍔状突起から等距離にある。例えば、図５１Ａ〜Ｃに示すような実施形態において、２つの突起１６０３が存在する場合、それらの突起は、鍔部上で互いに反対側に位置決めされ得る（互いに１８０°離れている）。いくつかの変形形態において、本明細書で説明する他の鍔部のように、鍔状突起は、鍔部の周りに不均一に離間され得るため、隣接する鍔状突起から、いくつかの鍔状突起は近くにあり、およびいくつかの
鍔状突起は遠くにある。いくつかの実施形態において、本明細書で説明する他の鍔部のように、隣接する鍔状突起は、約１８０°、約１６０°、約１４０°、約１２０°、約１００°、約９０°、約８０°、約７０°、約６０°、約５０°、約４０°、約３０°、約２０°、約１０°、上述の値の間にある値、または他の値から独立して選択される値だけ分離され得る。いくつかの実施形態において、上述の通り、鍔部は、単一の鍔部上において、１つ以上の異なる形状にされた鍔状突起を含み得る。いくつかの実施形態において、鍔状突起は、三角形、正方形、半円形などから選択された１つ以上の形状であり得る。この可変性は、鍔部／注入口コネクタの対にほぼ無制限の可変性をもたらす。
【０２１６】
図５１Ａ〜Ｃに示すように、いくつかの実施形態において、存在する場合、鍔部ガイド要素１６０４は、対応する鍔部ガイド要素トラック１６６５と相互作用するように構成される。いくつかの変形形態において、鍔部は、１つ以上（例えば、１個、２個、３個、４個、５個以上）の鍔部ガイド要素（タブ、隆起など）を含む。本明細書で説明する鍔部のいくつかの実施形態において、鍔部ガイド要素は存在しない。いくつかの実施形態において、これらの鍔部ガイド要素は、鍔部から半径方向に突出し、リザーバ係合開口１６０６から離れるように延在する。本明細書で説明する鍔部のいくつかの実施形態において、鍔部ガイド要素１６０４は、鍔部１６００から半径方向に突出し、かつ注入口コネクタ１６１０への挿入後に注入口コネクタ１６１０から外向きに延在するのに十分な長さである（リザーバ係合開口１６０６から離れるように延在する）。いくつかの実施形態において、図５１Ａ〜Ｃに示すように、これらの鍔部ガイド要素１６０４は、注入口コネクタ１６１０に配置された１つ以上（例えば、１個、２個、３個、４個、５個以上）の同一場所の鍔部ガイド要素トラック１６６５（キャビティ、溝、キー溝、スロット、開口など）と相互作用するように構成される。いくつかの実施形態において、上述の鍔状突起と同様に、および本明細書で説明する鍔部のいずれかの実施形態と同様に、鍔部ガイド要素１６０４は、鍔部１６００の周りで均一に離間され得るため、各鍔部ガイド要素１６０４は次の鍔部ガイド要素から等距離にある。例えば、図５１Ａ〜Ｃに示す実施形態において、２つの鍔部ガイド要素１６０４が存在し、および鍔部１６００上で互いに反対側に位置決めされる（互いに約１８０°離れている）。本明細書で説明する鍔部のいくつかの変形形態において、鍔部ガイド要素１６０４は、鍔部の周りに不均一に離間され得るため、いくつかの突起は近くにあり、およびいくつかの突起は遠くにある。本明細書で説明する鍔部のいくつかの実施形態において、隣接する鍔部ガイド要素は、約１８０°、約１６０°、約１４０°、約１２０°、約１００°、約９０°、約８０°、約７０°、約６０°、約５０°、約４０°、約３０°、約２０°、約１０°、上述の値の間にある値、または他の値から独立して選択される値だけ分離される。いくつかの実施形態において、複数の異なる形状にされたガイド要素を単一の鍔部で使用できる。いくつかの実施形態において、本明細書で説明する鍔部のいずれかのガイド要素は、三角形、正方形、半円形、多角形、球−棒の形状、多角形−棒の形状などとなるように独立して選択され得る。この設計は、ほぼ無制限の可変性で鍔部の複数の構成をもたらし得る。いくつかの変形形態において、注入口コネクタ１６１０は、鍔部ガイド要素１６０４の各構成と嵌合する同一場所の鍔部ガイド要素トラック１６６５（溝、キャビティ、スロット、キー穴など）を有する。いくつかの実施形態において、これらのトラックは、適切に適合する鍔部のみを注入口コネクタ上の適所に案内する。
【０２１７】
いくつかの変形形態において、鍔状突起１６０３（または場合により注入口コネクタ突起）は、図示の通り、鍔部ガイド要素１６０４（または場合により注入口コネクタガイド要素）よりも小さい。いくつかの実施形態において、鍔状突起対鍔部ガイド要素のサイズの比は、約１：２０、１：１０、約１：５、約１：２、上述の値の間にある値、または他の値である。
【０２１８】
いくつかの実施形態において、図５１Ａ〜Ｃに示すように、いくつかの態様では上述の
実施形態と同様に、注入口コネクタ１６１０は、対を形成する突起１６１２を含み得る。この対を形成する突起１６１２は、本明細書の他の箇所でより詳細に説明し、および注入口コネクタカバー（図示せず）に収まり得る。
【０２１９】
いくつかの実施形態において、鍔部１６００が注入口コネクタ１６１０に挿入されると、鍔部ガイド要素１６０４は、組立済みの鍔部１６００および注入口コネクタ１６１０のためのガイド要素（タブ、隆起、または特徴）の機能を果たし得る。いくつかの実施形態において、鍔部ガイド要素１６０４は、注入口コネクタ１６１０を通って突出し、例えば、注入ポンプ（例えば、注入ポンプハウジング）内の特定の嵌合用開口への配置を容易にするが、間違った開口内への挿入を阻止（または防止）する（ある点では、例えば、上述の注入口コネクタ７１０のガイド要素７１８と同様）。いくつかの実施形態において、キャップは、適所にヒートステイキング（または他の方法で付着、膠付け、溶接など）され得る穿刺要素３１６を含む。いくつかの実施形態において、注入口コネクタはまた、図３７Ｃに示すガイド要素７１８と同様のガイド要素を含む。
【０２２０】
いくつかの実施形態において、キャップコネクタの（すなわち、注入口コネクタの）ガイド要素は、キャップコネクタ上の独特の差別化タブ、隆起、または特徴に適合するための対応するキャビティ、溝、キー溝、またはスロットを含むポンプハウジングユニットの注入チャンバ、駆動軸、またはポンプチャンバへの挿入を可能にする。このようにして、いくつかの実施形態において、１つのタイプのキャップコネクタのみが１つの特定の注入チャンバ、駆動軸、またはポンプチャンバに特異的に挿入され得る。あるいは、注入口コネクタは、ポンプハウジングユニットの注入チャンバ、駆動軸、またはポンプチャンバにある１つ以上のタブ、隆起、または特徴と特異的に嵌合するキャビティ、溝、キー溝、またはスロット（図示せず）を含み得る。
【０２２１】
いくつかの変形形態において、係合時に鍔部ガイド要素１６０４が注入口コネクタ１６１０から半径方向に突出する距離は、鍔状突起１６０３が鍔部から延在する半径方向距離と比較され得る。いくつかの実施形態において、注入口コネクタ１６１０からの延在距離は、鍔状突起１６０３が半径方向に延在する距離と少なくとも同程度の短さであるかまたはそれよりも短い。様々な実施形態において、注入口コネクタガイド要素からの鍔部ガイド要素対鍔部からの鍔状突起の延在の比は、約１：１０、約１：５、約１：２、約１：１、約２：１、約５：１、または約１０：１、上述の値の間にある値、または他の値である。
【０２２２】
いくつかの変形形態において、注入口コネクタ１６１０は、１つ以上（２個、３個、４個、５個以上）の注入口コネクタスペーサ１６３６（例えば、逃がしスリット、キャビティなど）を含む。図示の通り、図５１Ｃの注入口コネクタ１６１０の２つの逃がしスリット１６３６は、１８０°離れている。複数の逃がしスリットが存在するいくつかの変形形態において、逃がしスリットは、鍔部の周りに不均一に離間され得るため、いくつかの突起は近くにあり、およびいくつかの突起は遠くにある。本明細書に開示する鍔部のいくつかの実施形態において、隣接する逃がしスリットは、約１８０°、約１６０°、約１４０°、約１２０°、約１００°、約９０°、約８０°、約７０°、約６０°、約５０°、約４０°、約３０°、約２０°、約１０°、上述の値の間にある値、または他の値から独立して選択された値だけ分離される。いくつかの実施形態において、注入口コネクタスペーサ１６３６は、注入口コネクタ１６１０を、ポンプハウジング内に挿入されるときに圧縮できるようにするか、または鍔部／リザーバセンブリの上側を摺動するときに拡張できるようにする。いくつかの実施形態において、これにより、嵌合特徴を含むポンプハウジング内へのまたは鍔部／リザーバセンブリとの緊密なスナップ嵌めでの適合ができるようにする。例えば、いくつかの実施形態において、ハウジング内を最後まで挿入されると、注入口コネクタスペーサは再拡張でき、注入口コネクタ１６１０の幾何学的特徴がポンプハ
ウジングの嵌合開口または特徴と相互作用できるようにする。この特徴は、本明細書で説明する中でも特に、ポンプハウジング内でほとんど動かずに（例えば、実質的に同一平面）リザーバを適切な位置に保持できるようにする。いくつかの実施形態において、図５１Ａ〜Ｃに示すものなどの単一部品の先付け鍔部１６００は、注入口コネクタをカートリッジのヘッド（または冠部）の上側に押し当てることができるようにする逃がしスリット１６３６と、カートリッジのヘッド（または冠部）の底面と係合するときに適所にスナップ嵌めするロック機構とを有する。
【０２２３】
鍔部の別の実施形態を図５２Ａ〜Ｃに示す。鍔部１７００は、多くの点で上述の鍔部１６００と類似し得るか、または同一であり得るが、いくつかの点で異なり得る。類似点および相違点のいくつかを下記で説明する。
【０２２４】
図５２Ａ〜Ｂに示すように、鍔部１７００は、第１の部分１７０１および第２の部分１７０２を含む。図示の通り、これらの部分１７０１、１７０２は、互いに均等なものであり得、および単一の型を使用して製作され得る。いくつかの実装形態において、上述の通り、それらの部分は、異なる形状およびサイズにされる。図５２Ａは、カートリッジのネックの周りに挿入する先付け鍔部アセンブリを示す、鍔部１７００の実施形態の分解図を示す。図５２Ｂは、図５２Ａに示す同じ先付け鍔部１７００の組立済みの図を示す。図５２Ｃは、リザーバのヘッド（または冠部）およびネックの上側に挿入しかつ図５２Ａ〜Ｂに示す先付け鍔部アセンブリと係合する注入口（またはキャップ）コネクタ１７１０を示す。
【０２２５】
いくつかの実施形態において、図５２Ｂに示すように、これらの部分１７０１、１７０２は互いに付着（溶接、膠付けなど）されて、薬剤リザーバ（例えば、バイアルなど）を永久的に保持し得るリザーバ係合開口１７０６を有する鍔部を形成し得る。いくつかの実施形態において、接着剤、グルー、ゴム加工剤、または他の候補物質がカートリッジのネックと先付け鍔部との間で係合開口１７０６の嵌合面１７０５’、１７０５”の一方または両方に適用されて、リザーバのネックに対する先付け鍔部の摩擦を増大させかつその回転を減少または防止し得る。いくつかの変形形態において、上述の通り、図５２Ａ〜Ｂに示すような、二部品の先付け鍔部の嵌合面１７０５’、１７０５”は、鍔部がカートリッジのネック上に組み立てられるときにボンディング、膠付け、レーザ溶接、または他の方法で取り付けられ得る。いくつかの実施形態において、嵌合面１７０５’、１７０５”は、圧縮性（スポンジ、フォーム、ゴム、軟質プラスチック、リブ付き、ファブリックなど）であり、それらをリザーバの周りで圧縮して適所にロックできるようにする。いくつかの実装形態において、鍔部１７００は、１つ以上の形状が合った縁１７０７（傾斜付き、合わせられたものなど）を含み、鍔部１７００がリザーバと同一平面で相互作用できるようにする。
【０２２６】
図５２Ａ〜Ｃに示すように、先付け鍔部は、対応するキャップコネクタ１７１０（例えば、注入口コネクタ）とのみ結合できるようにする１つ以上のタブ、隆起、特徴を含み、および対応するキャップコネクタは、先付け鍔部上の独特の差別化タブ、隆起、または特徴に適合するキャビティ、溝、キー溝、またはスロットを含む。図５２Ａ〜Ｂに示すように、鍔部１７００は、２つの鍔状突起１７０３（縁、リップなどを有する突起）を含む。図５２Ａ〜Ｃに示すように、鍔状突起１７０３（１つ以上）は、鍔部片１７０１、１７０２の分離によって二等分され得る。いくつかの変形形態において、図５２Ａ〜Ｃに示すように、これらの鍔状突起１７０３は、注入口コネクタ１７１０に配置された同一場所の鍔状突起の相手方１７６６（リップ、縁、クリップなど）と相互作用する。いくつかの実施形態において、鍔状突起１７０３は、鍔状突起の相手方１７６６と係合して、鍔部を適所にスナップ嵌めし、鍔部１７００および注入口コネクタ１７１０を互いに同一平面に保持する。いくつかの変形形態において、注入口コネクタ１７１０は、鍔状突起１７０３の各
構成と対になる同一場所の突起の相手方１７６６を有する。いくつかの実施形態において、鍔状突起の相手方１７６６は、先付け鍔部１７００の特徴（例えば、鍔状突起１７０３）に係合するおよび／または鍔部１７００自体に係合する捕捉機構の機能を果たす。いくつかの実施形態において、鍔部は、カートリッジのヘッド（または冠部）に接続する種類、またはカートリッジのネックに接続する種類のいずれかである。いくつかの実施形態において、注入口コネクタ１７１０の捕捉機構は、先付け鍔部の上側に押し当てられるときにわずかに拡張でき、その後、注入口コネクタ１７１０は、適所にスナップ嵌めし、先付け鍔部のタブ、隆起、または特徴に、または先付け鍔部の底縁に係合し、およびキャップコネクタを先付け鍔部に確実に締結し得る。カートリッジ、先付け鍔部、およびキャップコネクタサブアセンブリは、その後、ポンプハウジングユニット内に締結され得る。
【０２２７】
いくつかの実施形態において、図５２Ａ〜Ｂに示すように、鍔部１７００は、鍔部上で互いに反対側に位置決めされる（互いに１８０°離れている）２つの鍔状突起１７０３を含む。いくつかの変形形態において、図５２Ａ〜Ｂに示すように、鍔部１７００は、２つの鍔部ガイド要素１７０４（タブ、隆起など）を含む。図示の通り、これらの鍔部ガイド要素１７０４は、図５２Ｃに示す対応する注入口コネクタ１７１０に配置された同一場所の鍔部ガイド要素トラック１７６５（キャビティ、溝、キー溝、スロット、開口など）と相互作用するように構成され得る。いくつかの実施形態において、これらの鍔部ガイド要素１７０４は、注入口コネクタ１７１０内への挿入後、鍔部１７００および注入口コネクタ１７１０から半径方向に突出し、リザーバ係合開口１７０６から離れるように延在する。図５２Ａ〜Ｂに示すように、および上述の通り、２つの鍔部ガイド要素１７０４が存在する場合、それらのガイド要素は、互いに約１２０°だけ（または鍔部１７００の周囲のより長い部分の周りを移動すると約２４０°だけ）離れて位置決めされ得る。図５２Ｃに示すように、注入口コネクタ１７１０は、鍔部ガイド要素１７０４の各構成と嵌合する同一場所の鍔部ガイド要素トラック１７６５を有し得る。
【０２２８】
いくつかの実施形態において、図５２Ａ〜Ｃに示すように、いくつかの態様では上述の実施形態と同様に、注入口コネクタ１７１０は、対を形成する突起１７１２を含む。この対を形成する突起１７１２については、本明細書の他の箇所でより詳細に説明する。
【０２２９】
いくつかの実施形態において、図５２Ａ〜Ｃから明らかであるように、いくつかの態様では上述の実施形態と同様に、鍔部１７００が注入口コネクタ１７１０内に挿入されると、鍔部ガイド要素１７０４は、組立済みの鍔部１７００および注入口コネクタ１７１０のためのガイド要素（タブ、隆起、または特徴）の機能を果たし得る。いくつかの実施形態において、鍔部ガイド要素１７０４は、注入口コネクタ１７１０を通って突出し、例えば、注入ポンプ（例えば、注入ポンプハウジング）にある特定の嵌合用開口内への配置を容易にする一方、誤った開口内への挿入を阻止（または防止）する（ある点では、例えば、上述の注入口コネクタ７１０のガイド要素７１８と同様）。いくつかの実施形態において、キャップは、適所にヒートステイキング（または他の方法で付着、膠付け、溶接など）され得る穿刺要素３２６を含む。いくつかの実施形態において、注入口コネクタはまた、図３７Ｃに示すガイド要素７１８と同様のガイド要素を含む。
【０２３０】
いくつかの変形形態において、注入口コネクタ１７１０は、図示の通り、１８０°だけ分離された２つの注入口コネクタスペーサ１７３６（例えば、逃がしスリット）を含む。いくつかの実施形態において、この注入口コネクタスペーサ１７３６は、注入口コネクタ１７１０を圧縮または拡張できるようにする。これらの逃がしスリットは、ガイド要素と同じ方法でコネクタの周りにおいて離間され得る。図３７Ｃで説明する実施形態のように、スリットは、嵌合特徴を含むポンプハウジング内へ緊密にスナップ嵌めで適合できるようにする。この特徴は、本明細書で説明する中でも特に、リザーバをポンプハウジング内でほとんど動くことなく適切な位置に保持できるようにする。いくつかの実施形態におい
て、図５２Ａ〜Ｃに示すものなどの単一部品の先付け鍔部１７００は、注入口コネクタをカートリッジのヘッド（または冠部）にわたって押し当てることができるようにする逃がしスリット１７３６と、カートリッジのヘッド（または冠部）の底面と係合するときに適所にスナップ嵌めするロック機構とを有する。
【０２３１】
鍔部の別の実施形態を図５３Ａ〜Ｃに示す。鍔部１８００は、２つの別個の部片であることと対照的に、フィレット１８０８を備えるリリーフと、フィレットから離れた開口部１８０９とを有することを除いて、上述の鍔部１６００と同様である。図５４Ａは、カートリッジのネックの周りに挿入する先付け鍔部アセンブリを示す、鍔部１８００の実施形態の開放した図を示す。図５３Ｂは、図５３Ａに示す同じ先付け鍔部１８００の閉鎖した図を示す。図５３Ｃは、リザーバのヘッド（または冠部）およびネックの上側に挿入しかつ図５３Ａ〜Ｂに示す先付け鍔部アセンブリと係合する注入口（またはキャップ）コネクタ１８１０を示す。
【０２３２】
いくつかの実施形態において、鍔部は、鍔部１８００の弾力性のため、リザーバの周りで自動的に閉鎖し得る。いくつかの実施形態において、フィレット１８０８の代わりに、閉鎖可能である（およびいくつかの実施形態において開放可能な鍔部）という目的を踏まえた上で、ヒンジ、継手、または他の旋回機構を使用し得る。いくつかの実施形態において、鍔部１８００は、鍔部１８００が閉鎖位置にあるときに互いに接触する面１８０１、１８０２を含む。いくつかの実施形態において、これらの面１８０１、１８０２は、互いに付着（溶接、膠付けなど）されて、薬剤リザーバ（例えば、バイアルなど）を永久的に保持し得るリザーバ係合開口１８０６を有する鍔部を形成し得る。いくつかの実施形態において、接着剤、グルー、ゴム加工剤、または他の候補物質をカートリッジのネックと先付け鍔部１８００との間の係合開口１８０６の嵌合面１８０５に適用して、リザーバのネックに対する先付け鍔部１８００の摩擦を増大させかつその回転を減少または防止し得る。いくつかの変形形態において、上述の通り、嵌合面１８０５は、鍔部がカートリッジのネック上に組み立てられるときにボンディング、膠付け、レーザ溶接、または他の方法で取り付けられ得る。いくつかの実施形態において、嵌合面１８０５は、圧縮性（スポンジ、フォーム、ゴム、軟質プラスチック、リブ付き、ファブリックなど）であり、それらをリザーバの周りで圧縮できるようにして適所にロックする。いくつかの実装形態において、鍔部１８００は、１つ以上の形状が合った縁（傾斜付き、合わせられたものなど；図示せず）を含んで、鍔部１８００をリザーバと同一平面で相互作用できるようにする。
【０２３３】
いくつかの実施形態において、図５３Ａ〜Ｃにおけるように、先付け鍔部は、対応するキャップコネクタ（例えば、注入口コネクタ）のみと結合できるようにする１つ以上のタブ、隆起、特徴を含み、および対応するキャップコネクタは、先付け鍔部上の独特の差別化タブ、隆起、または特徴と適合するための対応するキャビティ、溝、キー溝、またはスロットを含む。このようにして、１つのタイプの先付け鍔部のみが１つのタイプのキャップコネクタと特異的に嵌合し得る。例えば、鍔部１８００は、２つの鍔状突起１８０３（縁、リップなどを有する突起）を含む。いくつかの変形形態において、図５３Ａ〜Ｃに示すように、これらの鍔状突起１８０３は、注入口コネクタ１８１０に配置された同一場所の鍔状突起の相手方１８６６（リップ、縁、クリップなど）と相互作用するように構成される。いくつかの実施形態において、鍔状突起１８０３は鍔状突起の相手方１８６６に係合して、適所に鍔部をスナップ嵌めし、鍔部１８００および注入口コネクタ１８１０を互いに同一平面に保持する。いくつかの変形形態において、注入口コネクタ１８１０は、鍔状突起１８０３の各構成と対になる同一場所の突起の相手方１８６６を有する。いくつかの実施形態において、鍔状突起の相手方１８６６は、先付け鍔部１８００上の特徴（例えば、鍔状突起１８０３）に係合するおよび／または鍔部１８００自体に係合する捕捉機構の機能を果たす。いくつかの実施形態において、鍔部は、カートリッジのヘッド（または冠部）に接続する種類、またはカートリッジのネックに接続する種類のいずれかである。
いくつかの実施形態において、注入口コネクタ１８１０の捕捉機構は、先付け鍔部の上側に押し当てられるときにわずかに拡張でき、その後、注入口コネクタ１８１０は適所にスナップ嵌めし、先付け鍔部上にあるタブ、隆起、または特徴、または先付け鍔部の底縁に係合し、およびキャップコネクタを先付け鍔部に確実に締結し得る。カートリッジ、先付け鍔部、およびキャップコネクタサブアセンブリは、その後、ポンプハウジングユニット内に締結され得る。
【０２３４】
図５３Ａ〜Ｃに示すように、２つの突起１８０３が鍔部上に存在する場合、それらの突起は、鍔部上で互いに反対側に位置決めされ得る（互いに１８０°離れている）。いくつかの変形形態において、図５３Ａ〜Ｂに示すように、鍔部１８００は、注入口コネクタ１８１０上に配置された２つの同一場所の鍔部ガイド要素トラック１８６５（キャビティ、溝、キー溝、スロット、開口など）と相互作用するように構成された２つの鍔部ガイド要素１８０４（タブ、隆起など）を含む。いくつかの実施形態において、これらの鍔部ガイド要素１８０４は、注入口コネクタ１８１０内への挿入後、鍔部１８００および注入口コネクタ１８１０から半径方向に突出し、リザーバ係合開口１８０６から離れるように延在する。図示の通り、これらの鍔部ガイド要素は、鍔部上で約１８０°離れて配置される。いくつかの実施形態において、鍔部ガイド要素は、上述の通り様々な度数だけ離間され得る。いくつかの変形形態において、注入口コネクタ１８１０は、鍔部ガイド要素１８０４の各構成と嵌合する同一場所の鍔部ガイド要素トラック１８６５を有する。
【０２３５】
いくつかの実施形態において、図５３Ａ〜Ｃに示すように、いくつかの態様では上述の実施形態と同様に、注入口コネクタ１８１０は対を形成する突起１８１２を含む。
【０２３６】
いくつかの実施形態において、図５３Ａ〜Ｃに示すように、いくつかの態様では上述の実施形態と同様に、鍔部１８００が注入口コネクタ１８１０内に挿入されると、鍔部ガイド要素１８０４は、組立済みの鍔部１８００および注入口コネクタ１８１０のためのガイド要素（タブ、隆起、または特徴）としての機能を果たし得る。いくつかの実施形態において、鍔部ガイド要素１８０４は、注入口コネクタ１８１０を通って突出して、例えば、注入ポンプ（例えば、注入ポンプハウジング）にある特定の嵌合用開口内への配置を容易にする一方、誤った開口内への挿入を阻止（または防止）する（ある点では、例えば、上述の注入口コネクタ７１０のガイド要素７１８と同様）。いくつかの実施形態において、キャップは、適所にヒートステイキング（または他の方法で付着、膠付け、溶接など）され得る穿刺要素３２６を含む。いくつかの実施形態において、鍔部のガイド要素は、キャップコネクタ上の独特の差別化タブ、隆起、または特徴に適合するための対応するキャビティ、溝、キー溝、またはスロットを含むポンプハウジングユニットの注入チャンバ、駆動軸、またはポンプチャンバ内に挿入できるようにする。いくつかの実施形態において、注入口コネクタはまた、図３７Ｃに示すガイド要素７１８と同様のガイド要素を含む。
【０２３７】
いくつかの変形形態において、図５３Ｃに示すように、注入口コネクタ１８１０は、２つの注入口コネクタスペーサ１８３６（例えば、逃がしスリット）を含む。いくつかの実施形態において、この注入口コネクタスペーサ１８３６は、ポンプハウジング内に挿入されるときに注入口コネクタ１８１０を圧縮できるようにする。これらの逃がしスリットは、ガイド要素と同じ方法でコネクタの周りにおいて離間され得る。図３７Ｃで説明する実施形態のように、スリットは、嵌合特徴を含むポンプハウジング内に緊密にスナップ嵌めで適合できるようにする。
【０２３８】
鍔部１９００およびその注入口コネクタ１９１０の別の実施形態を図５４Ａ〜Ｃに示す。鍔部１９００は、多くの点で上述の鍔部と同様であるが、いくつかの点で異なり得る。類似点および相違点のいくつかを下記で説明する。図５４Ａ〜Ｂに示すように、２つの別個の部片（例えば、鍔部８００の部分８０１、８０２）であるのとは対照的に、鍔部１９
００は、フィレット１９０８と、フィレット１９０８から離れた開口部１９０９とを有する。図５４Ａは、カートリッジのネックの周りに挿入する先付け鍔部アセンブリを示す、鍔部１９００の開放した図を示す。図５４Ｂは、図５４Ａに示す同じ先付け鍔部１９００の閉鎖した図を示す。図５４Ｃは、リザーバのヘッド（または冠部）およびネックの上側に挿入しかつ図５４Ａ〜Ｂに示す先付け鍔部アセンブリに係合する注入口（またはキャップ）コネクタ１９１０を示す。
【０２３９】
いくつかの実施形態において、フィレット付き鍔部は、鍔部１９００の弾力性のため、リザーバの周りで自動的に閉鎖し得る。いくつかの実施形態において、フィレット１９０８の代わりに、閉鎖可能である（およびいくつかの実施形態において開放可能な鍔部）という目的を踏まえた上で、ヒンジ、継手、または他の旋回機構を使用し得る。いくつかの実施形態において、鍔部１９００は、鍔部１９００が閉鎖位置にあるときに互いに接触する面１９０１、１９０２を含む。いくつかの実施形態において、これらの面１９０１、１９０２は互いに付着（溶接、膠付けなど）されて、薬剤リザーバ（例えば、バイアルなど）を永久的に保持し得るリザーバ係合開口１９０６を有する鍔部を形成し得る。いくつかの実施形態において、接着剤、グルー、ゴム加工剤、または他の候補物質をカートリッジのネックと先付け鍔部１９００との間の係合開口１９０６の嵌合面１９０５に適用して、リザーバのネックに対する先付け鍔部１９００の摩擦を増大させかつその回転を減少または防止し得る。いくつかの変形形態において、上述の通り、鍔部がカートリッジのネック上に組み立てられるとき、嵌合面１９０５は、ボンディング、膠付け、レーザ溶接、または他の方法で取り付けられ得る。いくつかの実施形態において、嵌合面１９０５は、圧縮性（スポンジ、フォーム、ゴム、軟質プラスチック、リブ付き、ファブリックなど）であり、それらをリザーバの周りで圧縮できるようにして適所にロックする。いくつかの実装形態において、鍔部１９００は、１つ以上の形状が合った縁（傾斜付き、合わせられたものなど；図示せず）を含んで、鍔部１９００をリザーバと同一平面で相互作用できるようにする。
【０２４０】
いくつかの実施形態において、図５４Ａ〜Ｃに示すように、先付け鍔部は、対応するキャップコネクタ１９１０（例えば、注入口コネクタ）とのみ結合できるようにする１つ以上のタブ、隆起、特徴を含み、および対応するキャップコネクタは、先付け鍔部上の独特の差別化タブ、隆起、または特徴と適合するために対応するキャビティ、溝、キー溝、またはスロットを含む。
【０２４１】
例えば、いくつかの実装形態において、図示の通り、鍔部１９００は、２つの鍔状突起１９０３（縁、リップなどを有する突起）を含む。いくつかの変形形態において、これらの鍔状突起１９０３は、図５４Ａ〜Ｃに示すように、注入口コネクタ１９１０に配置された１つ以上の同一場所の鍔状突起の相手方１９６６（リップ、縁、クリップなど）（１つのみを示す）と相互作用するように構成される。いくつかの実施形態において、鍔状突起１９０３は、鍔状突起の相手方１９６６に係合して、鍔部を適所にスナップ嵌めし、鍔部１９００および注入口コネクタ１９１０を互いに同一平面に保持する。いくつかの変形形態において、注入口コネクタ１９１０は、鍔状突起１９０３の各構成と対になる同一場所の突起の相手方１９６６を有する。いくつかの実施形態において、鍔状突起の相手方１９６６は、先付け鍔部１９００上の特徴（例えば、鍔状突起１９０３）に係合するおよび／または鍔部１９００自体に係合する捕捉機構の機能を果たす。いくつかの実施形態において、鍔部は、カートリッジのヘッド（または冠部）に接続する種類、またはカートリッジのネックに接続する種類のいずれかである。いくつかの実施形態において、注入口コネクタ１９１０の捕捉機構は、先付け鍔部の上側に押し当てられるときにわずかに拡張し、その後、注入口コネクタ１９１０は適所にスナップ嵌めして、先付け鍔部上のタブ、隆起、または特徴に、または先付け鍔部の底縁に係合し、およびキャップコネクタを先付け鍔部に確実に締結し得る。カートリッジ、先付け鍔部、およびキャップコネクタサブアセンブ
リは、その後、ポンプハウジングユニット内に締結され得る。
【０２４２】
いくつかの実施形態において、図示の通り、鍔状突起１９０３は、鍔部１９００の周りで均一に離間される（約１８０°離れている）。いくつかの実施形態において、上述の様々な実施形態で説明したように、突起は、様々な距離で鍔部の周りに分配され得る。いくつかの変形形態において、図５４Ａ〜Ｂに示すように、鍔部１９００は、注入口コネクタ１９１０上に配置された１つ以上の同一場所の鍔部ガイド要素トラック１９６５（キャビティ、溝、キー溝、スロット、開口など）と相互作用するように構成された２つの鍔部ガイド要素１９０４（タブ、隆起など）を含む。図５４Ｂに示すように、鍔部ガイド要素は１２０°離れており、そのうちの一方は、開口部１９０９によって二等分されている。いくつかの変形形態において、図示の通り、注入口コネクタ１９１０は、鍔部ガイド要素１９０４の各構成と嵌合する同一場所の鍔部ガイド要素トラック１９６５を有する。
【０２４３】
いくつかの実施形態において、図５４Ａ〜Ｃに示すように、いくつかの態様では上述の実施形態と同様に、注入口コネクタ１９１０は対を形成する突起１９１２を含み得る。
【０２４４】
いくつかの実施形態において、図５４Ａ〜Ｃから明らかなように、鍔部１９００が注入口コネクタ１９１０内に挿入されると、鍔部ガイド要素１９０４は、組立済みの鍔部１９００および注入口コネクタ１９１０のためのガイド要素（タブ、隆起、または特徴）の機能を果たし得る。いくつかの実施形態において、鍔部ガイド要素１９０４は、注入口コネクタ１９１０を通って突出し、例えば、注入ポンプ（例えば、注入ポンプハウジング）にある特定の嵌合用開口内への配置を容易にする一方、誤った開口内への挿入を阻止（または防止）する（ある点では、例えば、上述の注入口コネクタ７１０のガイド要素７１８と同様）。いくつかの実施形態において、キャップは、適所にヒートステイキング（または他の方法で付着、膠付け、溶接など）され得る穿刺要素３２６を含む。いくつかの実施形態において、注入口コネクタはまた、図３７Ｃに示すガイド要素７１８と同様のガイド要素を含む。
【０２４５】
いくつかの変形形態において、図５４Ｃに示すように、注入口コネクタ１９１０は、約１８０°離れている２つの注入口コネクタスペーサ１９３６（例えば、逃がしスリット）を含む。いくつかの実施形態において、この注入口コネクタスペーサ１９３６は、注入口コネクタ１９１０を、ポンプハウジング内に挿入されるときに圧縮できるようにするか、またはリザーバおよびキャップがそこに挿入されるときに拡張できるようにする。これらの逃がしスリットは、ガイド要素と同じ方法でコネクタの周りにおいて離間され得る。スリットは、嵌合特徴を含むポンプハウジング内への緊密なスナップ嵌めでの適合を可能にする。
【０２４６】
図５５Ａ〜Ｃは、６個の別個の構成部品を示す：カートリッジ５１０、図５１Ａ〜Ｂの鍔部１６００（いくつかの実施形態において、カートリッジのネックの周りに挿入し、かつ独特の差別化タブ、キー、または隆起、ならびにキャップコネクタと係合しかつそれによってロックできるようにする特徴を含む）、注入口コネクタ１６１０（例えば、キャップコネクタ；いくつかの実施形態において、先付け鍔部上の独特の差別化タブ、隆起、または特徴と適合するための対応するキャビティ、溝、キー溝、またはスロット、および先付け鍔部上の特徴によってロックする捕捉機構を含む）、注入口コネクタカバー１６３０（例えば、副キャップ、同軸ネジキャップなど；いくつかの実施形態において、チューブを上下に摺動でき、およびキャップコネクタの上側に嵌まりかつポンプハウジングに螺合される）、針３１６（いくつかの実施形態において、キャップコネクタにオーバーモールド、ボンディング、圧入、膠付け、溶媒結合、インサート成形、または他の方法で取り付けられる）、およびチューブ３１０（いくつかの実施形態において、両方のキャップコネクタにオーバーモールド、ボンディング、圧入、膠付け、溶媒結合、インサート成形、ま
たは他の方法で取り付けられる）。図５５Ａ〜Ｃに示すように、および本明細書の他の実施形態に関して説明するように、いくつかの実施形態において、第１のチャネル３１０は、注入口コネクタ１６１０に結合する第１の薬剤リザーバ５１０内に挿入されるように構成された第１の穿刺要素３１６（例えば、針、カニューレなど）を含む。いくつかの実施形態において、針３１６は、対を形成する突起１６１２に挿入することにより、薬剤リザーバ５１０上の内部リザーバカバー１６５０内に配置されたリザーバ隔壁５１４を穿刺する。いくつかの実施形態において、図示の通り、第１のリザーバ５１０は、注入ポンプのピストンによって押し下げられるように適合された第１のプランジャー５１２を有する。いくつかの実施形態において、針は、注入口コネクタ１６１０の内側にオーバーモールド、ボンディング、圧入、膠付け、溶媒結合、インサート成形、または他の方法で取り付けられる。いくつかの実施形態において、中空針は、キャップコネクタ内の奥まった箇所に置かれて、タッチプルーフとなるようにする。この実施形態において、図５５Ｃの針は、リザーバ５１０の上側にある隔壁５１４を穿刺した。
【０２４７】
いくつかの実施形態において、図５５Ａ〜Ｃに示すように、および本明細書の他の実施形態に関して説明するように、注入口コネクタカバー１６３０（例えば、副キャップなど）は、対を形成する突起１６１２を介して注入口コネクタ１６１０と相互作用するように構成され得る。いくつかの実施形態において、対を形成する突起は、リブ付きであるか、またはネジが切られて、注入口コネクタカバー１６３０にスナップ嵌めまたはネジ嵌めできるようにする。いくつかの実施形態において、対を形成する突起は、注入口コネクタカバー１６３０にスナップ嵌めまたは螺合せず、その代わりに滑らかである。いくつかの変形形態において、カバー１６３０は、流体管３１０に成形されて永久的に取り付けられる。いくつかの実施形態において、チューブ３１０は、キャップコネクタおよび中空針にオーバーモールド、ボンディング、圧入、膠付け、溶媒結合、インサート成形、または他の方法で取り付けられて、中空針、キャップコネクタ、およびチューブを通る、開存した連続的な流路を可能にする。いくつかの実施形態において、カバー１６３０および流体管３１０は、可逆的に取り付け可能である。
【０２４８】
いくつかの実施形態において、図５５Ｂに示すように、注入口コネクタカバー１６３０は、流体管３１０に沿って自由に可動である。いくつかの実施形態において、針３１６は、対を形成する突起１６１２に成形され、そこに固定される。いくつかの実施形態において、注入口コネクタカバー１６３０は、対を形成する突起１６１２を介して注入口コネクタ１６１０にヒートステイキングされる。いくつかの実施形態において、流体管は、第１の注入口コネクタおよびカバー内で自由に回転でき、それにより、上述の通り、流体管のねじれを回避するのを支援する。いくつかの変形形態において、注入口コネクタカバー１６３０および注入口コネクタは、圧縮性Ｏリングによって分離される。このＯリングは、カバーおよびコネクタを密結合させて、それらを一緒に密封できるようにする。いくつかの実施形態において、圧縮性Ｏリング（４１５として上述したものと同様）は第１の注入口コネクタカバー（４３０として上述したものと同様）のネジ山の周りに存在して、雄ネジを介した融合ポンプへの密な接続を容易にする。
【０２４９】
いくつかの変形形態において、カバー１６３０は、注入ポンプハウジング上にある嵌合受口と相互作用しかつ係合するように構成された外部係合手段１６３４（例えば、雄ネジ、リブ付けなど）を含む。これらのネジ山は、ハウジングの対応するネジ山とのみ相互作用するように構成され得る。いくつかの実施形態において、カバー１６３０は、対を形成する突起１６１２と係合しないように構成された対を形成する開口１６３２を含む。いくつかの実施形態において、カバー１６３０は、非嵌合の対を形成する突起と係合しないように構成される対を形成する開口１６３２を含む。
【０２５０】
図５５Ａ〜Ｃに示すように、いくつかの実装形態において、注入口コネクタ１６１０は
、薬剤リザーバ５１０と相互作用するように構成される。いくつかの実施形態において、注入口コネクタ１６１０内に適切に挿入されるようにするため、リザーバは、鍔部１６００を取り付けられる必要がある。いくつかの実施形態において、上述の通り、鍔部の突起は、適切な注入口コネクタ１６１０とのみ相互作用するように構成され得る。いくつかの実施形態において、鍔部は、特定のサイズおよび直径のリザーバに適合され得る。いくつかの実施形態において、これらの異なるリザーバ用の鍔部は、いくつかのリザーバとのみ相互作用でき、それにより誤チャネル配置の機会を最小限にする。他の実施形態において、同じリザーバを使用でき、および適切な鍔部の選択によって誤チャネル配置を防止できる。いくつかの実施形態において、鍔部は、システムのリザーバ、注入口、および他の構成部品を適合させるように色分けされて、誤チャネル配置をさらに防止および／または阻止できる。
【０２５１】
図５６Ａ〜Ｃは、図５５Ａ〜Ｃに示すものと異なり、かつ誤チャネル配置を回避する薬物送達ポンプシステムを提供するために図５６Ａ〜Ｃのシステムと一緒に使用される６個の別個の構成部品を示す。
【０２５２】
図５６Ａ〜Ｃの実施形態の構成部品は、カートリッジ５２０、図５２Ａ〜Ｂの鍔部１７００（いくつかの実施形態において、カートリッジのネックの周りに挿入されおよび独特の差別化タブ、キー、または隆起、ならびにキャップコネクタと係合しかつそれによってロックできるようにする特徴を含む）、注入口コネクタ１７１０（例えば、キャップコネクタ；いくつかの実施形態において、先付け鍔部上の独特の差別化タブ、隆起、または特徴と適合するための対応するキャビティ、溝、キー溝、またはスロット、および先付け鍔部上の特徴によってロックする捕捉機構を含む）、注入口コネクタカバー１７３０（例えば、副キャップ、同軸ネジキャップなど；いくつかの実施形態において、チューブを上下に摺動でき、およびキャップコネクタの上側に嵌まりかつポンプハウジングに螺合される）、針３２６（いくつかの実施形態において、キャップコネクタにオーバーモールド、ボンディング、圧入、膠付け、溶媒結合、インサート成形、または他の方法で取り付けられる）、およびチューブ３２０（いくつかの実施形態において、両方のキャップコネクタにオーバーモールド、ボンディング、圧入、膠付け、溶媒結合、インサート成形、または他の方法で取り付けられる）を含む。図５５Ａ〜Ｃに示すように、および本明細書の他の実施形態に関して説明するように、いくつかの実施形態において、第２のチャネル３２０は、注入口コネクタ１７１０に結合する第２の薬剤リザーバ５２０内に挿入されるように構成された第２の穿刺要素３２６（例えば、針、カニューレなど）を含む。いくつかの実施形態において、針３２６は、対を形成する突起１７１２に挿入することにより、薬剤リザーバ５２０上の内部リザーバカバー１７５０内に配置されたリザーバ隔壁５２４を穿刺する。いくつかの実施形態において、第２のリザーバ５２０は、注入ポンプのピストンによって押し下げられるように適合された第２のプランジャー５２２を有する。いくつかの実施形態において、針は、注入口コネクタ１７１０の内側にオーバーモールド、ボンディング、圧入、膠付け、溶媒結合、インサート成形、または他の方法で取り付けられる。いくつかの実施形態において、中空針は、キャップコネクタ内の奥まった箇所に置かれて、タッチプルーフとなるようにする。この実施形態において、図５５Ｃの針は、リザーバ５２０の上側にある隔壁を穿刺した。
【０２５３】
いくつかの実施形態において、図５６Ａ〜Ｃに示すように、および本明細書の他の実施形態に関して説明するように、注入口コネクタカバー１７３０（例えば、副キャップなど）は、対を形成する突起１７１２を介して注入口コネクタ１７１０と相互作用するように構成され得る。いくつかの変形形態において、カバー１７３０は、流体管３２０に成形されて永久的に取り付けられる。いくつかの実施形態において、チューブ３２０は、キャップコネクタおよび中空針にオーバーモールド、ボンディング、圧入、膠付け、溶媒結合、インサート成形、または他の方法で取り付けられて、中空針、キャップコネクタ、および
チューブを通る、開存した連続的な流路を可能にし得る。いくつかの実施形態において、カバー１７３０および流体管３２０は、可逆的に取り付け可能である。いくつかの実施形態において、図５６Ｂに示すように、注入口コネクタカバー１７３０は、流体管３２０に沿って自由に可動である。いくつかの実施形態において、針３２６は、対を形成する突起１７１２に成形されてそこに固定される。いくつかの実施形態において、注入口コネクタカバー１７３０は、対を形成する突起１７１２を介して注入口コネクタ１７１０にヒートステイキングされる。いくつかの実施形態において、流体管は、注入口コネクタおよびカバー内で自由に回転でき、それにより、上述の通り、流体管のねじれを回避するのを支援する。いくつかの変形形態において、注入口コネクタカバー１７３０および注入口コネクタは、圧縮性Ｏリングによって分離される。このＯリングは、カバーおよびコネクタを密結合させて、それらを一緒に密封できるようにする。いくつかの実施形態において、圧縮性Ｏリング（４１５として上述したものと同様）は、第１の注入口コネクタカバー（４３０として上述したものと同様）のネジ山の周りに存在して、雄ネジを介した融合ポンプへの密な接続を容易にする。
【０２５４】
いくつかの変形形態において、カバー１７３０は、注入ポンプハウジング上にある嵌合受口とのみ特定に相互作用しかつ係合するように構成された外部係合手段１７３４（例えば、雄ネジ、リブ付けなど）を含む。いくつかの実施形態において、カバー１７３０は、対を形成する突起１７１２と係合するように構成された対を形成する開口１７３２を含む。いくつかの実施形態において、カバー１７３０は、非嵌合の対を形成する突起と係合しないように構成される対を形成する開口１７３２を含む。
【０２５５】
図５６Ａ〜Ｃに示すように、いくつかの実装形態において、注入口コネクタ１７１０は、薬剤リザーバ５２０と相互作用するように構成される。いくつかの実施形態において、注入口コネクタ１７１０内に適切に挿入されるようにするため、リザーバは、鍔部１７００を取り付けられる必要がある。いくつかの実施形態において、上述の通り、鍔部の突起は、適切な注入口コネクタ１７１０とのみ相互作用するように構成され得る。いくつかの実施形態において、鍔部は、特定のサイズおよび直径のリザーバに適合され得る。いくつかの実施形態において、これらの異なるリザーバ用の鍔部は、いくつかのリザーバとのみ相互作用でき、それにより誤チャネル配置の機会を最小限にする。他の実施形態において、同じリザーバを使用でき、および適切な鍔部の選択によって誤チャネル配置を防止できる。いくつかの実施形態において、鍔部は、システムのリザーバ、注入口、および他の構成部品を適合させるように色分けされて、誤チャネル配置をさらに防止および／または阻止できる。
【０２５６】
いくつかの実施形態において、図５５Ａ〜Ｃおよび図５６Ａ〜Ｃの構成部品は、図４３Ａ〜Ｂに示すものと同様のハウジングにおいて使用され得る。
【０２５７】
いくつかの実施形態において、上記で示した通り、薬剤注入システムは注入口システムを含む。いくつかの実施形態において、注入口システムはコネクタセットを含む。いくつかの実施形態において、コネクタセットは、薬剤の誤チャネル配置を防止するように構成される（例えば、対を形成する特徴を有する）。図５７Ａ〜Ｂは、誤チャネル配置を防止するように適合された第１の注入口コネクタ２０１０および第２の注入口コネクタ２１１０を含むコネクタセット２０００の等角図を示す。図５７Ａ〜Ｂは、異なる針コネクタ２０１０、２１１０（例えば、注入口コネクタ）が、１８０度（図５７Ａ）および１２０度（図５７Ｂ）だけ分離された独特の差別化ガイド要素２０１８、２１１８（例えば、タブ、特徴、または隆起）を有する、２つの実施形態を示す。いくつかの実施形態において、これらの独特の差別化ガイド要素２０１８、２１１８（例えば、タブ、特徴、または隆起）は、ポンプ６５１のポンプハウジング６８０にある対応するガイド要素開口６８１、６８２（例えば、キャビティ、溝、キー溝、またはスロット）と特異的に嵌合し（図５９Ａ
〜Ｂに示すように）、誤ったポンプ受口６７０（例えば、チャンバ）への注入口コネクタ２０１０の挿入が防止される。図５７Ｃに示すように、針コネクタセンブリの断面図では、いくつかの実施形態において、注入口コネクタ２２１０には独特の差別化タブ、特徴、または隆起がない。
【０２５８】
いくつかの実施形態において、図５７Ａ〜Ｂに示すように、注入口コネクタ２０１０、２１１０は、注入口コネクタスペーサ２０３６、２１３６（例えば、逃がしスリット）を有し得る。いくつかの実施形態において、コネクタスペーサは、注入口コネクタを拡張できるようにし得る（例えば、バイアルの上側でバイアルの周りに緊密にスナップ嵌めするように）および／または収縮できるようにし得る（例えば、ポンプ受口にスナップ嵌めするように）。いくつかの実施形態において、注入口コネクタ２０１０、２１１０は、突起の相手方２０６６、２１６６（例えば、捕捉−ロック特徴）を含んで、薬剤カートリッジとの相互作用を容易にする（図５８Ａ〜Ｃに示す）。
【０２５９】
いくつかの実施形態において、図５７Ａ〜Ｃに示すように、チューブ３０１は、個々の注入口コネクタ２０１０、２１１０、２２１０に個別に付着され得る（例えば、オーバーモールド、ボンディング、圧入、膠付け、溶媒結合、インサート成形、または他の方法で取り付けられる）。いくつかの実施形態において、チューブ３０１（例えば、チャネル、または他の流体管）は、別個の穿刺要素３１６、３２６、３３６（例えば、直線で傾斜付きの中空のステンレス鋼の針）に接続して、薬剤バイアルから、穿刺要素３１６、３２６、３３６、注入口コネクタ２０１０、２１１０、２２１０および／またはチューブ３０１などを通って注入セットへの閉鎖した、独立した、開存した、および連続的な流路を可能にする。いくつかの実施形態において、穿刺要素３１６、３２６、３３６は、注入口コネクタ２０１０、２１１０、２２１０内の奥まった箇所に置かれて、タッチプルーフとなるようにし得る（例えば、注入口コネクタが操作されるときに穿刺要素が使用者を刺すのを防止する）。いくつかの実施形態において、図５７Ａ〜Ｃに示すように、注入口システムは、注入口コネクタカバー２０３０、２１３０、２２３０を含む。いくつかの実施形態において、注入口コネクタカバー２０３０、２１３０、２２３０は、対を形成する突起２０１２、２１１２、２２１２を介して注入口コネクタ２０１０、２１１０、２２１０に係合する。いくつかの実施形態において、対を形成する突起は、カバーが、対にされた注入口コネクタ（図示せず）のみと係合できるようにする１つ以上の特徴（例えば、タブ、スリット、突起など）を含む。いくつかの実施形態において、図５７Ａ〜Ｃに示すように、注入口コネクタカバー２０３０、２１３０、２２３０（例えば、キャップ）は、ポンプ受口に付着できるようにする締め付け特徴２０３１、２１３１、２２３１（例えば、ネジ山、摩擦対など）を含み得る。いくつかの実施形態において、コネクタキャップ／カバー２０３０、２１３０、２２３０は、チューブ３０１の周りで自由に回転可能である。いくつかの実施形態において、キャップ２０３０、２１３０、２２３０は、チューブ３０１を上下に摺動でき、かつカートリッジ（例えば、バイアル、薬剤リザーバ）および針コネクタ（例えば、注入口コネクタ）サブアセンブリをポンプハウジング（図５９Ｂに示す）に固定するために使用され得る。
【０２６０】
いくつかの実施形態において、図５７Ａ〜６１Ｃに示すものなどの注入口コネクタは、両側に、薬剤充填済みカートリッジのヘッド（または冠部）の周りのアルミニウム製クリンプシールの上側に押し当てられるときにわずかに拡張できるようにする逃がしスリットと、アルミニウム製クリンプシールの底面を係合し、同時に針コネクタをカートリッジのヘッド（または冠部）の周りのアルミニウム製クリンプシールにインターロックして確実に締結することにより、適所にスナップ嵌めする捕捉−ロック特徴とを有する。いくつかの実施形態において、締結されると、カートリッジおよび針コネクタサブアセンブリは、ポンプハウジング６８０内に挿入されてそこに締結され得る（図５９Ａ〜Ｂに示すように）。
【０２６１】
いくつかの実施形態において、図５７Ａ〜Ｂに示すように、注入口コネクタシステム２００１、２００２は、注入口コネクタカバー２０３０、２１３０または他の注入口コネクタシステム特徴の周り（例えば、周辺、外周など）に配置されたガスケット特徴２０３８、２１３８（例えば、Ｏリング、または圧縮性特徴）を含み得る。いくつかの実施形態において、Ｏリングはコネクタキャップ２０３０、２１３０をポンプ６５１に確実に締結して、薬剤バイアルが受口６６０、６７０を介してポンプ６５１内に挿入され、締め付け特徴２０３１、２１３１、２２３１を使用してそこで締められるときにほとんどまたは全く動かなくするようにできる。薬剤受口はポンプハウジングの残りの部分から隔離され得るが、Ｏリングも、薬剤受口内への流体の侵入を減少させて（例えば、最小限にする、少なくするなど）、結果として生じるポンプの損傷を最小限にする。
【０２６２】
図５８Ａ〜Ｃは、（Ａ）カートリッジおよび針コネクタセンブリ内で使用され得る個々の構成部品、（Ｂ）そのような実施形態で使用され得るサブアセンブリ、および（Ｃ）完全に接続済みのカートリッジおよび針コネクタセンブリの様々な構成部品および等角図を示す。カートリッジサブアセンブリを形成するため、シール５３６（例えば、アルミニウム製クリンプシールなど）は、カートリッジ隔壁５３４およびカートリッジ本体５３１のヘッド５３２（または冠部）を包む。いくつかの実施形態において、シール５３６および隔壁５３４は、薬剤リザーバ５３０の一方の端部に無菌バリアおよび流体シールを生じるために使用され得る。
【０２６３】
いくつかの実施形態において、エラストマープランジャー５５０がカートリッジ５３０の他方の端部に無菌バリアおよび流体シールを生じる。いくつかの実施形態において、エラストマープランジャー５５０は、インサート５６０（例えば、鉄製インサート）を捕捉する（例えば、ネジ山、摩擦などにより）受口５５２を有する。いくつかの実施形態において、図示の通り、インサート５６０は、プランジャー５５０上の対にされたネジ山に対応しかつそれに係合するようにネジが切られている。いくつかの実施形態において、インサート５６０は、結合されたピストン（例えば、磁気的に結合された）と一緒に使用されて、エラストマープランジャー５５０からピストンを不注意に分離することに起因する誤った薬剤送達を防止し得る。いくつかの実施形態において、この鉄製インサートは、ポンプチャンバ内の駆動ナットの端部にある磁石とエラストマープランジャーとの間の磁気結合を促して、重力により誘起された患者と注入システムとの間の静水圧の変化または患者と注入システムとの間に生じ得る静水圧の任意の他の変化に起因する意図的でない薬剤送達である場合のような、駆動ナットからのエラストマープランジャーの不注意な離脱または離昇を防止し得る。いくつかの実施形態において、鉄製インサートは、滑り嵌めまたはスナップ嵌めによってエラストマープランジャーに接続され得る。
【０２６４】
いくつかの実施形態において、注入口コネクタ２１１０（すなわち、針コネクタ）は、その逃がしスリット２１３６のため、クリンプシール５３６が取り付けられたカートリッジのヘッド５３２（または冠部）の周りで拡張でき、アルミニウム製クリンプシール５３６の底面に係合しかつ同時に注入口コネクタ２１１０をアルミニウム製クリンプシール５３６とインターロックして確実に締結することにより、その捕捉−ロック特徴／突起の相手方２０６６が適所にスナップ嵌めできるようにする。カートリッジおよび針コネクタサブアセンブリは、ポンプハウジング内に挿入でき、および図５８Ｃに示すチューブ３０１に沿って自由に摺動できる同軸ネジキャップ２０３０を使用してサブアセンブリをポンプハウジングに締結し、Ｏリング２０３８がポンプチャンバを外部流体から保護する（図５９Ａ〜Ｂに示す）。
【０２６５】
上述の通り、図５９Ａ〜Ｂは、（図５９Ａに）ポンプハウジング６８０内に部分的に載荷され、および同軸ネジキャップ２０３０、２１３０がポンプハウジング５８０に完全に
螺合された状態でポンプハウジング５８０内に完全に載荷されたリザーバおよび注入口コネクタサブアセンブリを示す、薬剤カートリッジおよび針コネクタアセンブリ（図５７Ａ〜５８Ｃに示す）と一緒に使用され得る１つのタイプのポンプハウジング６８０の図である。いくつかの実施形態において、ポンプ６５１は、例えば、血糖値、薬剤の残量、バッテリー寿命などに関するデジタルフィードバックを使用者に提供し得るディスプレイ６５２を有する。
【０２６６】
図６０Ａ〜Ｂは、２つのカートリッジおよび針コネクタセンブリを備える実施形態を示す等角図を提供する。いくつかの実施形態において、図６０Ａ〜Ｂに示すように、第１の薬剤リザーバ５３０は、それぞれ第２の薬剤リザーバ５７０の外径（ＯＤ”）および内径（ＩＤ”）よりも大きい外径（ＯＤ’）およびよりも大きい内径（ＩＤ’）を有する。いくつかの実施形態において、注入口コネクタ２３１０はスカート特徴を有する。より小さい直径のカートリッジ５７０と一緒に使用されるとき、注入口コネクタ２３１０は、カートリッジの肩を越えて延在しかつより小さい直径のカートリッジ壁／本体５７１をより確実に保持するスカート特徴２３２０を有する。いくつかの実施形態において、そのようなスカート特徴２３２０を備える注入口コネクタ２３１０を、意図したカートリッジのものよりも大きい外径のカートリッジに誤って接続しようとすることは、スカート特徴２３２０によって止められ、注入口コネクタ２３１０の捕捉−ロック特徴（例えば、突起の相手方２３６６）が適所にスナップ嵌めできないか、または第１の薬剤リザーバ５３０（図５８Ａ〜Ｂに示す）のアルミニウム製クリンプシール５３６の底面に係合できず、および注入口コネクタ２３１０の直線で傾斜付きの中空のステンレス鋼針（図示せず）は、より大きい直径のカートリッジ５３０のカートリッジ隔壁５３４（図５８Ａに示す）を突き刺さないようにする。このようにして、意図したカートリッジよりも大きい直径のカートリッジへの針コネクタ２３１０の誤接続を防止する（図示せず）。さらに、ポンプハウジングは、より大きい直径のカートリッジ５３０が、より小さい直径のカートリッジを対象としたポンプチャンバ／受口に収まることができないように設計され得る。図５９Ａに示す２つのポンプチャンバ／受口は同じ直径のものであり、および図５９Ａに示す２つのカートリッジは同じ直径のものであるが、ポンプチャンバ／受口は、異なる直径を有するカートリッジに適応するために異なる直径であり得る。これは、ポンプチャンバ／受口内にある異なる直径のスリーブインサートまたは異なるチャンバ／受口穴径のいずれかによって達成され得る。いくつかの実施形態において、より大きい直径のカートリッジを対象としたポンプチャンバの内側にある主ネジ上の駆動ナットは、内径ＩＤ”が駆動ナットよりも小さいため、より小さい直径のカートリッジ５７０のルーメンに収まることができない（図示せず）。このようにして、カートリッジが間違ったポンプチャンバに載荷されたときの流体の送達が防止される。
【０２６７】
２つの薬剤を伴ういくつかの実施形態において、一方の薬剤（薬剤Ａ）を入れているカートリッジ（カートリッジＡ）は、他方の薬剤（薬剤Ｂ）を入れている他方のカートリッジ（カートリッジＢ）の対応する直径よりも大きい内径および外径を有して（図６０Ａ〜Ｂに示すように）、薬剤Ａを入れているカートリッジＡが、薬剤Ｂを入れているカートリッジＢを対象としたポンプチャンバに収まらないようにし、および薬剤Ａを対象としたポンプチャンバ内の主ネジの端部にある駆動ナットは、薬剤Ｂを入れているカートリッジＢに収めるには大き過ぎるようにする。
【０２６８】
２つの薬剤を伴ういくつかの実施形態において、カートリッジＢを対象とした針コネクタは、カートリッジＢを対象とした針コネクタが誤ってカートリッジＡに配置された場合、カートリッジＢを対象とした針コネクタがカートリッジＡを突き刺すおよび／または捕捉するのを防止するスカート特徴２３２０を有する（図６０Ｂに示すように）。
【０２６９】
２つの薬剤を伴ういくつかの実施形態において、一方のカートリッジの冠部の周りのア
ルミニウム製クリンプシールの直径は、他方のカートリッジのものと同一であるが、カートリッジＢの冠部の周りのアルミニウム製クリンプシールの高さは、カートリッジＡのものよりも高く、カートリッジＡを対象とした針コネクタが誤ってカートリッジＢに配置された場合でも、カートリッジＡを対象とした針コネクタ２３１０内の捕捉−ロック特徴２３６６が係合しないようにする（図示せず）。
【０２７０】
いくつかの実施形態において、図５７Ａ〜６０Ｂに示すように、針コネクタ２０１０、２１１０、２２１０、２３１０は、実施形態に示すように、任意の数の独特の差別化タブ、特徴、または隆起を有し、これらは、針コネクタ上の独特の差別化タブ、特徴、または隆起と適合するための対応するキャビティ、溝、キー溝、またはスロットを含むポンプハウジングのポンプチャンバ内へ挿入できるようにする。このようにして、１つのタイプの針コネクタのみが１つの特定のポンプチャンバ内に特異的に挿入され得る。あるいは、針コネクタは、ポンプハウジングのポンプチャンバ内のタブ、特徴、または隆起と特異的に嵌合する任意の数のキャビティ、溝、キー溝、またはスロット（図示せず）を含み得る。
【０２７１】
いくつかの実施形態において（図５７Ａ〜６０Ｂに示すように）、直線で傾斜付きの中空のステンレス鋼針が針コネクタ２０１０、２１１０、２２１０、２３１０の内側にオーバーモールド、ボンディング、圧入、膠付け、溶媒結合、インサート成形、または他の方法で取り付けられ、およびチューブ３０１は、針コネクタ２０１０、２１１０、２２１０、２３１０および直線で傾斜付きの中空のステンレス鋼針にオーバーモールド、ボンディング、圧入、膠付け、溶媒結合、インサート成形、または他の方法で取り付けられて、直線で傾斜付きの中空のステンレス鋼針、針コネクタ、およびチューブを通る、閉鎖した、独立した、開存した、および連続的な流路を可能にする。いくつかの実施形態において、直線で傾斜付きの中空のステンレス鋼針は、針コネクタ２０１０、２１１０、２２１０、２３１０内の奥まった箇所に置かれて、タッチプルーフとなるようにする。
【０２７２】
いくつかの実施形態において、チューブ３０１は、同軸ネジキャップ２０３０、２１３０、２２３０、２３３０を通過し、同軸ネジキャップを上下に自由に摺動でき、かつポンプハウジングに螺合される。
【０２７３】
いくつかの実施形態において、カートリッジ、針コネクタ、およびチューブシステム（図５８Ａ〜６０Ｂに示すように、直線で傾斜付きの中空のステンレス鋼針、捕捉−ロック特徴によって針コネクタに締結されたカートリッジ、チューブ、および同軸ネジキャップからなる）を含む、完全に組み立てられたカートリッジアセンブリは、針コネクタ上の独特の差別化タブ、特徴、または隆起に適合するための対応するキャビティ、溝、キー溝、またはスロットを含むポンプハウジングのポンプチャンバ内に挿入する。その後、図５９Ａ〜Ｂに示すように、同軸ネジキャップは、ポンプハウジングのネジ山に螺合される。
【０２７４】
いくつかの実施形態において、図６１Ａ〜Ｂに示すように、薬剤リザーバ充填システムが提供される。図６１Ａは、ケアする時点で薬剤カートリッジを充填するために使用されるカートリッジ充填装置サブアセンブリの回転された等角図を示す。図６１Ｂは、充填装置が接続された後の充填可能なカートリッジアセンブリを示す。図６１Ｃは、充填装置が除去された後の充填可能なカートリッジを示す。いくつかの実施形態において、図示の通り、充填可能なカートリッジ本体５３０は、カートリッジ隔壁５３４（図５８Ａに示す）、アルミニウム製クリンプシール５３６およびエラストマープランジャー５５０が供給され、かつ予め組み立てられており、鉄製インサート５５２用のそのネジ付き受口が露出している。いくつかの実施形態において、単一の針５９５（２つの傾斜付き先端を備えるか、または単一の傾斜付き先端をそれぞれ備える２本の針を備える）を含む針移送ハブ５９６がその針ガード５９４に取り付けられ、かつ充填可能なカートリッジ５３０と一緒に提供される。いくつかの実施形態において、押し子５９０が破壊可能な継手またはネジ山に
よってネジ付き鉄製インサート５６１に取り付けられ、かつ充填可能なカートリッジ５３０と一緒に提供される。いくつかの実施形態において、ケアする時点で（または充填が適切である部位で）、押し子５９０を使用して、ネジ付き鉄製インサート５６１を、エラストマープランジャー５５０内に存在する鉄製インサート５５２用のネジ付き受口に螺合する（取り付け特徴５６１’により）。いくつかの実施形態において、その後、針移送ハブ５９６はカートリッジ５３０に接続され、針移送ハブ５９６内のタッチプルーフ針または針先端（図示せず）がカートリッジ隔壁（図５８Ａに示す）を穿刺してから、針ガード５９４は、バイアルの隔壁を穿刺するように設計された針または針先端５９５を見せるために取り外される。その後、バイアルの隔壁を穿刺するように設計された針または針先端は、薬剤バイアル（図示せず）内に挿入され、および押し子５９０を使用してカートリッジ本体５３０に薬剤を充填する（例えば、針５９５をバルク薬剤に挿入し、およびプランジャー５５０を薬剤リザーバ５３０内で押し下げ、かつそこから戻すようにすることにより）。カートリッジ５３０の充填後、針移送ハブ５９６および押し子５９０は取り外され、押し子のためのネジ付き受口、または破壊可能な継手の残部を見せるようにし、およびそのネジ−ロックかかり５６１’のため、ネジ付き鉄製インサート５６１をエラストマープランジャー５５０内に埋め込まれたままにする。そのため、ケアする時点で充填されるそのようなカートリッジは、針コネクタセンブリ（図５８Ａ〜Ｃのような）に取り付けられ、かつポンプハウジング（図５９Ａ〜Ｂのような）に載荷され得る。
【０２７５】
バイアルからカートリッジへ薬剤を移送するために針移送ハブを利用するいくつかの実施形態において、図６１のように、直線で傾斜付きの中空のステンレス鋼針は、針移送ハブにオーバーモールド、ボンディング、圧入、膠付け、溶媒結合、インサート成形、または他の方法で取り付けられて、直線で傾斜付きの中空のステンレス鋼針を通る、閉鎖した、独立した、開存した、および連続的な流路を可能にする。いくつかの実施形態において、直線で傾斜付きの中空のステンレス鋼針は、両方の先端において傾斜付きにされ、一方の先端は、カートリッジの隔壁を穿刺するように設計され、および他方の先端は、バイアルの隔壁を穿刺するように設計される。いくつかの実施形態において、カートリッジの隔壁を穿刺するように設計される先端は、針移送ハブ内の奥まった箇所に置かれて、タッチプルーフとなるようにし、およびバイアルの隔壁を穿刺するように設計される先端は、針ガードによって隠されて保護され、その針ガードは、ケアする時点でバイアルの隔壁を穿刺する前に取り外され得る。
【０２７６】
バイアルからカートリッジへ薬剤を移送するために針移送ハブを利用するいくつかの実施形態において、２つの別個の直線で傾斜付きの中空のステンレス鋼針が針移送ハブにオーバーモールド、ボンディング、圧入、膠付け、溶媒結合、インサート成形、または他の方法で取り付けられて、直線で傾斜付きの中空のステンレス鋼針を通る、閉鎖した、独立した、開存した、および連続的な流路を可能にする。いくつかの実施形態において、直線で傾斜付きの中空の各ステンレス鋼針は、一方の先端のみが傾斜付きにされ、一方の針の傾斜付き先端は、カートリッジの隔壁を穿刺するように設計され、および他方の針の傾斜付き先端は、バイアルの隔壁を穿刺するように設計される。いくつかの実施形態において、カートリッジの隔壁を穿刺するように設計される先端は、針移送ハブ内の奥まった箇所に置かれて、タッチプルーフとなるようにし、およびバイアルの隔壁を穿刺するように設計される先端は、針ガードによって隠されて保護されて、その針ガードは、ケアする時点でバイアルの隔壁を穿刺する前に取り除かれ得る。あるいは、いくつかの実施形態において、バイアルの隔壁を穿刺するように設計される先端はまた、奥まった箇所に置かれて、タッチプルーフとなるようにでき、および針ガードは供給されなくてもよい。
【０２７７】
２つの薬剤を伴ういくつかの実施形態において、カートリッジＢが一方の薬剤を事前充填され、およびカートリッジＡがケアする時点で異なる薬剤を充填される場合にも（図６１Ａ〜Ｃで説明する実施形態を使用して）、依然として薬剤の誤チャネル配置が回避され
得る。いくつかの実施形態において、ケアする時点で一方のカートリッジのみが一方の薬剤で充填される必要があり、および他方のカートリッジに別の薬剤が事前充填されている限り、ここで説明する設計は、薬剤の誤チャネル配置を防止し得る。２つの薬剤を伴ういくつかの実施形態において、カートリッジＡおよびカートリッジＢは両方とも、それぞれ薬剤Ａおよび薬剤Ｂが事前充填されている。２つの薬剤を伴ういくつかの実施形態において、カートリッジＡは、ケアする時点で薬剤Ａを充填され、およびカートリッジＢは、薬剤Ｂが事前充填されている。
【０２７８】
いくつかの実施形態において、カートリッジＡはケアする時点で薬剤Ａを充填されおよびカートリッジＢは薬剤Ｂを事前充填される構成（またはその逆も同様）のように、両方ともカートリッジＡが薬剤Ａを事前充填されおよびカートリッジＢが薬剤Ｂを事前充填される構成では、同じ２薬剤注入システムが同一の針の部位、コネクタ、チューブ、およびカートリッジを使用し得る。
【０２７９】
１つのカートリッジがケアする時点で充填される必要があるいくつかの実施形態において（図６１Ａ〜Ｃのような）、薬剤は、針移送ハブおよび押し子により、薬剤を入れているバイアルからカートリッジ内へ移送され、この押し子は、破壊可能な継手またはネジ山により、カートリッジ内に存在するエラストマープランジャーに接続されて、充填手順が完了すると、押し子が接続を切られて廃棄（または再使用）され得るようにする。
【０２８０】
鉄製インサートを含むカートリッジを伴ういくつかの実施形態において（図６１Ａ〜Ｃのような）、押し子は、破壊可能な継手またはネジ山により、鉄製インサートに直接接続され得る。充填手順が完了すると、押し子は、接続を切られて廃棄（または再使用）され得、鉄製インサートをエラストマープランジャー内に埋め込まれたままにする。いくつかの実施形態において、鉄製インサートと押し子との間がネジ接続の場合、鉄製インサート上のネジ山は、一方向性の凸凹面（ｂｕｒｒｅｄ  ｓｕｒｆａｃｅ）（図６２Ａ〜Ｆにおけるような）を有し得、これは、エラストマープランジャーに簡単に螺合できるようにするが、エラストマープランジャーから外れることに抵抗する。押し子上のネジ山は滑らかであり、およびそのような一方向性の凸凹面を含まないが、鉄製インサートに簡単に螺合できかつそこから外れることができ、および鉄製インサートが完全にエラストマープランジャーに螺合されると、鉄製インサートは、エラストマープランジャーから外れない。
【０２８１】
いくつかの実施形態において、ネジ付き鉄製インサート５６１の正面図である図６２Ａに示すように、インサート５６１は、ネジ−ロックかかり５６１’を有する。押し子用のネジ付き受口５６１”を備えるネジ付き鉄製インサート５６１の等角図を図６２Ｂに示し、および図６２Ｃは、押し子用のネジ付き受口を備えていない実施形態５６０を示す。図６２Ｄは、ネジ−ロックかかり５６３’を示す滑り嵌め金属製インサート５６３の正面図である。図６２Ｅは、滑り嵌め金属製インサート５６３の等角図である。図６２Ｅは、押し子用のネジ付き受口５６３”を示す。図６２Ｆは、押し子用のネジ付き受口を備えていない滑り嵌めインサート５６２の実施形態を示す。いくつかの実施形態において、ポンプチャンバ内の駆動ナットの端部にある磁石とエラストマープランジャーとの間の磁気結合を容易にするために使用される鉄製インサートは、ネジ山により（Ａ、Ｂ、およびＣに示すように）、または滑り嵌めまたはスナップ嵌めにより（Ｄ、Ｅ、およびＦに示すように）エラストマープランジャーに取り付けられ得る。エラストマープランジャーへの取り付け方法に関わらず、鉄製インサートは、押し子用のネジ付き受口を有し得る（ＢおよびＥに示すように）。いくつかの実施形態において、押し子用のネジ付き受口が存在する場合、押し子は、鉄製インサートと一緒に予め組み立てられ得る。その後、このサブアセンブリは、ネジ山、滑り嵌め、またはスナップ嵌めのいずれかによってエラストマープランジャーに取り付けられ得、および押し子を使用して空の薬剤カートリッジを充填し得る。薬剤カートリッジを充填すると、押し子は、鉄製インサートから引き離され得る一方、鉄製
インサートをエラストマープランジャー内に埋め込まれたままにする（図６１Ｃに示すように）。金属製インサートは、ネジ−ロックかかりを有して、押し子が取り除かれるときに金属製インサートが後退して出たりまたは押し子によって回転したりすることを防止し得る。
【０２８２】
バイアルからカートリッジへ薬剤を移送するために針移送ハブを利用するいくつかの実施形態において、針移送ハブの本体は、捕捉−ロック特徴を備えないことを除いて、針コネクタと同じ型から製造され得る。これは、針移送ハブが、充填手順が完了するとカートリッジから取り除かれる必要がある一方、針コネクタがカートリッジを永久的に捕捉し、かつカートリッジがその送達可能な内容物を空にされると、カートリッジと一緒に廃棄されるためである。あるいは、針移送ハブの本体は、移送ハブが不注意にカートリッジを外すのを弱い捕捉およびロック機構によって防止するが、力を意図して加えることによって克服され得るように製造され得る。
【０２８３】
単一薬剤または多薬剤を伴ういくつかの実施形態において、各チューブの注入口端部は、針コネクタ（例えば、注入口コネクタ）にオーバーモールド、ボンディング、圧入、膠付け、溶媒結合、インサート成形、または他の方法で取り付けられ、および各チューブの送出口端部は、注入部位および単一薬剤または多薬剤を送達領域に送達する（例えば、経皮的、皮内に、皮下に、筋肉内に、静脈内などに送達する）カニューレと一緒にオーバーモールド、ボンディング、圧入、膠付け、溶媒結合、インサート成形、または他の方法で取り付けられる。
【０２８４】
単一薬剤または多薬剤を伴ういくつかの実施形態において、各チューブの注入口端部は、針コネクタにオーバーモールド、ボンディング、圧入、膠付け、溶媒結合、インサート成形、または他の方法で取り付けられ（図５７Ａ〜６０Ｂに示すように）、および各チューブの送出口端部は、直線で傾斜付きの中空のステンレス鋼針に、および皮下または皮内の注入部位ベースに接続するように設計された構成部品に（図６４、図６５、および図６９の２薬剤注入部位コネクタ、および図６７および図６８の単一薬剤注入部位コネクタに示すように）オーバーモールド、ボンディング、圧入、膠付け、溶媒結合、インサート成形、または他の方法で取り付けられる。各薬剤に対し、この配置構成は、部位コネクタにおいて、薬剤リザーバから直線で傾斜付きの中空のステンレス鋼針の端部への閉鎖した、独立した、開存した、および連続的な流路を生じる。いくつかの実施形態において、各部位コネクタは、物理的に独立することができ、かつ繰り返し注入部位ベースに対して接続するかまたは接続を切ることができる。
【０２８５】
図６３Ａ〜Ｂは、２薬剤注入セットの一部分を示す等角図である。図６３Ａは、２薬剤部位ベースインサータ２４２６が取り付けられている実施形態を示す。図６３Ｂにおいて、２薬剤部位ベースインサータ２４２６は取り除かれている。２つの薬剤を伴ういくつかの実施形態において、２薬剤部位ベースインサータ２４２６は、２つの個別の半体：右部位ベース２４２４（例えば、第１のベース、グルカゴンベースなど）および左部位ベース２５２５（例えば、第２のベース、インスリンベースなど）を結合する。いくつかの実施形態において、インサータ２４２６は、２薬剤注入部位ベース２４０１を適用するためのハンドルを提供する。いくつかの実施形態において、ベース２４０１は、１つ以上の針ガード２４２９、２５２９を含む。いくつかの実施形態において、注入セットベース２４０１は、１つ以上の剥離ライナー２４２８、２５２８を含む。いくつかの実施形態において、注入セットベース２４０１は接着剤２４２７、２５２７（例えば、テープ、ゲル、ゴム接着剤など）を含む。いくつかの実施形態において、２つの針ガード２４２９、２５２９および２つの剥離ライナー２４２８、２５２８が除去されて廃棄されると、２薬剤部位ベースインサータ２４２６を使用して２薬剤注入セットベース２４０１を適用し得る。いくつかの実施形態において、接着テープ２４２７、２５２７を使用して２薬剤注入セット２
４０１を皮膚の表面に接着し得る。いくつかの実施形態において、挿入後、２薬剤部位ベースインサータ２４２６は使い捨てにでき、および２つの一体型の丁番２４３６、２５３６を作動させて２薬剤部位ベースインサータ２４２６を保持スロット２４３０、２５３０（図６５Ｂに示す）から出るように摺動させることによって除去され、２つのポスト２４３１、２５３１を見せるようにし、この時点で、これらのポストは、部位コネクタを収容する準備が整う（図６４Ａ〜Ｂ参照）。いくつかの実施形態において、図６３Ｂに示すように、ポスト２４３１、２５３１は非対称的である。いくつかの実施形態において、注入セットインサータ２４２６は再使用可能であり、および部位ベース２４２４、２５２５に再び取り付けられ得る。
【０２８６】
いくつかの実施形態において、注入セットはコネクタカバー２４３４を含む。図６４Ａは、２薬剤部位コネクタカバー２４３４が取り付けられている２薬剤注入部位コネクタ２４３２、２５３３を示す等角図である。図６４Ｂは、２薬剤部位コネクタカバー２４３４が取り除かれた後の２薬剤注入部位コネクタを示す。いくつかの実施形態において、２薬剤部位コネクタカバー２４３４は、２つの個別の半体：第１の部位コネクタ２４３２および第２の部位コネクタ２５３３を結合する。いくつかの実施形態において、部位コネクタカバー２４３４は、部位コネクタ２４３２、２５３３を、それらが２薬剤注入部位ベース２４０１（図６３Ｂに示す）に接続されていないときに（例えば、ダスト、ダート、摩擦、物理的な損傷などへの）曝露から保護する。いくつかの実施形態において、一体型の丁番２５３６を作動させて保持クリップ２５３５を解放し、その後、保持スロット２５３０（図６５Ｂに示す）から出るように第２の部位コネクタ２５３３を摺動させることにより、第２の部位コネクタ２５３３は、２薬剤部位コネクタカバー２４３４からの接続を切られ得る。２薬剤部位コネクタカバー２４３４から第２の部位コネクタ２５３３の接続を切ることにより、アライメント用ポスト２５３９、および左部位ベース２５２５（図６３Ｂに示す）上の対応する特徴と嵌合する非対称的なポスト用受口２５３８を見えるようにする。同じ手順を使用して、類似の列挙が２４３２および２５３３である部位コネクタ自体を除いて、それらの下２桁が同一である列挙（例えば、２４３６は２５３６に対応する）によって識別できる対応する特徴を使用して、２薬剤部位コネクタカバー２４３４から第１の部位コネクタ２４３２の接続を切り得る。２薬剤部位コネクタカバー２４３４から接続を切り、かつ２薬剤注入部位セットベース２４０１に再接続する順序は任意である。
【０２８７】
図６５Ａは、（図６４Ｂからの）２薬剤注入部位コネクタと一緒に組み立てられた、（図６３Ｂからの）２薬剤注入部位ベース２４０１を含む完成品の２薬剤注入セット２４００の等角図を示す。いくつかの実施形態において、図示の通り、注入セットは、第１のベースおよび第１のコネクタを含む第１の注入アセンブリと、第２のベースおよび第２のコネクタを含む第２の注入アセンブリとを含む。いくつかの実施形態において、別個のベースを有することにより、両方の針が単一のベースに固定されているシステムに針が引き入れられるのを防止する。いくつかの実施形態において、この特徴は、動き、引張り、および不快感が発生し得る領域に注入セットが配置されるときに快適さを高める。図６５Ｂは、２薬剤注入セット２４００の内部部品を明らかにする断面図を示す。いくつかの実施形態において、第１の部位コネクタ２４３２および第２の部位コネクタ２５３３を第１の部位ベース２４２４および左部位ベース２５２５にそれぞれ接続した後、２つの閉鎖した、独立した、開存した、および連続的な流路が生じる。いくつかの実施形態において、流路は、９０度の傾斜付きの中空の穿刺部材２４４２、２５４２（ステンレス鋼針）で終端する。いくつかの実施形態において、各流路は、流体リザーバへの多くのタイプの接続部、例えばルアーロックまたは特注のカートリッジコネクタにおいて始まることができ、最終的には、直線で傾斜付きの中空のステンレス鋼針２４４０、２５４０および注入部位コネクタ２４３２、２５３３とそれぞれ一緒にボンディングされるチューブ３０１のルーメンと連通する。いくつかの実施形態において、１つまたは複数の注入部位コネクタを１つまたは複数の注入部位ベースに接続すると、直線で傾斜付きの中空のステンレス鋼針２４４
０、２５４０は、それぞれ部位ベース隔壁２４４１、２５４１を穿刺し、流体を、９０度の傾斜付きの中空のステンレス鋼針２４４２、２５４２を通して押し出して、患者に送達できるようにする。いくつかの実施形態において、文字（または他の可視的インジケータ）２４５０、２５５０が注入セット２４００上に存在する。いくつかの実施形態において、例えば図６５Ａに示すように、インジケータ２４４２、２５４２は、使用者にとって使いやすいものであるが、いくつかの実施形態において、構成部品の誤接続は、依然として機械的に防止される。いくつかの実施形態において、図示の通り、インジケータは部分的な文字であり得、一部分はベースユニット２４２４（例えば、部位ベース）上にあり、かつ他の部分は部位コネクタ２４３２上にある。いくつかの実施形態において、部位ベースおよび部位コネクタが適切に接続されると、インジケータは完全な文字（例えば、「Ｉ」および「Ｇ」）を提供する。いくつかの実施形態において、不適切に接続されると、インジケータは完全な文字を提供せず（例えば、不整合な文字）、コネクタが置き間違えられたことを使用者に可視的に信号で知らせる。いくつかの実施形態において、９０度の傾斜付きの中空のステンレス鋼針２４４２、２５４２は、それ自体、ソフトなデュロメータのチューブ２４５１、２５５１および部位ベース隔壁２４４１、２５４１からなるサブアセンブリを使用して部位ベース内に配置され、その後、これは、接着剤、スナップ嵌め、または一方向性捕捉−ロック特徴（図示せず）を用いて部位ベースに付着され得るプラグを用いて固定される。
【０２８８】
図６６Ａは、単一の薬剤構成において使用されるような、第１の部位ベース２４２４（図６３Ｂにも示す）を示す等角図である。いくつかの実施形態において、第１の部位ベースインサータ２４４３は、図示の通り取り付けられ得る。図６６Ｂは、第１の部位ベースインサータ２４４３が除去された後の第１のベース２４２４を示す。いくつかの実施形態において、第１の部位ベースインサータ２４４３は、単一薬剤注入部位ベース２４２４を適用するためのハンドルを提供する。いくつかの実施形態において、挿入後、第１の部位ベースインサータ２４４３は、一体型の丁番２４３６を作動させて保持スロット２４３０（図６８Ｂに示す）から出るように右部位ベースインサータ２４４３を摺動させることによって除去されて、非対称的なポスト２４３１を見せるようにし、この時点で、このポストは、部位コネクタ２４３２（図６７Ａ〜Ｂ参照）を収容する準備が整う。２薬剤注入部位ベース２４０１（図６３Ｂに示す）の第１の半体のみを示すが、第２の半体２４３３も単一の薬剤構成において使用され得る。いくつかの実施形態において、第２の半体２４３３は、第１の半体２４３２に対するものと同じ戦略を使用して取り付けられ得るが、構成部品は、特異的な対を形成する特徴、ヒンジなどを有している。
【０２８９】
図６７Ａは、第１の部位コネクタカバー２４４６を備える、単一の薬剤構成において使用されるような第１の部位コネクタ２４３２（図６４Ａ〜Ｂに示す）の等角図を示す。図６７Ｂは、第１の部位コネクタカバー２４４６が除去された後の第１の部位コネクタ２４３２を示す。いくつかの実施形態において、第１の部位コネクタカバー２４４６は、第１の部位コネクタ２４３２を（例えば、ダート、汚れ、デブリ、衝突からの物理的な損傷などへの）曝露から保護し、かつ一体型の丁番２４３６を作動させて保持クリップ２４３５を解放し、その後、保持スロット２４３０（図６８Ｂに示す）から出るように第１の部位コネクタ２４３２を摺動させることによって除去され得る。いくつかの実施形態において、第１の部位コネクタカバー２４４６から第１の部位コネクタ２４３２の接続を切ることにより、アライメント用ポスト２４３９および非対称的なポスト用受口２４３８を見せるようにし、これらは、第１の部位ベース２４２４（図６６Ａ〜Ｂに示す）上の対応する特徴と嵌合する。この説明では２薬剤注入部位コネクタの第１の半体のみを説明するが（図６４Ａ〜Ｂに示す）、第２の半体も同様の符号の特徴によって単一の薬剤構成において使用され得る。
【０２９０】
図６８Ａは、単一薬剤注入部位コネクタ２４３２と一緒に組み立てられた単一薬剤注入
部位ベース２４２４を含む、完成品の単一薬剤注入セット２４００’の等角図を示す。図６８Ｂは、単一薬剤注入セット２４００’の内部部品を明らかにする断面図を示す。いくつかの実施形態において、第１の部位ベース２４２４への第１の部位コネクタ２４３２の接続後、閉鎖した、独立した、開存した、および連続的な流路が生じる。いくつかの実施形態において、閉鎖流路は、９０度の穿刺部材２４４２（例えば、傾斜付きの中空のステンレス鋼針）で終端する。いくつかの実施形態において、流路は、流体リザーバへの多くのタイプの接続部、例えばルアーロックまたは特注のカートリッジコネクタにおいて開始し、最終的にチューブ３０１のルーメンと連通し得る。いくつかの実施形態において、チューブ３０１は、直線的な穿刺要素２４４０（例えば、傾斜付きの中空のステンレス鋼針）、およびこの図では第１の部位コネクタ２４３２と一緒にボンディングされる。いくつかの実施形態において、第１の部位コネクタ２４３２を右部位ベース２４２４に接続すると、直線で傾斜付きの中空のステンレス鋼針２４４０は、部位ベース隔壁２４４１を穿刺し、９０度の傾斜付きの中空のステンレス鋼針２４４２を通って流体が押し出されて、患者に送達できるようにする。いくつかの実施形態において、この説明は、２薬剤注入セットの第１の半体のみと類似するが（図６５Ａ〜Ｂに示す）、注入セットの第２の半体（例えば、左半体）も単一の薬剤構成において使用され得る。いくつかの実施形態において、文字または他の可視的なインジケータ２４５０、２５５０が存在し、かつ使用者にとって使いやすいものにする。いくつかの実施形態において、可視的なインジケータと並んで、構成部品の誤接続は依然として機械的に防止される。いくつかの実施形態において、９０度の傾斜付きの中空のステンレス鋼針２４４２は、それ自体、ソフトなデュロメータのチューブ２４５１および部位ベース隔壁２４４１からなるサブアセンブリを使用して部位ベース内に配置され、その後、これは、接着剤、スナップ嵌め、または一方向性捕捉−ロック特徴（図示せず）を用いて部位ベースに付着され得るプラグを用いて固定される。
【０２９１】
図６９Ａ〜Ｅは、２薬剤注入セットの実施形態の等角図を示す。図６９Ａでは、右部位ベース２４２４は右部位ベースカバー２４４４に接続されている。図６９Ｂは、第２の部位ベースカバー２５４５に接続された第２の部位ベース２５２５を示す。図６９Ｃは、第１の部位コネクタカバー２４４６に接続された第１の部位コネクタ２４３２を示す。図６９Ｄは、第２の（左）部位コネクタカバー２５４７に接続された第２の（左）部位コネクタ２５３３を示す。図６９Ｅは、２薬剤部位ベースカバー２４４８に接続された２薬剤注入部位ベース２４０１を示す。いくつかの実施形態において、個々の部位コネクタを交換する必要があるとき、その部位ベースから接続を切られ、かつ部位ベースカバーが部位ベースに一時的に接続され、それにより、部位コネクタが交換され得るまで曝露から保護し得る（ＡおよびＢに示すように）。いくつかの実施形態において、両方の部位コネクタが一緒に除去される場合、２薬剤部位ベースカバー２４４８が両方の部位ベースに一時的に接続されて、部位コネクタが交換され得るまでそれらを曝露から保護し得る（Ｅに示すように）。いくつかの実施形態において、任意の個々の部位ベースを交換する必要があるとき、部位ベースはその部位コネクタとの接続を切ることができ、および部位コネクタカバーが部位コネクタに一時的に接続され、それにより、部位ベースが交換され得るまで曝露から保護する（ＣおよびＤに示すように）。いくつかの実施形態において、両方の部位ベースが一緒に除去される場合、２薬剤部位コネクタカバーが両方の部位コネクタに一時的に接続されて、部位ベースが交換され得るまで、それらを曝露から保護し得る（図６４Ａに示すように）。単一の薬剤の実施形態は、ＡおよびＣの右側の半体またはＢおよびＤの左側の半体と同じ方法で動作し得る。
【０２９２】
いくつかの実施形態において、薬剤Ａのみを注入する注入システムの単一の薬剤の実装形態は、２薬剤注入部位コネクタの２つの単一薬剤注入部位コネクタのうちの一方を使用し得る。同様に、薬剤Ａ用の単一薬剤注入部位コネクタとは別個の他方の単一薬剤注入部位コネクタは、薬剤Ｂのみを注入する注入システムの単一の薬剤の実装形態に使用され得る。いくつかの実施形態において、２薬剤注入部位コネクタの非対称的な特徴、例えば非
対称的なポスト、非対称的なポスト用受口、保持クリップ、アライメント用ポスト、および／またはキーおよびキー溝の任意の組み合わせを使用して、薬剤Ａ用の単一薬剤注入部位コネクタを薬剤Ｂ用のものから区別し得る。いくつかの実施形態において、そのような特徴はまた、薬剤Ａのみを注入する注入システムの単一の薬剤の実装形態がポンプハウジングの薬剤Ａチャンバのみを使用し、および薬剤Ｂのみを注入する注入システムの単一の薬剤の実装形態がポンプハウジングの薬剤Ｂチャンバのみを使用することを保証するために使用され得る。いくつかの実施形態において、このようにして、２薬剤注入部位コネクタを製造するために使用される同じ型は、薬剤Ａのみまたは薬剤Ｂのみを注入する注入システムの単一の薬剤の実装形態のための単一薬剤注入部位コネクタに役立つ。従って、注入システムの２薬剤実装形態に役立つ２薬剤注入部位ベース、２薬剤注入部位コネクタ、チューブ、および針コネクタの構成部品は、注入システムの、一方は薬剤Ａ用および一方は薬剤Ｂ用の２つの別個の単一の薬剤の実装形態のうちの一方に役立つために使用され得る。
【０２９３】
いくつかの実施形態において、ソフトウェア（注入システムに組み込まれるかまたはスマートフォンまたはタブレットなどの補助装置で実行されるかのいずれか）を使用して、２薬剤注入システム、ポンプハウジングの薬剤Ａチャンバのみを使用する単一薬剤注入システム、またはポンプハウジングの薬剤Ｂチャンバのみを使用する単一薬剤注入システムのいずれかとして構成されるように注入システムを構成し得る（自動的におよび／または手動で）。いくつかの実施形態において、これらの３つの構成のうちのいずれかが実装されると、２薬剤注入部位コネクタまたは適切な単一薬剤注入部位コネクタ（薬剤Ａまたは薬剤Ｂのいずれかに関連する）を特定の構成に適合するように選択し得る。
【０２９４】
１つまたは複数の部位コネクタを伴ういくつかの実施形態において、各部位コネクタは、少なくとも１つの保持クリップの作用によって部位ベースに接続するように設計され得る。部位ベースへ部位コネクタを接続することにより、直線で傾斜付きの中空のステンレス鋼針が部位ベースの隔壁を穿刺できるようにする（図６５および図６８に示すように）。いくつかの実施形態において、部位コネクタ内の直線で傾斜付きの中空のステンレス鋼針が部位ベースの部位ベース隔壁を穿刺すると、送達空間に薬剤を送達し得る９０度の傾斜付きの中空のステンレス鋼針との流体の連続性をもたらす。いくつかの実施形態において、この配置構成は、各薬剤に対し、薬剤リザーバから患者（例えば、経皮的、皮内に、皮下に、筋肉内に、静脈内になどへの送達）への閉鎖した、独立した、開存した、および連続的な流路を生じ得る。いくつかの実施形態において、各部位ベースは、物理的に独立し得、および繰り返し部位コネクタに対して接続するかまたは接続を切ることができる。
【０２９５】
部位ベースの使用を伴ういくつかの実施形態において、９０度の傾斜付きの中空のステンレス鋼針は、部位ベースにオーバーモールド、ボンディング、圧入、膠付け、溶媒結合、インサート成形、または他の方法で取り付けられ得る。いくつかの実施形態において、インサート成形以外の例として、そのような９０度の傾斜付きの中空のステンレス鋼針は、ソフトなデュロメータのチューブで覆われ得、これは、部位ベース隔壁に圧入されて、部位ベースの外部にサブアセンブリを生じ得る。いくつかの実施形態において、その後、このサブアセンブリは、部位ベースのキャビティ内に配置され得（図６５および図６８に示すように）、およびプラグ（図示せず）を使用して、サブアセンブリを確実に適所に保持するのと同時に流体シールを保証し得る。
【０２９６】
部位ベース、９０度の傾斜付きの中空のステンレス鋼針の使用を伴ういくつかの実施形態において、針は、部位ベースの中心または中心近くから突出するように設計され得る。いくつかの実施形態において、この配置構成により、その意図した使用の全てにおいて部位ベースが皮膚の表面に接着されたままにする可能性を増加させる。
【０２９７】
部位コネクタが部位ベースに接続され得るまたはそこから接続を切られ得る多薬剤を伴ういくつかの実施形態において、部位コネクタおよび部位ベースは、文字または他の可視的なインジケータなどの特徴を含んで、間違った部位コネクタまたは部位ベースへの部位ベースまたは部位コネクタの誤接続を防止するのを支援し得る。いくつかの実施形態において、そのような文字または他の可視的なインジケータ（色など）は、誤接続を機械的に防止する物理的特徴に加えて使用され得る。いくつかの実施形態において、文字または他の可視的なインジケータは、隆起されかつベース材料と異なって色付けされて可視性を高め得る。
【０２９８】
部位コネクタが部位ベースに接続され得るまたはそこから接続を切られ得る、多薬剤を伴ういくつかの実施形態において、誤った部位コネクタまたは部位ベースへの部位ベースまたは部位コネクタの誤接続を防止する部位コネクタおよび部位ベースは、非対称的なポスト用受口、保持クリップ、アライメント用ポスト、および／またはキーおよびキー溝などの特徴を含み得る。
【０２９９】
１つまたは複数の部位コネクタを伴ういくつかの実施形態において、各部位コネクタは、少なくとも１つの保持スロットに収まる少なくとも１つの保持クリップの作用により、部位ベースに接続するように設計され得る。１つの保持クリップおよび保持スロットの対のみが各部位コネクタおよび部位ベースの対で使用され得る、２つの薬剤を伴ういくつかの実施形態において、保持クリップおよび保持スロットは、部位コネクタおよび部位ベースの内側面または外側面（図６３〜６５に示すように）に存在し得る。保持クリップおよび保持スロットが一方の部位コネクタおよび部位ベースの対の外側面、および他方の部位コネクタおよび部位ベースの対の内側部位に存在する場合、一体型の丁番を作動するために同じ指を使用できるようにすることによって使用者に使いやすさをもたらす。この場合、誤った部位ベースへの部位コネクタの誤接続は、非対称的なポストおよび非対称的なポスト用受口が存在することによって依然として防止される。
【０３００】
２つの薬剤を伴ういくつかの実施形態において、右部位コネクタおよび左部位コネクタ（図６４、図６５、および図６９に示すように）は、２薬剤注入部位コネクタを含み、物理的に独立され得、および２薬剤注入部位ベースへの２薬剤注入部位コネクタの誤接続を防止する非対称的なポスト用受口、保持クリップ、アライメント用ポスト、および／またはキーおよびキー溝などの特徴を含み得る。
【０３０１】
２つの薬剤を伴ういくつかの実施形態において、右（第１の）部位ベースおよび左（第２の）部位ベース（図６３、図６５、および図６９に示すように）は、２薬剤注入部位ベースを含み、物理的に独立され得、および２薬剤注入部位ベースへの２薬剤注入部位コネクタの誤接続を防止する保持スロット（図６５に示す）、非対称的なポスト、およびアライメント用ポスト用受口などの特徴を含み得る。
【０３０２】
いくつかの実施形態において、部位コネクタおよび部位ベースは、多薬剤構成からの任意の部位コネクタおよび部位ベースの対を単一の薬剤構成（図６６〜６８に示すような）において個別に使用して、単一の薬剤部位コネクタおよび部位ベースが多薬剤部位コネクタおよび部位ベースと同じ器具から製造され得るように設計される。
【０３０３】
多薬剤を伴ういくつかの実施形態において、部位コネクタは、部位コネクタの全て、部位コネクタのいくつかの群を結合し得るか、または部位コネクタを全く結合しないことができる１つ以上の部位コネクタカバーが供給され得、各部位コネクタは、それ自体の部位コネクタカバーを供給され得るようにする。部位コネクタカバーは、繰り返し部位コネクタに対して接続されかつ接続を切られ得、およびそれらを曝露から保護する（図６４Ａに示すように）。同様に、部位ベースは、部位ベースの全て、部位ベースのいくつかの群を
結合し得るか、または部位ベースを全く結合しないことができる１つ以上の部位ベースカバーが供給され得、各部位ベースは、それ自体の部位ベースカバーを供給され得るようにする。部位ベースカバーは、部位ベースに対して繰り返し接続されかつ接続を切られ得、およびそれらを曝露から保護する（図６９に示すように）。
【０３０４】
各部位ベースがそれ自体の部位ベースカバーを供給され、かつ各部位コネクタがそれ自体の部位コネクタカバーを供給される、単一薬剤または多薬剤を伴ういくつかの実施形態において、部位ベースカバーおよび部位コネクタカバーは、それぞれ部位ベースおよび部位コネクタと同じ器具から製造され得る。いくつかの実施形態において、各部位ベースカバーは、直線で傾斜付きの中空のステンレス鋼針およびチューブを含まなくてもよく、および各部位コネクタカバーは、９０度の傾斜付きの中空のステンレス鋼針および部位ベース隔壁を含まなくてもよい。
【０３０５】
単一薬剤または多薬剤を伴ういくつかの実施形態において、１つまたは複数の部位ベースは、部位コネクタと同じ方法で１つまたは複数の部位ベースに接続する部位ベースインサータを供給され、かつ１つまたは複数の部位ベースを適用するためのハンドルを提供し得る（図６３および図６６に示すように）。いくつかの実施形態において、部位ベースインサータによって提供されたハンドルは、部位ベースを手動で適用するか、または１つまたは複数の部位ベースをバネ荷重インサータなどの自動挿入装置に載荷するために使用され得る。いくつかの実施形態において、複数の部位ベースの場合、１つ以上の部位ベースインサータは、部位ベースの全て、部位ベースのいくつかの群を結合し得るか、または部位ベースを全く結合しないことができ、各部位ベースは、それ自体の部位ベースインサータを供給され得る。いくつかの実施形態において、部位ベースインサータの除去は、いずれかの結合済みの部位ベースを切り離す。
【０３０６】
いくつかの実施形態において、注入ポンプは、各カートリッジがその対応するポンプチャンバ完全に載荷されて固定されたときは常に別々に検出する、カートリッジ検出ハードウェア−ソフトウェアシステムを備え得る。いくつかの実施形態において、ここで説明する設計は、正しい薬剤カートリッジのみがその対応するポンプチャンバに完全に載荷されかつ固定されることを保証し得るため、カートリッジ検出システムは、ここで説明する設計と一緒に機能するとき、注入ポンプシステムに、いずれの特定の薬剤が潜在的な注入に利用可能であるかを効率的かつ確証的に知らせ得る。いくつかの実施形態において、任意の時点での潜在的な注入に関する各薬剤の利用可能性ステータスはまた、それに応じて注入ポンプシステムがその動作モードを設定できるようにする。いくつかの実施形態において、例えば、デュアルチャンバポンプの場合、適所にある両方のカートリッジの検出は、注入ポンプシステムがデュアル注入モードで動作できるようにする一方、適所にある一方のカートリッジを検出するが他方のカートリッジを検出しないと、注入ポンプシステムを、適所にあると検出されるカートリッジに対応する薬剤に固有の単一注入モードで動作させる。いくつかの実施形態において、この検出能力は、カートリッジが適所にあるときまたは過渡的にまたは一時的に適所にないときを含め、リアルタイムで自律的に決定される。
【０３０７】
いくつかの実施形態において、注入ポンプはまた、カートリッジから、対応するチューブ全体を通して、および対応する部位ベースの遠位端部を出るまでのいずれかの箇所で、各カートリッジに関連する流体送達経路が妨害されたりまたは塞がれたりするときは常に別々に検出する、送達閉塞ハードウェア−ソフトウェア検出システムを備え得る。いくつかの実施形態において、ここで説明する設計は、正しいチューブアセンブリおよび部位ベースのみがそれらの対応するカートリッジに接続され得ることを保証し得るため、閉塞検出システムは、ここで説明する設計と一緒に機能するとき、注入ポンプシステムに、いずれの特定の薬剤が開存した流体送達経路を有するかを効率的かつ確証的に知らせる。
【０３０８】
いくつかの実施形態において、両方のカートリッジおよび閉塞検出システムが同時に存在する場合、注入ポンプは、任意の時点で、いずれの薬剤を使用者に送達可能であるかを確証的に決定し得る。いくつかの実施形態において、その後、注入ポンプは、いずれのカートリッジが適所にあるかを、それらの対応する流体送達経路の開存性と併せて検出した通りに、その動作モードを自律的に設定し得る。いくつかの実施形態において、インスリンまたはインスリン類似体、ならびに対抗調節的薬剤（例えば、グルカゴン、グルカゴン類似体、またはデキストロース）を送達することにより、自律的に血糖値を制御するデュアルチャンバポンプの特殊な例において、そのようなカートリッジおよび閉塞検出システムは、ここで説明する設計と一緒に機能するとき、実際に、注入ポンプシステムを、インスリンのみ、または対抗調節的薬剤のみ、またはそれらの両方を送達する特定の構成通りにできる。さらに、いくつかの実施形態において、そのような実装形態はまた、チャネルの利用可能性がリアルタイムで変化し得る場合を含め、いずれかの送達チャネルが送達に利用不能になるときは常に（カートリッジ検出、閉塞検出、またはそれらの両方によって知らされるかに関わらず）、デュアルチャンバ注入ポンプシステムがその動作モードをリアルタイムで自律的に切り替えることができるようにする。いくつかの実施形態において、カートリッジおよび閉塞検出方法は、限定されるものではないが、数例を挙げると、カートリッジ検出の場合には磁場もしくは電気信号フィードバックに依拠する技術、または閉塞検出の場合には背圧検出もしくは流量センサー技術に依拠する技術を含む、様々なハードウェアおよびソフトウェアの実装形態を通して実現され得る。
【０３０９】
いくつかの実施形態において、１つのベース、コネクタ、ハウジング、注入口コネクタ、注入口コネクタカバー、鍔部、薬剤リザーバ、またはポンプアセンブリの文脈で説明された特徴は、混合および適合され、かつ他のベース、コネクタ、ハウジング、注入口コネクタ、注入口コネクタカバー、鍔部、薬剤リザーバ、またはポンプアセンブリで異なる組み合わせで使用され得る。例えば、誤チャネル配置を防止する上述のいずれかの特徴は、他の実施形態から省略され得るかまたはそれに追加され得る。冗長特徴は、薬剤送達システムの構成部品に追加され得るかまたはそれから省略され得る。
【０３１０】
個々に示す例は、多薬剤用の注入システム、および患者への各薬剤の適切なチャネル配置を保証するための様々なコネクタ、チューブ、およびカートリッジの設計に対する一般的方法の代表であることを意味する。タブ、隆起、および特徴、ならびに対応するキャビティ、溝、キー溝、またはスロットの幾何学的形状、サイズ、向き、位置、および数は、単にここで示す特定の例の非常に豊富な種類の例を意味するに過ぎない。
【０３１１】
例えば、本明細書の他の箇所で説明するように、ここに示すキャップコネクタ上のタブ、隆起、および特徴と、ポンプハウジング内にある対応するキャビティ、溝、キー溝、またはスロットとの分離度、または先付け鍔部アセンブリ上のタブ、隆起、および特徴と、キャップコネクタ上の対応するキャビティ、溝、キー溝、またはスロットとの間の分離度は、ここに示す例よりも近くにまたは遠くに配置されるように一般化され得る。さらに、ここに示すキャップコネクタ上およびポンプハウジング内の対応するキャビティ、溝、キー溝、またはスロット上のタブ、隆起、および特徴の数、または先付け鍔部アセンブリ上のタブ、隆起、および特徴の数、およびキャップコネクタ設計上の対応するキャビティ、溝、キー溝、またはスロットの数は、１つ、２つ、３つ以上のそのような特徴に一般化され得、これらは、ここに示す例と異なるサイズ、形状、向き、および位置を有してもよい。さらに、上述の通り、ここに示す先付け鍔部アセンブリ上のタブ、隆起、および特徴の位置、およびキャップコネクタ設計上の対応するキャビティ、溝、キー溝、またはスロットの位置は、カートリッジのネックまたはヘッド（または冠部）領域に限定される必要はない。例えば、先付け鍔部アセンブリとキャップコネクタとの間の係合点は、代わりに、カートリッジの本体上のいずれか他の箇所に発生し得るか、またはカートリッジの全長に
わたって延在し得る。いくつかの実施形態において、ここで説明する先付け鍔部アセンブリ上のタブ、隆起、および特徴は、その代わりに、カートリッジの表面上に直接現れ得（射出成形カートリッジの場合など）、これは、薬剤が事前充填されるかまたは薬剤が事前充填されていないかのいずれかである。
【０３１２】
いくつかの実施形態において、ここで説明するカートリッジは、ここで説明する先付け鍔部アセンブリがカートリッジに設置される前または後に、薬剤が事前充填されるかまたは薬剤が事前充填されていないかのいずれかであり得る。後者の場合、そのようなカートリッジは、製造プロセス後しばらくして、ケアする時点を含めて薬剤が充填され得る。
【０３１３】
いくつかの実施形態において、例えばケアする時点で薬剤が充填されるカートリッジの場合、キャップコネクタは、奥まった箇所に置かれた針を含まなくてもよく、むしろ、図５０示すように、標準的なルアーロックまたは他の機構を使用して前記カートリッジと結合し得、ここで、薬剤は、初めに針を通過することなくカートリッジからチューブ内へ直接流れる。この場合、ここで説明する先付け鍔部アセンブリ上のタブ、隆起、および特徴は、依然としてキャップコネクタの表面上に現れる。
【０３１４】
いくつかの実施形態において、薬剤の誤チャネル配置は、１つのカートリッジが１つの薬剤で事前充填され、および第２のカートリッジがケアする時点で異なる薬剤を充填される場合（図５０または図６１Ａ〜Ｃで説明する実施形態を使用して）、依然として回避される。１つのカートリッジのみがケアする時点で薬剤充填される必要があり、および他の全てのカートリッジは、薬剤が事前充填されている限り、ここで説明する設計は薬剤の誤チャネル配置を防止し得る。
【０３１５】
いくつかの実施形態において、上述の特徴および構成部品は、再使用可能なペン型注射器（例えば、インスリンペンなど）に適用可能である。いくつかの実施形態において、各鍔部、キャップ、入力コネクタなどが、ペン型注射器によって送達される間違った投薬を防止するために適用され得る。例えば、上述の通りの第１の組の独特な特徴を有する１つの独特なカートリッジが、嵌合型ペン型注射器を介して患者に長時間作用型インスリンを送達するために使用され得る。上述の通りの第２の組の独特な特徴を備える別の独特なカートリッジは、異なる嵌合型ペン型注射器を介して患者に即効型または超即効型インスリン類似体を送達するために使用され得る。さらなる例として、これらの特徴を使用して、より濃度の濃いインスリン類似体とより濃度の薄いインスリン類似体とを差別化し得る（例えば、Ｕ１００、Ｕ２００、またはＵ５００インスリン類似体）。
【０３１６】
いずれかの実施形態に対する上述の薬剤は、患者の１つ以上の状態を治療、調節、制御または対処するための任意の好適な化合物または薬物を含み得る。糖尿病が標的であるが、他の状態（例えば、膵機能障害）も対処され得る。薬剤は、例えば患者の血糖値を調節するインスリンなどの調節剤、および／または特定の状況では、より効果的に血糖を調節するためのグルコースまたはグルカゴンなどの対抗調節的薬剤を含み得る。他のタイプの作用物質も使用され得る。
【０３１７】
いくつかの実施形態において、患者への各薬剤の適切なチャネル配置を保証する、様々な針部位、コネクタ、チューブ、およびカートリッジを伴う多薬剤用の注入システムが提供される。いくつかの実施形態において、注入システムは注入ポンプを含む。いくつかの実施形態において、注入システムは、２つ以上のポンプチャンバを備える注入ポンプを含む。いくつかの実施形態において、注入システムは、ケアする時点で異なる薬剤を充填され得る（または異なる薬剤が事前充填され得る）カートリッジを含む。いくつかの実施形態において、注入システムは、薬剤の誤チャネル配置または交差チャネル配置を防止するように、カートリッジを注入ポンプに接続するコネクタおよびチューブを含む。いくつか
の実施形態において、各タイプの薬剤のための各タイプのカートリッジは、独特の差別化サイズ、形状、および／または幾何学的特徴（カートリッジの一体部分として、またはカートリッジに取り付けられたもしくは付着された構成部品としてのいずれか）を有し、これは、それ自体がポンプハウジング内の対応する特徴に係合する独特の差別化特徴を有するコネクタのタイプと特異的に結合できるようにし、かつ注入ポンプ内の適切なポンプチャンバへの適切なカートリッジの挿入のみを可能にする。
【０３１８】
いくつかの実施形態において、上述のシステムは、単一の薬剤のまたは組み合わせての薬剤の送達に使用され得る。例えば、いくつかの実施形態において、注入セットは、作用物質Ａ（例えば、インスリン）を送達するために使用され得るが、その注入セットの特徴は、作用物質Ｂ（例えば、グルカゴン）用の薬剤リザーバと互換性がない。あるいは、いくつかの実施形態において、注入セットは、作用物質Ｂを送達するために使用され得るが、その注入セットの特徴は、作用物質Ａ用の薬剤リザーバと互換性がない。さらに、いくつかの実施形態において、上述の通り、２薬剤は、誤チャネル配置（例えば、２つのホルモン送達、２薬剤送達など）せずに送達され得る。上述の開示から明らかなように、誤チャネル配置せずに多薬剤（例えば、２つ、３つ、４つ以上）を送達するための構成が提供され得る。
【０３１９】
いくつかの実施形態は、薬剤送達システムの使用方法を提供する。いくつかの実施形態において、ベースセット、コネクタセット、および薬剤リザーバセットは、完全に組み立てられて、部分的に組み立てられて、またはパッケージ内で分解されて一緒に提供される。例えば、いくつかの実施形態において、ベースは、パッケージ内でコネクタセットに取り付けられる。いくつかの実施形態において、コネクタセットは、パッケージ内で薬剤リザーバセットに取り付けられる。いくつかの実施形態において、ベースセット、コネクタセット、および薬剤リザーバセットは、それぞれ一緒に提供され得るかまたは別々に梱包される。
【０３２０】
いくつかの実施形態において、ベースは、そのパッケージから取り除かれる。いくつかの実施形態において、針ガードは、存在する場合、患者へ挿入する前にベースセットの針から取り除かれる。いくつかの実施形態において、剥離ライナーはベースセットから取り外される。いくつかの実施形態において、その後、ベースセットは、皮膚の上側に位置決めされ、および皮膚に針を挿入することにより、そこに手動で付着される。
【０３２１】
いくつかの実施形態において、梱包されたベースにベースインサータが設けられる。いくつかの実施形態において、ベースセットは、ベースインサータを保持することにより、患者に手動で挿入するために位置決めされ得る。いくつかの実施形態において、ベースインサータは、使用者（例えば、患者または医師）の親指と他の指との間で掴まれ、皮膚内に入れられて手動でベースセットの穿刺要素を患者に挿入し、およびベースセットを患者に付着させる（例えば、セットの接着剤により）。いくつかの実施形態において、ベースインサータは、適切な角度および位置で自動的に患者の皮膚内にベースユニットを発射する（例えば、射出または送達する）位置決め装置に載荷され得る。いくつかの実施形態において、位置決め装置は、梱包されたベースセットに既に取り付けられて提供される。
【０３２２】
いくつかの実施形態において、ベースセットの注入後、コネクタセットはベースセットに係合される。いくつかの実施形態において、コネクタセットは、パッケージ内でベースセットに既に係合されている。いくつかの実施形態において、その後、コネクタセットは、チューブを介して注入口コネクタに接続される。いくつかの実施形態において、コネクタセットをベースセットに接続後、単一薬剤または多薬剤リザーバが注入口コネクタに接続され、かつ注入口コネクタの１つ以上の特徴により、そこで固定され得る。いくつかの実施形態において、事前充填薬剤リザーバは、パッケージ内でコネクタセットを介してベ
ースセットに既に取り付けられている。
【０３２３】
いくつかの実施形態において、その後、薬剤リザーバは、ポンプ内の対応する受口に配置される。いくつかの実施形態において、リザーバは、注入口コネクタカバーをポンプに螺合することにより、ポンプの受口内の適所で締め付けられる。いくつかの実施形態において、その後、ポンプは起動されて１つ以上の薬剤を患者に送達できるようにし得る。
【０３２４】
一般的に円に関連するいずれの用語、例えば「半径」または「半径方向」または「直径」または「円周」または「円周の」またはいずれかの派生語もしくは同様のタイプの用語は、円形構造だけでなく、いずれかのタイプの幾何学的形状のいずれかの対応する構造を指定するために使用されることを意図する。例えば、別の幾何学的構造に適用されるような「半径方向」は、そのような構造のほぼ幾何学的中心に対応する位置とそのような構造の周囲との間の方向または距離を指すと理解されるべきであり、別の幾何学的構造に適用されるような「直径」は、そのような構造の横断面幅を指すと理解されるべきであり、および別の幾何学的構造に適用されるような「円周」は、周囲領域を指すと理解されるべきである。本明細書または図面では、これらの用語を円または円形構造のみに限定するものであると解釈されるべきではない。
【図１】
2018525060.tif 000003
【図２】
2018525060.tif 000004
【図３Ａ】
2018525060.tif 000005
【図３Ｂ】
2018525060.tif 000006
【図４Ａ】
2018525060.tif 000007
【図４Ｂ】
2018525060.tif 000008
【図５】
2018525060.tif 000009
【図６】
2018525060.tif 000010
【図７Ａ】
2018525060.tif 000011
【図７Ｂ】
2018525060.tif 000012
【図７Ｃ】
2018525060.tif 000013
【図７Ｄ】
2018525060.tif 000014
【図８】
2018525060.tif 000015
【図９】
2018525060.tif 000016
【図１０】
2018525060.tif 000017
【図１１】
2018525060.tif 000018
【図１２】
2018525060.tif 000019
【図１３】
2018525060.tif 000020
【図１４】
2018525060.tif 000021
【図１５】
2018525060.tif 000022
【図１６】
2018525060.tif 000023
【図１７】
2018525060.tif 000024
【図１８】
2018525060.tif 000025
【図１９】
2018525060.tif 000026
【図２０】
2018525060.tif 000027
【図２１】
2018525060.tif 000028
【図２２】
2018525060.tif 000029
【図２３】
2018525060.tif 000030
【図２４】
2018525060.tif 000031
【図２５】
2018525060.tif 000032
【図２６】
2018525060.tif 000033
【図２７】
2018525060.tif 000034
【図２８】
2018525060.tif 000035
【図２９】
2018525060.tif 000036
【図３０】
2018525060.tif 000037
【図３１】
2018525060.tif 000038
【図３２】
2018525060.tif 000039
【図３３】
2018525060.tif 000040
【図３４Ａ】
2018525060.tif 000041
【図３４Ｂ】
2018525060.tif 000042
【図３５】
2018525060.tif 000043
【図３６】
2018525060.tif 000044
【図３７Ａ】
2018525060.tif 000045
【図３７Ｂ】
2018525060.tif 000046
【図３７Ｃ】
2018525060.tif 000047
【図３８Ａ】
2018525060.tif 000048
【図３８Ｂ】
2018525060.tif 000049
【図３８Ｃ】
2018525060.tif 000050
【図３９Ａ】
2018525060.tif 000051
【図３９Ｂ】
2018525060.tif 000052
【図３９Ｃ】
2018525060.tif 000053
【図４０Ａ】
2018525060.tif 000054
【図４０Ｂ】
2018525060.tif 000055
【図４０Ｃ】
2018525060.tif 000056
【図４１Ａ】
2018525060.tif 000057
【図４１Ｂ】
2018525060.tif 000058
【図４１Ｃ】
2018525060.tif 000059
【図４２Ａ】
2018525060.tif 000060
【図４２Ｂ】
2018525060.tif 000061
【図４２Ｃ】
2018525060.tif 000062
【図４３Ａ】
2018525060.tif 000063
【図４３Ｂ】
2018525060.tif 000064
【図４４Ａ】
2018525060.tif 000065
【図４４Ｂ】
2018525060.tif 000066
【図４４Ｃ】
2018525060.tif 000067
【図４５Ａ】
2018525060.tif 000068
【図４５Ｂ】
2018525060.tif 000069
【図４５Ｃ】
2018525060.tif 000070
【図４６Ａ】
2018525060.tif 000071
【図４６Ｂ】
2018525060.tif 000072
【図４７Ａ】
2018525060.tif 000073
【図４７Ｂ】
2018525060.tif 000074
【図４８Ａ】
2018525060.tif 000075
【図４８Ｂ】
2018525060.tif 000076
【図４８Ｃ】
2018525060.tif 000077
【図４９Ａ】
2018525060.tif 000078
【図４９Ｂ】
2018525060.tif 000079
【図４９Ｃ】
2018525060.tif 000080
【図５０Ａ】
2018525060.tif 000081
【図５０Ｂ】
2018525060.tif 000082
【図５０Ｃ】
2018525060.tif 000083
【図５０Ｄ】
2018525060.tif 000084
【図５１Ａ】
2018525060.tif 000085
【図５１Ｂ】
2018525060.tif 000086
【図５１Ｃ】
2018525060.tif 000087
【図５２Ａ】
2018525060.tif 000088
【図５２Ｂ】
2018525060.tif 000089
【図５２Ｃ】
2018525060.tif 000090
【図５３Ａ】
2018525060.tif 000091
【図５３Ｂ】
2018525060.tif 000092
【図５３Ｃ】
2018525060.tif 000093
【図５４Ａ】
2018525060.tif 000094
【図５４Ｂ】
2018525060.tif 000095
【図５４Ｃ】
2018525060.tif 000096
【図５５Ａ】
2018525060.tif 000097
【図５５Ｂ】
2018525060.tif 000098
【図５５Ｃ】
2018525060.tif 000099
【図５６Ａ】
2018525060.tif 000100
【図５６Ｂ】
2018525060.tif 000101
【図５６Ｃ】
2018525060.tif 000102
【図５７Ａ】
2018525060.tif 000103
【図５７Ｂ】
2018525060.tif 000104
【図５７Ｃ】
2018525060.tif 000105
【図５８Ａ】
2018525060.tif 000106
【図５８Ｂ】
2018525060.tif 000107
【図５８Ｃ】
2018525060.tif 000108
【図５９Ａ】
2018525060.tif 000109
【図５９Ｂ】
2018525060.tif 000110
【図６０Ａ】
2018525060.tif 000111
【図６０Ｂ】
2018525060.tif 000112
【図６１Ａ】
2018525060.tif 000113
【図６１Ｂ】
2018525060.tif 000114
【図６１Ｃ】
2018525060.tif 000115
【図６２Ａ】
2018525060.tif 000116
【図６２Ｂ】
2018525060.tif 000117
【図６２Ｃ】
2018525060.tif 000118
【図６２Ｄ】
2018525060.tif 000119
【図６２Ｅ】
2018525060.tif 000120
【図６２Ｆ】
2018525060.tif 000121
【図６３Ａ】
2018525060.tif 000122
【図６３Ｂ】
2018525060.tif 000123
【図６４Ａ】
2018525060.tif 000124
【図６４Ｂ】
2018525060.tif 000125
【図６５Ａ】
2018525060.tif 000126
【図６５Ｂ】
2018525060.tif 000127
【図６６Ａ】
2018525060.tif 000128
【図６６Ｂ】
2018525060.tif 000129
【図６７Ａ】
2018525060.tif 000130
【図６７Ｂ】
2018525060.tif 000131
【図６８Ａ】
2018525060.tif 000132
【図６８Ｂ】
2018525060.tif 000133
【図６９Ａ】
2018525060.tif 000134
【図６９Ｂ】
2018525060.tif 000135
【図６９Ｃ】
2018525060.tif 000136
【図６９Ｄ】
2018525060.tif 000137
【図６９Ｅ】
2018525060.tif 000138
【国際調査報告】
2018525060.tif 000139
2018525060.tif 000140
2018525060.tif 000141